(57)【要約】【課題】情報の適宜な記録再生が容易な情報記録媒体、情報再生装置、情報再生方法、および情報記録方法を提供する。【解決手段】情報記録媒体が、ユーザ情報を記憶するユーザ情報記憶領域と、拡張可能であって、かつ情報の試し書きのための試し書き領域と、拡張可能であって、かつユーザ情報の代替え記憶が可能な代替え領域と、前記試し書き領域および前記代替え領域に記録可能な範囲を表す記録可能範囲情報を含む記録位置管理情報領域と、を具備する。【選択図】図２２
2005285153.tif 000002
【特許請求の範囲】
【請求項１】
ユーザ情報を記憶するユーザ情報記憶領域と、
拡張可能であって、かつ情報の試し書きのための試し書き領域と、
拡張可能であって、かつユーザ情報の代替え記憶が可能な代替え領域と、
前記試し書き領域および前記代替え領域に記録可能な範囲を表す記録可能範囲情報を含む記録位置管理情報領域と、
を具備することを特徴とする情報記録媒体。
【請求項２】
ユーザ情報を記憶するユーザ情報記憶領域と、拡張可能であって、かつ情報の試し書きのための試し書き領域と、拡張可能であって、かつユーザ情報の代替え記憶が可能な代替え領域と、前記試し書き領域および前記代替え領域に記録可能な範囲を表す記録可能範囲情報を含む記録位置管理情報領域と、を備える情報記録媒体から情報を再生する情報再生手段
を具備することを特徴とする情報再生装置。
【請求項３】
ユーザ情報を記憶するユーザ情報記憶領域と、拡張可能であって、かつ情報の試し書きのための試し書き領域と、拡張可能であって、かつユーザ情報の代替え記憶が可能な代替え領域と、前記試し書き領域および前記代替え領域に記録可能な範囲を表す記録可能範囲情報を含む記録位置管理情報領域と、を備える情報記録媒体から情報を再生する情報再生ステップ
を具備することを特徴とする情報再生方法。
【請求項４】
ユーザ情報を記憶するユーザ情報記憶領域と、拡張可能であって、かつ情報の試し書きのための試し書き領域と、拡張可能であって、かつユーザ情報の代替え記憶が可能な代替え領域と、前記試し書き領域および前記代替え領域に記録可能な範囲を表す記録可能範囲情報を含む記録位置管理情報領域と、を備える情報記録媒体に情報を記録する情報記録ステップ
を具備することを特徴とする情報記録方法。
【発明の詳細な説明】
【技術分野】
【０００１】
本発明は、情報を記録する情報記録媒体、情報再生装置、情報再生方法、および情報記録方法に関する。
【背景技術】
【０００２】
情報を記録、再生する情報記録媒体として光ディスクが用いられている。
光ディスクの容量増加に比例して試し書き領域（テストエリア）の総数を増加させる技術が開示されている（特許文献１参照）。即ち、試し書き領域（テストエリア）が内周側位置に配置され、その拡張倍率が離散的に設定される。そして、ＡＴＩＰウォブル信号のＳＹＮＣパターンを検知してディスク種別を判定し、試し書き領域（テストエリア）の総数を判定している
また、外周側に拡張可能なスペア領域を設定可能な光ディスクの技術が開示されている（特許文献２参照）。拡張可能なスペア領域の位置情報が、第２スペア領域のファイルエントリ領域内の第２スペア領域の位置情報に記載されている。
【特許文献１】特開２００１−２７３６３７号公報
【特許文献２】特許第３０９０３１６号公報
【発明の開示】
【発明が解決しようとする課題】
【０００３】
しかしながら、特許文献１に開示された技術では、試し書き領域（テストエリア）のサイズを任意に設定できず、実質的な容量低下を引き起こす可能性がある。
特許文献２に開示された技術では、“追記形情報記憶媒体”では、拡張可能なスペア領域の位置情報を書き替えることができず、スペア領域の位置情報に関するデーター構造を取ることが出来ない。
上記に鑑み、本発明は情報の適宜な記録再生が容易な情報記録媒体、情報再生装置、情報再生方法、および情報記録方法を提供することを目的とする。
【課題を解決するための手段】
【０００４】
上記目的を達成するために、本発明に係る情報記録媒体は、ユーザ情報を記憶するユーザ情報記憶領域と、拡張可能であって、かつ情報の試し書きのための試し書き領域と、拡張可能であって、かつユーザ情報の代替え記憶が可能な代替え領域と、前記試し書き領域および前記代替え領域に記録可能な範囲を表す記録可能範囲情報を含む記録位置管理情報領域と、を具備することを特徴とする。
【０００５】
本発明に係る情報再生装置は、ユーザ情報を記憶するユーザ情報記憶領域と、拡張可能であって、かつ情報の試し書きのための試し書き領域と、拡張可能であって、かつユーザ情報の代替え記憶が可能な代替え領域と、前記試し書き領域および前記代替え領域に記録可能な範囲を表す記録可能範囲情報を含む記録位置管理情報領域と、を備える情報記録媒体から情報を再生する情報再生手段を具備することを特徴とする。
【０００６】
本発明に係る情報再生方法は、ユーザ情報を記憶するユーザ情報記憶領域と、拡張可能であって、かつ情報の試し書きのための試し書き領域と、拡張可能であって、かつユーザ情報の代替え記憶が可能な代替え領域と、前記試し書き領域および前記代替え領域に記録可能な範囲を表す記録可能範囲情報を含む記録位置管理情報領域と、を備える情報記録媒体から情報を再生する情報再生ステップを具備することを特徴とする。
【０００７】
本発明に係る情報記録方法は、ユーザ情報を記憶するユーザ情報記憶領域と、拡張可能であって、かつ情報の試し書きのための試し書き領域と、拡張可能であって、かつユーザ情報の代替え記憶が可能な代替え領域と、前記試し書き領域および前記代替え領域に記録可能な範囲を表す記録可能範囲情報を含む記録位置管理情報領域と、を備える情報記録媒体に情報を記録する情報記録ステップを具備することを特徴とする。
【発明の効果】
【０００８】
以上説明したように、本発明によれば情報の適宜な記録再生が容易な情報記録媒体、情報再生装置、情報再生方法、および情報記録方法を提供できる。
【発明を実施するための最良の形態】
【０００９】
ＲＭＤフィールド０ 内に Updated data area allocation 領域を持ち、その中は Updated outer limit of Data Recordable area の情報で記録可能範囲の情報が記載される。
情報記憶媒体の外周部に拡張可能な試し書き領域（テストエリア）や拡張可能な代替え領域（スペアエリア）が設定可能になっており、全記録領域の中から上記拡張可能な試し書き領域（テストエリア）や拡張可能な代替え領域（スペアエリア）を差し引いた領域が Updated outer limit of Data Recordable area の情報で記録可能範囲に対応する。
【００１０】
図１〜図４に本発明実施例に関するポイントを纏めて記載する。またそれぞれのポイントを組み合わせた時の効果を図１〜図４の列で示し、各効果の寄与率の最も高い部分に☆の印を示し、寄与率の高い順に◎、○、△の印を付加した。それぞれのポイントを組み合わせた時の効果を概説すると以下のようになる。
１．最適記録条件割り出し：安定にＢＣＡ検出後、スライスレベル検出で安定に読み取ったリムインテンシティの値で推奨記録条件情報が使えるか判断し、ＮＧの場合にはドライブテストゾーンで丁寧に記録条件の割り出しが必要となるのでテストゾーンの拡張とその位置管理が必要となる
２．再生回路設定方法：安定にＢＣＡ検出後、スライスレベル検出で安定に読み取った Ｈ→Ｌ or Ｌ→Ｈ の識別情報を高速に読み出し、参照コードを利用してＰＲ（１,２,２,２,１）に合わせた最適な回路調整を行う
３．ユーザー記録情報再生時の高い信頼性を確保：安定にＢＣＡ検出後、スライスレベル検出でシステムリードイン情報を再生後、ＰＲＭＬを用いてユーザー記録情報を再生する。欠陥場所の代替え処理により記録情報の信頼性確保。再生時のサーボの安定化も重要
４．記録（書替えまたは追記）場所へのアクセス時間の短縮化
：欠陥管理情報により記録（書替えまたは追記）場所を事前に確認
５．安定かつ精度の良い記録マークの記録
：安定なトラッキングと記録場所確認が重要。また記録速度情報に基付き最適な速度で記録。
６．“Ｌ→Ｈ記録膜”と“Ｈ→Ｌ記録膜”の両方を対応し、回路の共通化を図り制御の簡素化を実現
【００１１】
以下に詳細な実施例について説明する。
以下の実施例説明文の中で一部図１〜図４に示した各ポイントに対応した説明が含まれている。図１〜図４に示した各ポイントに対応した説明を行っているには括弧書きで対応ポイント記号を記載する。
【００１２】
情報記録再生装置の実施例における構造説明図を図５に示す。図５において制御部１４３より上側が主に情報記憶媒体への情報記録制御系を表し、情報再生装置の実施例では図５における前記情報記録制御系を除いた構造が該当する。図５に於いて太い実線矢印が再生信号または記録信号を意味するメイン情報の流れを示し、細い実線矢印が情報の流れ、一点鎖線矢印が基準クロックライン、細い破線矢印がコマンド指示方向を意味する。
【００１３】
図５に示した情報記録再生部１４１の中に図示してないが光学ヘッドが配置されている。本実施例では情報再生にＰＲＭＬ（ Partial Response Maximum Likelihood ）を用い、情報記憶媒体の高密度化を図っている（図１〔Ａ〕）。
また種々の実験の結果、使用するＰＲクラスとしてはＰＲ（１,２,２,２,１）を採用すると線密度が高くできるとともに再生信号の信頼性（例えば焦点ぼけやトラックずれなどサーボ補正誤差が発生した時の復調信頼性）を高くできるので、本実施例ではＰＲ（１,２,２,２,１）を採用している（図１（Ａ１））。
【００１４】
また本実施例では（ｄ,ｋ；ｍ,ｎ）変調規則（前述した記載方法ではｍ／ｎ変調のＲＬＬ（ｄ,ｋ）を意味している）に従って変調後のチャネルビット列を情報記憶媒体に記録している。具体的には変調方式としては８ビットデーターを１２チャネルビットに変換（ｍ＝８、ｎ＝１２）するＥＴＭ（ Eight to Twelve Modulation ）を採用し、変調後のチャネルビット列の中で“０”が続く長さに制限を掛けるランレングスリミテッドＲＬＬ制約として“０”が連続する最小値をｄ＝１とし、最大値をｋ＝１０としたＲＬＬ（１,１０）の条件を課している。
【００１５】
本実施例では情報記憶媒体の高密度化を目指して極限近くまでチャネルビット間隔を短くしている。その結果、例えば ｄ＝１ のパターンの繰り返しである“１０１０１０１０１０１０１０１０１０１０１０１０”のパターンを情報記憶媒体に記録し、そのデータを情報記録再生部１４１で再生した場合には再生光学系のＭＴＦ特性の遮断周波数に近付いているため、再生生信号の信号振幅はほとんどノイズに埋もれた形に成る。従って、そのようにＭＴＦ特性の限界（遮断周波数）近くまで密度を詰めた記録マークまたはピットを再生する方法としてＰＲＭＬ（Partial Response Maximum Likelihood）の技術を使っている。
【００１６】
すなわち、情報記録再生部１４１から再生された信号はＰＲ等化回路１３０により再生波形補正を受ける。ＡＤ変換器１６９で基準クロック発生回路１６０から送られてくる基準クロック１９８のタイミングに合わせてＰＲ等化回路１３０通過後の信号をサンプリングしてデジタル量に変換し、ビタビ復号器１５６内でビタビ復号処理を受ける。ビタビ復号処理後のデータは従来のスライスレベルで２値化されたデータと全く同様なデータとして処理される。
【００１７】
ＰＲＭＬの技術を採用した場合、ＡＤ変換器１６９でのサンプリングタイミングがずれるとビタビ復号後のデータのエラー率は増加する。従って、サンプリングタイミングの精度を上げるため、本実施の形態の情報再生装置ないしは情報記録再生装置では特にサンプリングタイミング抽出用回路（シュミットトリガー２値回路１５５とＰＬＬ回路１７４の組み合わせ）を別に持っている。
このシュミットトリガー回路は２値化するためのスライス基準レベルに特定の幅（実際にはダイオードの順方向電圧値）を持たせ、その特定幅を越えた時のみ２値化される特性を持っている。従って、例えば、上述したように“１０１０１０１０１０１０１０１０１０１０１０１０”のパターンが入力された場合には信号振幅が非常に小さいので２値化の切り替わりが起こらず、それよりも疎のパターンである例えば、“１００１００１００１００１００１００１００１”などが入力された場合に再生生信号の振幅が大きくなるのでシュミットトリガー２値化回路１５５で“１”のタイミングに合わせて２値化信号の極性切り替えが起きる。
本実施の形態ではＮＲＺＩ（Non Return to Zero Invert）法を採用しており、上記パターンの“１”の位置と記録マークまたはピットのエッジ部（境界部）が一致している。
【００１８】
ＰＬＬ回路１７４ではこのシュミットトリガー２値化回路１５５の出力である２値化信号と基準クロック発生回路１６０から送られる基準クロック１９８信号との間の周波数と位相のずれを検出してＰＬＬ回路１７４の出力クロックの周波数と位相を変化させている。基準クロック発生回路１６０ではこのＰＬＬ回路１７４の出力信号とビタビ復号器１５６の復号特性情報（具体的には図示してないがビタビ復号器１５６内のパスメトリックメモリー内の収束長（収束までの距離）の情報）を用いてビタビ復号後のエラーレートが低くなるように基準クロック１９８（の周波数と位相）にフィードバックを掛ける。この基準クロック発生回路１６０で発生される基準クロック１９８は再生信号処理時の基準タイミングとして利用される。
【００１９】
同期コード位置抽出部１４５はビタビ復号器１５６の出力データー列の中に混在している同期コード（シンクコード）の存在位置を検出し、上記出力データーの開始位置を抽出役目を担っている。この開始位置を基準としてシフトレジスタ回路１７０に一時保存されたデーターに対して復調回路１５２で復調処理をおこなう。本実施例では１２チャネルビット毎に復調用変換テーブル記録部１５４内に記録された変換テーブルを参照して元のビット列に戻す。その後はＥＣＣデコーディング回路１６２によりエラー訂正処理が施され、デスクランブル回路１５９によりデスクランブルされる。また本実施例の記録形（書替え形または追記形）情報記憶媒体ではウォブル変調によりアドレス情報が事前に記録されている。ウォブル信号検出部１３５で、このアドレス情報を再生し（すなわちウォブル信号の内容を判別し）希望場所へのアクセスに必要な情報を制御部１４３に対して供給する。
【００２０】
制御部１４３より上側に有る情報記録制御系について説明する。情報記憶媒体上の記録位置に合わせて Data ID 発生部１６５から Data ID 情報が生成され、CPR_MAI データー発生部１６７でコピー制御情報が発生されると Data ID, IED, CPR_MAI, EDC 付加部１６８により記録すべき情報に Data ID, IED, CPR_MAI, EDC の各種情報が付加される。その後デスクランブル回路１５７でデスクランブルされた後ＥＣＣエンコーディング回路１６１でＥＣＣブロックが構成され、変調回路１５１でチャネルビット列に変換された後、同期コード生成・付加部１４６で同期コードを付加されて情報記録再生部１４１内で情報記憶媒体にデーターが記録される。また、変調時にはＤＳＶ（ Digital Sum Value ）値計算部１４８で変調後のＤＳＶ値が逐次計算され、変調時のコード変換にフィードバックされる。
【００２１】
図５に示した同期コード位置検出部１４５を含む周辺部の詳細構造を図６に示す。同期コードは固定パターンを持った同期位置検出用コード部と可変コード部から構成されている。ビタビ復号器１５６から出力されたチャネルビット列の中から同期位置検出用コード検出部１８２により上記固定パターンを持った同期位置検出用コード部の位置を検出し、その前後に存在する可変コードのデーターを可変コード転送部１８３、１８４が抽出してシンクフレーム位置識別用コード内容の識別部１８５により検出された同期コードが後述するセクター内のどのシンクフレームに位置するかを判定する。情報記憶媒体上に記録されたユーザー情報はシフトレジスタ回路１７０、復調回路１５２内の復調処理部１８８、ＥＣＣデコーディング回路１６２の順に順次転送される。
【００２２】
本発明実施例では図１〔Ａ〕に示すようにデーター領域、データーリードイン領域、データーリードアウト領域では再生にＰＲＭＬを使う事で情報記憶媒体の高密度化（特に線密度が向上する）を達成すると共に、図１〔Ｂ〕に示すようにシステムリードイン領域、システムリードアウト領域では再生にスライスレベル検出方式を使う事で現行ＤＶＤとの互換性を確保するとともに再生の安定化を確保している。図７にシステムリードイン領域、システムリードアウト領域での再生時に使用されるスライスレベル検出方式を用いた信号再生回路の実施例を示す。図７における４分割光検出器は図５における情報記録再生部１４１内に存在する光学ヘッド内に固定されている。４分割光検出器の各光検出セルから得られる検出信号の総和を取った信号をここではリードチャンネル１信号と呼ぶ。図７のプリアンプからスライサーまでが図５のスライスレベル検出回路１３２内の詳細構造を意味し、情報記憶媒体から得られた再生信号は再生信号周波数帯よりも低い周波数成分を遮断するハイパスフィルタを通過後にプリイコライザーにより波形等化処理が行われる。実験によるとこのプリイコライザーは７タップのイコライザーを用いると最も回路規模が少なく、かつ精度良く再生信号の検出が出来る事が分かったので、本実施例でも７タップのイコライザーを使用している。図７のＶＦＯ回路・ＰＬＬ部分が図５のＰＬＬ回路に対応し、図７の復調回路、ＥＣＣデコーディング回路が図５の復調回路１５２とＥＣＣデコーディング回路１６２に対応する。
【００２３】
図７のスライサー回路内の詳細構造を図８に示す。スライス後の２値化信号を比較器を使って発生させている。本実施例ではデューティフィードバック法を用い、２値化後のバイナリーデーターの反転信号に対してローパスフィルター出力信号を２値化時のスライスレベルに設定している。本実施例ではこのローパスフィルターの遮断周波数を５ｋＨｚに設定している。この遮断周波数が高いとスライスレベル変動が早いためにノイズの影響を受け易く、逆に遮断周波数が低いとスライスレベルの応答が遅いので情報記憶媒体上のゴミや傷の影響を受けやすい。前述したＲＬＬ（１，１０）とチャネルビットの基準周波数の関係も考慮位して５ｋＨｚに設定して有る。
【００２４】
データー領域、データーリードイン領域、データーリードアウト領域で信号再生に用いられるＰＲＭＬ検出法を用いた信号処理回路を図９に示す。図９における４分割光検出器は図５における情報記録再生部１４１内に存在する光学ヘッド内に固定されている。４分割光検出器の各光検出セルから得られる検出信号の総和を取った信号をここではリードチャンネル１信号と呼ぶ。
図５におけるＰＲ等化回路１３０内の詳細な構造が図９のプリアンプ回路からタップ制御器、イコライザー、オフセットキャンセラーまでの各回路で構成されている。図９内のＰＬＬ回路は図５のＰＲ等化回路１３０内の一部であり、図５のシュミットトリガー２値化回路１５５とは別の物を意味する。
図９におけるハイパスフィルター回路の１次の遮断周波数は１ｋＨｚに設定して有る。プリイコライザ回路は図７と同様７タップのイコライザーを用いている（７タップを使用すると最も回路規模が少なく、かつ精度良く再生信号の検出が出来るためである）。
【００２５】
Ａ／Ｄコンバータ回路のサンプルクロック周波数は７２ＭＨｚ、デジタルは８ビット出力になっている。ＰＲＭＬ検出法では再生信号全体のレベル変動（ＤＣオフセット）の影響を受けるとビタビ復調時に誤差が発生し易くなる。その影響を除去するためにイコライザー出力から得た信号を用いてオフセットキャンセラーによりオフセットを補正する構造になっている。図９に示した実施例ではＰＲ等化回路１３０内で適応等化処理がなされている。そのため、ビタビ復号器１５６の出力信号を利用してイコライザー内の各タップ係数を自動修正するためのタップ制御器が利用されている。
【００２６】
図５または図９に示したビタビ復号器１５６内の構造を図１０にしめす。入力信号に対して予想し得る全てのブランチに対するブランチメトリックをブランチメトリック計算部で計算し、その値をＡＣＳへ送る。ＡＣＳは Add Compare Select の略称で、ＡＣＳの中で予想し得る各パスに対応してブランチメトリックを加算して得られるパスメトリックを計算すると共にその計算結果をパスメトリックメモリーへ転送する。この時、ＡＣＳ内ではパスメトリックメモリー内の情報も参照して計算処理を行う。パスメモリー内では予想し得る各パス（遷移）状況とその各パスに対応しＡＣＳで計算したパスメトリックの値を一時保存する。出力切替え部で各パスに対応したパスメトリックを比較し、パスメトリック値が最小となるパスを選択する。
【００２７】
図１１に本発明実施例におけるＰＲ（１,２,２,２,１）クラスにおける状態遷移を示す。ＰＲ（１,２,２,２,１）クラスにおける取り得る状態（ステート）の遷移は図１１に示す遷移のみが可能なので、図１１の遷移図を元にビタビ復号器１５６内では復号時の存在し得る（予想し得る）パスを割り出している。
【００２８】
図１３に本発明実施例における情報記憶媒体の構造及び寸法を示す。実施例として、次の３種類の情報記憶媒体を挙げることができる。
・再生専用で記録が不可能な“再生専用形情報記憶媒体”
・１回のみの追記記録が可能な“追記形情報記憶媒体”
・何回でも書き替え記録が可能な“書替え形情報記憶媒体”
【００２９】
図１３に示すように上記３種類の情報記憶媒体では大部分の構造と寸法が共通化されている。３種類の情報記憶媒体いずれも内周側からバーストカッティング領域ＢＣＡ、システムリードイン領域ＳＹＬＤＩ、コネクション領域ＣＮＡ、データーリードイン領域ＤＴＬＤＩ、データー領域ＤＴＡが配置された構造になっている。
ＯＰＴ形再生専用媒体以外は全て外周部にデーターリードアウト領域ＤＴＬＤＯが配置されている。後述するようにＯＰＴ形再生専用媒体では外周部にミドル領域ＭＤＡが配置される。
システムリードイン領域ＳＹＬＤＩではエンボス（プリピット）の形で情報が記録されており、追記形および書替え形のいずれもこの領域内は再生専用（追記不可能）となっている。再生専用形情報記憶媒体ではデーターリードイン領域ＤＴＬＤＩ内もエンボス（プリピット）の形で情報が記録されているのに対し、追記形および書替え形情報記憶媒体ではデーターリードイン領域ＤＴＬＤＩ内は記録マーク形成による新規情報の追記（書替え形では書替え）が可能な領域となっている。
【００３０】
後述するように追記形および書替え形情報記憶媒体ではデーターリードアウト領域ＤＴＬＤＯ内は新規情報の追記（書替え形では書替え）が可能な領域とエンボス（プリピット）の形で情報が記録されている再生専用領域の混在になっている。
前述したように図１３に示すデーター領域ＤＴＡ、データーリードイン領域ＤＴＬＤＩ、データーリードアウト領域ＤＴＬＤＯ、ミドル領域ＭＤＡではそこに記録されている信号の再生にＰＲＭＬを使う事で情報記憶媒体の高密度化（特に線密度が向上する）を達成する（図１〔Ａ〕）と共に、システムリードイン領域ＳＹＬＤＩ、システムリードアウト領域ＳＹＬＤＯではそこに記録されている信号の再生にスライスレベル検出方式を使う事で現行ＤＶＤとの互換性を確保するとともに再生の安定化を確保している（図１〔Ｂ〕）。
【００３１】
現行ＤＶＤ規格とは異なり、図１３に示す実施例ではバーストカッティング領域ＢＣＡとシステムリードイン領域ＳＹＬＤＩとが重ならずに位置的に分離されている（図１の（Ｂ２））。両者を物理的に分離する事で情報再生時のシステムリードイン領域ＳＹＬＤＩ内に記録された情報とバーストカッティング領域ＢＣＡ内に記録された情報との間の干渉を防止し、精度の高い情報再生が確保できる。
【００３２】
また上記図１の（Ｂ２）に示した実施例に対する他の実施例として図１の（Ｂ３）に示すように“Ｌ→Ｈ”形の記録膜を使った場合にバーストカッティング領域ＢＣＡの配置場所に予め微細な凹凸形状を形成する方法もある。後で図２８における１９２バイト目に存在する記録マークの極性（Ｈ→ＬかＬ→Ｈかの識別）情報に関する説明を行う部分で、本発明実施例では従来のＨ→Ｌ形だけで無くＬ→Ｈ形記録膜も規格内に組み込み、記録膜の選択範囲を広げ、高速記録可能や低価格媒体を供給可能とする（図１（Ｇ２））と言う説明を行う。後述するように本発明実施例では“Ｌ→Ｈ”形の記録膜を使う場合も考慮する。
【００３３】
バーストカッティング領域ＢＣＡ内に記録するデーター（バーコードデーター）は記録膜に対して局所的にレーザー露光する事で形成する。図２１に示すようにシステムリードイン領域ＳＹＬＤＩはエンボスピット領域２１１で形成するため、システムリードイン領域ＳＹＬＤＩからの再生信号は鏡面２１０からの光反射レベルと比べて光反射量が減る方向に現れる。もしバーストカッティング領域ＢＣＡを鏡面２１０状態にし、Ｌ→Ｈ形記録膜を用いた場合にはバーストカッティング領域ＢＣＡ内に記録されたデーターからの再生信号は（未記録状態の）鏡面２１０からの光反射レベルよりも光反射量が増加する方向に現れる。その結果、バーストカッティング領域ＢＣＡ内に形成されたデーターからの再生信号の最大レベルと最小レベルの位置（振幅レベル）とシステムリードイン領域ＳＹＬＤＩからの再生信号の最大レベルと最小レベルの位置（振幅レベル）との間に大きく段差が生じてしまう。
【００３４】
図２１（及び図１（Ｂ４））の説明の所で後述するように情報再生装置または情報記録再生装置は次の（１）〜（５）の順で処理を行う。なお、この処理内容を図１４に示す。
“ （１） バーストカッティング領域ＢＣＡ内の情報の再生”
→“（２） システムリードイン領域ＳＹＬＤＩ内の情報データーゾーンＣＤＺ内の情報の再生”
→“（３） データーリードイン領域ＤＴＬＤＩ内の情報の再生（追記形または書替え形の場合）” 
→“（４） 参照コード記録ゾーンＲＣＺ内での再生回路定数の再調整（最適化）”
→“（５） データー領域ＤＴＡ内に記録された情報の再生もしくは新たな情報の記録”
【００３５】
このため、バーストカッティング領域ＢＣＡ内に形成されたデーターからの再生信号振幅レベルとシステムリードイン領域ＳＹＬＤＩからの再生信号振幅レベルに大きな段差が有ると情報再生の信頼性が低下すると言う問題が生じる。その問題を解決するため、この実施例としては記録膜に“Ｌ→Ｈ”形の記録膜を使用する場合にはこのバーストカッティング領域ＢＣＡに予め微細な凹凸形状を形成しておく所に特徴が有る（図１（Ｂ３））。
【００３６】
予め微細な凹凸形状を形成しておくと局所的なレーザー露光によりデーター（バーコードデーター）を記録する前の段階で光の干渉効果により光反射レベルが鏡面２１０からの光反射レベルよりも低くなり、バーストカッティング領域ＢＣＡ内に形成されたデーターからの再生信号振幅レベル（検出レベル）とシステムリードイン領域ＳＹＬＤＩからの再生信号振幅レベル（検出レベル）の段差が大きく減り、情報再生の信頼性が向上し、上記の （１） から （２） へ移行する際の処理が容易になると言う効果が生まれる。
【００３７】
“Ｌ→Ｈ”形の記録膜を使用する場合にはバーストカッティング領域ＢＣＡに予め形成する微細な凹凸形状の具体的内容としてシステムリードイン領域ＳＹＬＤＩ内と同様にエンボスピット領域２１１とする方法が有るが、他の実施例としてデーターリードイン領域ＤＴＬＤＩやデーター領域ＤＴＡと同様にグルーブ領域２１４あるいはランド領域及びグルーブ領域２１３にする方法もある。
システムリードイン領域ＳＹＬＤＩとバーストカッティング領域ＢＣＡを分離配置させる実施例（図１（Ｂ２））の説明の所に説明したように、バーストカッティング領域ＢＣＡ内とエンボスピット領域２１１が重なると不要な干渉によるバーストカッティング領域ＢＣＡ内に形成されたデーターからの再生信号へのノイズ成分が増加する。
【００３８】
バーストカッティング領域ＢＣＡ内の微細な凹凸形状の実施例としてエンボスピット領域２１１にせずにグルーブ領域２１４あるいはランド領域及びグルーブ領域２１３にすると不要な干渉によるバーストカッティング領域ＢＣＡ内に形成されたデーターからの再生信号へのノイズ成分が減少して再生信号の品質が向上する。
バーストカッティング領域ＢＣＡ内に形成するグルーブ領域２１４あるいはランド領域及びグルーブ領域２１３のトラックピッチをシステムリードイン領域ＳＹＬＤＩのトラックピッチに合わせると情報記憶媒体の製造性が向上する。すなわち情報記憶媒体の原盤製造時に原盤記録装置の露光部の送りモーター速度を一定にしてシステムリードイン領域内のエンボスピットを作成している。この時、バーストカッティング領域ＢＣＡ内に形成するグルーブ領域２１４あるいはランド領域及びグルーブ領域２１３のトラックピッチをシステムリードイン領域ＳＹＬＤＩ内のエンボスピットのトラックピッチに合わせる事でバーストカッティング領域ＢＣＡとシステムリードイン領域ＳＹＬＤＩとで引き続き送りモーター速度を一定に保持できるため、途中で送りモーターの速度を変える必要が無いのでピッチムラが生じ辛く情報記憶媒体の製造性が向上する。
【００３９】
上記３種類の情報記憶媒体いずれも情報記憶媒体へ記録する情報の最小管理単位を２０４８バイトのセクター単位としている。上記２０４８バイトのセクター単位の物理的なアドレスを物理セクター番号と定義する。追記形情報記憶媒体と１層構造を有する再生専用形情報記憶媒体における物理セクター番号の設定方法を図１５に示す。バーストカッティング領域ＢＣＡとコネクション領域ＣＮＡ内には物理セクター番号は付与せず、システムリードイン領域ＳＹＬＤＩ、データー領域ＤＴＡ、データーリードアウト領域ＤＴＬＤＯに内周から昇順で物理セクター番号を設定している。システムリードイン領域ＳＹＬＤＩの最後の物理セクター番号は“０２６ＡＦＦｈ”になるように、またデーター領域ＤＴＡの開始位置での物理セクター番号が“０３００００ｈ”になるように設定される。
【００４０】
２層構造を持った再生専用情報記憶媒体の物理セクター番号設定方法は図１６に示すように２種類存在する。一つは図１６（ａ）に示すパラレル配置（ Parallel Track Path ）ＰＴＰで、図１５に示した物理番号設定方法を２層ともに適応した構造となっている。他の方式は図１６（ｂ）に示すオポジト配置（ Opposite Track Path ）ＯＰＴで、手前の層（ Layer０ ）では内周から外周へ向けて昇順に物理セクター番号が設定され、奥側の層（ Layer１ ）では逆に外周から内周へ向けて昇順に物理セクター番号が設定される。ＯＰＴの配置の場合にはミドル領域ＭＤＡ、データーリードアウト領域ＤＴＬＤＯ、システムリードアウト領域ＳＹＬＤＯが配置される。
【００４１】
書替え形情報記憶媒体における物理セクター番号設定方法を図１７に示す。
図１７には、システムリードイン領域（System Lead-in area）、コネクション領域（Connection area）、データーリードイン領域（Data Lead-in area）、データー領域（Data area）、データーリードアウト領域（Data Lead-out area）それぞれについて、ゾーン（Zone）、半径値（Nominal radius(mm)）、トラック当たりの物理セグメント数（Number of Physical segment per track）、トラック数（Number of tracks）、ランド（Land）およびグルーブ（Groove）それぞれでの開始物理セクタ番号（Start Physical sector number（hex value)）および終了物理セクタ番号（End Physical sector number（hex value)）が表されている。
書替え形情報記憶媒体ではランド領域とグルーブ領域それぞれに物理セクター番号が設定される。また、書替え形情報記憶媒体ではデーター領域ＤＴＡが１９ゾーンに分割された構造となっている。
【００４２】
図１８に再生専用形情報記憶媒体における本実施例の各パラメーター値を、図１９に追記形情報記憶媒体における本実施例の各パラメーター値、図２０に書替え専用形情報記憶媒体における本実施例の各パラメーター値を示す。
図１８または図１９と図２０を比較（特に（Ｂ）の部分を比較）すると分かるように再生専用形または追記形情報記憶媒体に対して書替え専用形情報記憶媒体の方がトラックピッチ及び線密度（データービット長）を詰める事により記録容量を高くしている。後述するように書替え専用形情報記憶媒体ではランドグルーブ記録を採用する事で隣接トラックのクロストークの影響を低減させてトラックピッチを詰めている。
【００４３】
また、再生専用形情報記憶媒体、追記形情報記憶媒体、書替え形情報記憶媒体いずれにおいてもシステムリードイン/アウト領域ＳＹＬＤＩ/ＳＹＬＤＯのデータービット長とトラックピッチ（記録密度に対応）をデーターリードイン/アウト領域ＤＴＬＤＩ/ＤＴＬＤＯよりも大きく（記録密度を低く）している所に特徴が有る（図１（Ｂ１））。システムリードイン/アウト領域ＳＹＬＤＩ/ＳＹＬＤＯのデータービット長とトラックピッチを現行ＤＶＤのリードイン領域の値に近付けることで現行ＤＶＤとの互換性を確保している。
【００４４】
本発明実施例でも現行ＤＶＤ−Ｒと同様に追記形情報記憶媒体のシステムリードイン/アウト領域ＳＹＬＤＩ/ＳＹＬＤＯでのエンボスの段差を浅く設定している。それにより追記形情報記憶媒体のプリグルーブの深さを浅くし、プリグルーブ上に追記により形成する記録マークからの再生信号変調度を高くする効果が有る。逆にその反作用としてシステムリードイン/アウト領域ＳＹＬＤＩ/ＳＹＬＤＯからの再生信号の変調度が小さくなると言う問題が生じる。それに対してシステムリードイン/アウト領域ＳＹＬＤＩ/ＳＹＬＤＯのデータービット長（とトラックピッチ）を粗くする事で最も詰まった位置でのピットとスペースの繰り返し周波数を再生用対物レンズのＭＴＦ（ Modulation Transfer Function ）の光学的遮断周波数から離す（大幅に小さくする）事でシステムリードイン/アウト領域ＳＹＬＤＩ/ＳＹＬＤＯからの再生信号振幅を引き上げ、再生の安定化を図る事が出来る。
【００４５】
各種情報記憶媒体におけるシステムリードインＳＹＬＤＩとデーターリードインＤＴＬＤＩ内の詳細なデーター構造比較を図２１に示す。図２１（ａ）は再生専用形情報記憶媒体のデータ構造、図２１（ｂ）は書替え形情報記憶媒体のデーター構造を示し、図２１（ｃ）は追記形情報記憶媒体のデーター構造を示す。
【００４６】
図２１（ａ）に示すようにコネクションゾーンＣＮＺのみ鏡面２１０となっている以外は再生専用形情報記憶媒体ではシステムリードイン領域ＳＹＬＤＩとデーターリードイン領域ＤＴＬＤＩ、データー領域ＤＴＡ内は全てエンボスピットが形成されたエンボスピット領域２１１となっている。またシステムリードイン領域ＳＹＬＤＩ内はエンボスピット領域２１１となっており、コネクションゾーンＣＮＺが鏡面２１０になっている部分は共通しているが、図２１（ｂ）に示すように書替え形情報記憶媒体ではデーターリードイン領域ＤＴＬＤＩとデーター領域ＤＴＡ内はランド領域とグルーブ領域２１３が形成されており、追記形情報記憶媒体ではデーターリードイン領域ＤＴＬＤＩとデーター領域ＤＴＡ内はグルーブ領域２１４が形成されている。このランド領域とグルーブ領域２１３またはグルーブ領域２１４内に記録マークを形成する事で情報を記録する。
【００４７】
イニシャルゾーンＩＮＺはシステムリードインＳＹＬＤＩの開始位置を示している。イニシャルゾーンＩＮＺ内に記録されている意味を持った情報としては前述した物理セクター番号または論理セクター番号の情報を含むデーターＩＤ（ Identification Data ）情報が離散的に配置されている。１個の物理セクター内には後述するようにデーターＩＤ、ＩＥＤ（ ID Error Detection code ）、ユーザー情報を記録するメインデーター、ＥＤＣ（ Error Detection Code ）から構成されるデーターフレーム構造の情報が記録されるが、イニシャルゾーンＩＮＺ内にも上記のデーターフレーム構造の情報が記録される。しかしイニシャルゾーンＩＮＺ内ではユーザー情報を記録するメインデーターの情報を全て“００ｈ”に設定するため、イニシャルゾーンＩＮＺ内での意味の有る情報は前述したデーターＩＤ情報のみとなる。この中に記録されている物理セクター番号または論理セクター番号の情報から現在位置を知る事ができる。すなわち図５の情報記録再生部１４１で情報記憶媒体からの情報再生を開始する時にイニシャルゾーンＩＮＺ内の情報から再生開始した場合には、まずデーターＩＤ情報の中に記録されている物理セクター番号または論理セクター番号の情報を抽出して情報記憶媒体内の現在位置を確認しつつ制御データーゾーンＣＤＺへ移動する。
【００４８】
バッファーゾーン１及び２ＢＦＺ１、ＢＦＺ２はそれぞれ３２ＥＣＣブロックから構成されている。図１８〜図２０に示すように１ＥＣＣブロックはそれぞれ３２物理セクターから構成されているので３２ＥＣＣブロックは１０２４物理セクター分に相当する。バッファーゾーン１及び２ＢＦＺ１、ＢＦＺ２内もイニシャルゾーンＩＮＺと同様にメインデーターの情報を全て“００ｈ”に設定している。
コネクション領域（ Connection Area ）ＣＮＡ 内に存在するコネクションゾーンＣＮＺはシステムリードイン領域ＳＹＬＤＩとデーターリードイン領域ＤＴＬＤＩを物理的に分離するための領域で、この領域はいかなるエンボスピットやプリブルーブも存在しないミラー面になっている。
【００４９】
再生専用形情報記憶媒体と追記形情報記憶媒体の参照コード記録ゾーン（ Referencd code zone ）ＲＣＺは再生装置の再生回路調整用（例えば図９のタップ制御器内で行われる適応等化時の各タップ係数値の自動調整用）に用いられる領域で、前述したデーターフレーム構造の情報が記録されている。参照コードの長さは１ＥＣＣブロック（＝３２セクター）になっている。再生専用形情報記憶媒体と追記形情報記憶媒体の参照コード記録ゾーン（ Referencd code zone ）ＲＣＺをデーター領域（ Data Area ）ＤＴＡの隣りに配置する所に本実施例の特徴が有る（図１（Ａ２））。
【００５０】
現行 ＤＶＤ-ＲＯＭ ディスク及び現行 ＤＶＤ-Ｒ ディスクいずれの構造において参照コード記録ゾーン（ Referencd code zone ）とデーター領域（ Data Area ）との間に制御データーゾーンが配置されており、参照コード記録ゾーンとデーター領域との間が離れている。参照コード記録ゾーンとデーター領域との間が離れていると情報記憶媒体の傾き量や光反射率あるいは（追記形情報記憶媒体の場合には）記録膜の記録感度が若干変化し、参照コード記録ゾーンの所で再生装置の回路定数を調整してもデーター領域での最適な回路定数がずれてしまうと言う問題が発生する。
上記問題を解決するために参照コード記録ゾーン（ Referencd code zone ）ＲＣＺをデーター領域（ Data Area ）ＤＴＡに隣接配置すると、参照コード記録ゾーン（ Referencd code zone ）ＲＣＺ内で情報再生装置の回路定数を最適化した場合に隣接するデーター領域（ Data Area ）ＤＴＡ内でも同じ回路定数で最適化状態が保持される。
【００５１】
データー領域（ Data Area ）ＤＴＡ内の任意の場所で精度良く信号再生したい場合には、次の（１）〜（４）のステップを経る事で非常に精度良く目的位置での信号再生が可能となる。
“（１） 参照コード記録ゾーン（ Referencd code zone ）ＲＣＺ内で情報再生装置の回路定数を最適化する”→“（２） データー領域ＤＴＡ内の参照コード記録ゾーンＲＣＺに最も近い部分を再生しながら情報再生装置の回路定数を再度最適化する”→“（３） データー領域ＤＴＡ内の目的位置と （２） で最適化した位置との中間位置で情報再生しながら回路定数を再々度最適化する”→“（４） 目的位置に移動して信号再生する” 
【００５２】
追記形情報記憶媒体と書替え形情報記憶媒体内に存在するガードトラックゾーン１、２（ Guard track zone ）ＧＴＺ１、ＧＴＺ２はデーターリードイン領域ＤＴＬＤＩの開始境界位置とディスクテストゾーンＤＫＴＺ、ドライブテストゾーンＤＲＴＺの境界位置を規定するための領域で、この領域には記録マーク形成による記録をしてはいけない領域として規定される。ガードトラックゾーン１、２ ＧＴＺ１、ＧＴＺ２はデーターリードイン領域ＤＴＬＤＩ内に存在するため、この領域内には追記形情報記憶媒体ではプリグルーブ領域、また書替え形情報記憶媒体ではグルーブ領域とランド領域は事前に形成されている。プリグルーブ領域、あるいはグルーブ領域、ランド領域内は図１８〜図２０に示すようにウォブルアドレスが予め記録されているので、このウォブルアドレスを用いて情報記憶媒体内の現在位置を判定する。
【００５３】
ディスクテストゾーンＤＫＴＺは情報記憶媒体の製造メーカーが品質テスト（評価）を行うために設けられた領域である。
またドライブテストゾーンＤＲＴＺは情報記録再生装置が情報記憶媒体への情報を記録する前に試し書きするための領域として確保されている。情報記録再生装置は予めこの領域内で試し書きを行い、最適な記録条件（ライトストラテジ）を割り出した後、その最適記録条件でデーター領域ＤＴＡ内に情報を記録する事が出来る。
【００５４】
書替え形情報記憶媒体（図２１（ｂ））内に有るディスク識別ゾーンＤＩＺ内の情報はオプショナル情報記録領域で記録再生装置の製造メーカー名情報とそれに関する付加情報及びその製造メーカーが独自に記録可能な領域から構成されるドライブ記述子（ Drive description ）を１組みとして１組み毎に追記可能な領域となっている。
また書替え形情報記憶媒体（図２１（ｂ））内に有る欠陥管理領域１、２ ＤＭＡ１，２はデーター領域ＤＴＡ内の欠陥管理情報が記録される場所で、例えば欠陥個所が発生した時の代替え箇所情報などが記録されている。
【００５５】
追記形情報記憶媒体（図２１（ｃ））内に有る記録位置管理ゾーンＲＭＺ内のデーター構造を図２２に示す。図２２（ａ）は図２１（ｃ）と同じ物を示し、図２１（ｃ）内の記録位置管理ゾーンＲＭＺの拡大図が図２２（ｂ）に示されている。
記録位置管理ゾーンＲＭＺの中は記録位置管理に関するデーターが１個の記録位置管理データー（ Recording Management Data ）ＲＭＤの中にまとめて記録され、記録位置管理データーＲＭＤの中身が更新される毎に新たな記録位置管理データーＲＭＤとして順次後ろ側に追記される。すなわち記録位置管理データー（ Recording Management Data ）ＲＭＤは１物理セグメントブロック（物理セグメントブロックに付いては後述する）のサイズ単位で記録され、データー内容が更新される毎に新たな記録位置管理データーＲＭＤとして順次後ろに追記されて行く。
図２２（ｂ）の例では始めに記録位置管理データーＲＭＤ＃１が記録されていた所、管理データーに変更が生じたので変更後（アップデート後）のデーターを記録位置管理データーＲＭＤ＃２として記録位置管理データーＲＭＤ＃１の直後に記録した例を示している。
従って記録位置管理ゾーンＲＭＺ内では更に追記可能なように未記録領域２０６が存在している。記録位置管理データーＲＭＤ内の具体的な情報内容について図３０〜図３２を用いて後述する。また図２１（ｃ）に示したＲ物理情報ゾーンＲＩＺの情報内容についても図２７〜２９の説明の所で後ほど詳細に説明する。
【００５６】
図２１に示すように再生専用形、追記形、書替え形いずれの情報記憶媒体においてシステムリードイン領域がデーターリードイン領域を挟んでデーター領域の反対側に配置され（図１（Ｂ４））、更に図１３に示すようにシステムリードイン領域ＳＹＬＤＩを挟んでバーストカッティング領域ＢＣＡとデーターリードイン領域ＤＴＬＤＩが互いに反対側に配置されている所に本実施例の特徴が有る。
【００５７】
情報記憶媒体を図５に示した情報再生装置または情報記録再生装置に挿入すると、情報再生装置または情報記録再生装置は次の（１）〜（５）の順で処理を行う。なお、この処理内容は記述の図１４で表される。
“ （１） バーストカッティング領域ＢＣＡ内の情報の再生”
→“ （２） システムリードイン領域ＳＹＬＤＩ内の情報データーゾーンＣＤＺ内の情報の再生”
→“ （３） データーリードイン領域ＤＴＬＤＩ内の情報の再生（追記形または書替え形の場合）” 
→“ （４） 参照コード記録ゾーンＲＣＺ内での再生回路定数の再調整（最適化）”
→“ （５） データー領域ＤＴＡ内に記録された情報の再生もしくは新たな情報の記録”
【００５８】
図２１に示すように上記処理の順に沿って情報が内周側から順に配置されているため、不要な内周へのアクセス処理が不要となり、アクセス回数を少なくしてデーター領域ＤＴＡへ到達できるため、データー領域ＤＴＡ内に記録された情報の再生もしくは新たな情報の記録の開始時間を早める効果が有る。またシステムリードイン領域ＳＹＬＤＩでの信号再生にスライスレベル検出方式を利用し（図１〔Ｂ〕）、データーリードイン領域ＤＴＬＤＩとデーター領域ＤＴＡでは信号再生にＰＲＭＬを用いる（図１〔Ａ〕）ので、データーリードイン領域ＤＴＬＤＩとデーター領域ＤＴＡを隣接させると、内周側から順に再生した場合、システムリードイン領域ＳＹＬＤＩとデーターリードイン領域ＤＴＬＤＩの間で１回だけスライスレベル検出回路からＰＲＭＬ検出回路に切り替えるだけで連続して安定に信号再生が可能となる。そのため再生手順に沿った再生回路切り替え回数が少ないので処理制御が簡単になりデーター領域内再生開始時間が早くなる。
【００５９】
各種情報記憶媒体におけるデーター領域ＤＴＡとデーターリードアウト領域ＤＴＬＤＯ内のデーター構造の比較を図２３に示す。図２３において図２３（ａ）が再生専用形情報記憶媒体のデーター構造を表し、図２３（ｂ）と（ｃ）が書替え形情報記憶媒体のデーター構造、図２３（ｄ）〜（ｆ）が追記形情報記憶媒体のデーター構造を示している。特に図２３（ｂ）と（ｄ）が初期時（記録前）の構造を示し、図２３（ｃ）と（ｅ）（ｆ）は記録（追記または書替え）が有る程度進んだ状態でのデーター構造を示している。
【００６０】
図２３（ａ）に示すように再生専用形情報記憶媒体においてデーターリードアウト領域ＤＴＬＤＯとシステムリードアウト領域ＳＹＬＤＯ内に記録されているデーターは図２１のバッファーゾーン１，２ ＢＦＺ１、２と同様にデーターフレーム構造（データーフレーム構造に付いては後述）を持ち、その中のメインデーターの値を全て“００ｈ”に設定して有る。また再生専用形情報記憶媒体ではデーター領域ＤＴＡ内の全領域に亘りユーザーデーターの事前記録領域２０１として使用できるが、後述するように追記形情報記憶媒体と書替え形情報記憶媒体のいずれの実施例でもユーザーデーターの書替え／追記可能範囲２０２〜２０５がデーター領域ＤＴＡよりも狭くなっている。
【００６１】
追記形情報記憶媒体あるいは書替え形情報記憶媒体ではデーター領域ＤＴＡの最内周部に代替え領域（ Spare Area ）ＳＰＡが設けて有る。データー領域ＤＴＡ内に欠陥場所が発生した場合に前記代替え領域ＳＰＡを使って代替え処理を行い、書替え形情報記憶媒体の場合にはその代替え履歴情報（欠陥管理情報）を図２１（ｂ）の欠陥管理領域１，２ ＤＭＡ１，２及び図２３（ｂ）（ｃ）の欠陥管理領域３、４ ＤＭＡ３、４に記録する。図２３（ｂ）（ｃ）の欠陥管理領域３、４ ＤＭＡ３、４に記録される欠陥管理情報は図２１（ｂ）の欠陥管理領域１，２ ＤＭＡ１，２に記録される情報と同じ内容が記録される。
【００６２】
また、追記形情報記憶媒体の場合には代替え処理を行った場合の代替え履歴情報（欠陥管理情報）は図２１（ｃ）に示したデーターリードイン領域ＤＴＬＤＩ内及び後述するボーダーゾーン内に存在する記録位置管理ゾーンへの記録内容のコピー情報Ｃ_ＲＭＺ内に記録される。現行のＤＶＤ-Ｒディスクでは欠陥管理を行わなかったが、ＤＶＤ-Ｒディスクの製造枚数の増加に連れて一部に欠陥場所を持つＤＶＤ-Ｒディスクが出廻るようになり、追記形情報記憶媒体に記録する情報の信頼性向上を望む声が大きくなっている。
図２３に示す実施例では追記形情報記憶媒体に対しても代替え領域ＳＰＡを設定し、代替え処理による欠陥管理を可能としている（図１〔Ｃ〕）。それにより一部に欠陥場所を持つ追記形情報記憶媒体に対しても欠陥管理処理を行うことで記録する情報の信頼性を向上させる事が可能となる。書替え形情報記憶媒体あるいは追記形情報記憶媒体では欠陥が多く発生した場合にユーザーサイドで情報記録再生装置が判断して図２３（ｂ）、（ｄ）に示すユーザーへの販売直後の状態に対して自動的に拡張代替え領域（ Extended Spare Area ）ＥＳＰＡ、ＥＳＰＡ１、ＥＳＰＡ２を設定し、代替え場所を広げられるようにして有る。
このように拡張代替え領域ＥＳＰＡ、ＥＳＰＡ１、ＥＳＰＡ２を設定可能にする事で製造上の都合で欠陥の多い媒体も販売可能となり、その結果媒体の製造歩留まりが向上して媒体の低価格化が可能となる。
【００６３】
図２３（ｃ）や（ｅ）、（ｆ）に示すようにデーター領域ＤＴＡ内に拡張代替え領域ＥＳＰＡ、ＥＳＰＡ１、ＥＳＰＡ２を増設するとユーザーデーターの書替えあるいは追記可能範囲２０３、２０５が減少するので、その位置情報を管理する必要が有る。書替え形情報記憶媒体ではその情報は欠陥管理領域１〜４ ＤＭＡ１〜４と後述するように制御データーゾーンＣＤＺ内に記録される。また追記形情報記憶媒体の場合には後述するようにデーターリードイン領域ＤＴＬＤＩ内及びボーダーアウトＢＲＤＯ内に存在する記録位置管理ゾーンＲＭＺ内に記録される。
後述するように記録位置管理ゾーンＲＭＺ内の記録位置管理データー（ Recording Management Data ）ＲＭＤに記録される。記録位置管理データーＲＭＤは管理データー内容が更新される毎に記録位置管理ゾーンＲＭＺ内でアップデート追記されるので、拡張代替え領域を何度設定し直しても（図２３（ｅ）の実施例では最初に拡張代替え領域１ＥＡＰＡ１を設定し、その拡張代替え領域１ＥＡＰＡ１を全て使い果たした後でも欠陥が多くて更なる代替え領域設定が必要になったので、後日更に拡張代替え領域２ＥＳＰＡ２を設定した状態を示している）タイムリーにアップデートして管理する事が可能となる（図２３（Ｃ１））。
【００６４】
図２３（ｂ）、（ｃ）に示すガードトラックゾーン３ＧＴＺ３は欠陥管理領域４ＤＭＡ４とドライブテストゾーンＤＲＴＺ間の分離のために配置され、ガードトラックゾーンＧＴＺ４はディスクテストゾーンＤＫＴＺとサーボキャリブレーション領域（ Servo Calibration Zone ）ＳＣＺとの間の分離のために配置されている。ガードトラックゾーン３、４ＧＴＺ３、４は図２１に示したガードトラックゾーン１、２ＧＴＺ１、２と同様、この領域には記録マーク形成による記録をしてはいけない領域として規定される。ガードトラックゾーン３、４ ＧＴＺ３、ＧＴＺ４はデーターリードアウト領域ＤＴＬＤＯ内に存在するため、この領域内には追記形情報記憶媒体ではプリグルーブ領域、また書替え形情報記憶媒体ではグルーブ領域とランド領域は事前に形成されている。プリグルーブ領域、あるいはグルーブ領域、ランド領域内は図１８〜図２０に示すようにウォブルアドレスが予め記録されているので、このウォブルアドレスを用いて情報記憶媒体内の現在位置を判定する。
【００６５】
ドライブテストゾーンＤＲＴＺは図２１と同様、情報記録再生装置が情報記憶媒体への情報を記録する前に試し書きするための領域として確保されている。情報記録再生装置は予めこの領域内で試し書きを行い、最適な記録条件（ライトストラテジ）を割り出した後、その最適記録条件でデーター領域ＤＴＡ内に情報を記録する事が出来る。
またディスクテストゾーンＤＫＴＺは図２１と同様、情報記憶媒体の製造メーカーが品質テスト（評価）を行うために設けられた領域である。
【００６６】
サーボキャリブレーション領域（ Servo Calibration Zone ）ＳＣＺ以外のデーターリードアウト領域ＤＴＬＤＯ内の全領域には追記形情報記憶媒体ではプリグルーブ領域、また書替え形情報記憶媒体ではグルーブ領域とランド領域は事前に形成され、記録マークの記録（追記または書替え）が可能になっている。
図２３（ｃ）と（ｅ）に示したようにサーボキャリブレーション領域（ Servo Calibration Zone ）ＳＣＺ内はプリグルーブ領域２１４、またはランド領域及びグルーブ領域２１３の代わりにシステムリードイン領域ＳＹＬＤＩと同じようにエンボスピット領域２１１となっている（図１〔Ｄ〕）。この領域はデーターリードアウト領域ＤＴＬＤＯの他の領域に続いてエンボスピットによる連続したトラックを形成し、このトラックはスパイラル状に連続してつながり情報記憶媒体の円周に沿って３６０度に亘りエンボスピットを形成している。
【００６７】
この領域はＤＰＤ（ Deferencial Phase Detect ）法を用いて情報記憶媒体の傾き量を検出するために設けて有る。情報記憶媒体が傾くとＤＰＤ法を用いたトラックずれ検出信号振幅にオフセットが生じ、オフセット量で傾き量が、オフセット方向で傾き方向が精度良く検出する事が可能となる。この原理を利用し、情報記憶媒体の最外周部（データーリードアウト領域ＤＴＬＤＯ内の外周部）にＤＰＤ検出が出来るエンボスピットを事前に形成しておく事で図５の情報記録再生部１４１内に存在する光学ヘッドに（傾き検出用の）特別な部品を付加する事無く安価に精度の良い傾き検出が可能となる。さらにこの外周部の傾き量を検出する事でデーター領域ＤＴＡ内でも（傾き量補正による）サーボの安定化を実現できる。
【００６８】
本実施例ではこのサーボキャリブレーション領域ＳＣＺ内のトラックピッチをデーターリードアウト領域ＤＴＬＤＯ内の他の領域に合わせ（図１（Ｄ１））、情報記憶媒体の製造性を向上させ、歩留まり向上による媒体の低価格化を可能にする。すなわち追記形情報記憶媒体においてデーターリードアウト領域ＤＴＬＤＯ内の他の領域にはプリグルーブが形成されているが、追記形情報記憶媒体の原盤製造時に原盤記録装置の露光部の送りモーター速度を一定にしてプリグルーブを作成している。この時、サーボキャリブレーション領域ＳＣＺ内のトラックピッチをデーターリードアウト領域ＤＴＬＤＯ内の他の領域に合わせる事でサーボキャリブレーション領域ＳＣＺ内も引き続き送りモーター速度を一定に保持できるため、ピッチムラが生じ辛く情報記憶媒体の製造性が向上する。
【００６９】
他の実施例としてはサーボキャリブレーション領域ＳＣＺ内のトラックピッチまたはデータービット長の少なくともいずれかをシステムリードイン領域ＳＹＬＤＩのトラックピッチまたはデータービット長に合わせる方法（図１（Ｄ２））も有る。
ＤＰＤ法を用いてサーボキャリブレーション領域ＳＣＺ内の傾き量とその傾き方向を測定し、その結果をデーター領域ＤＴＡ内でも利用してデーター領域ＤＴＡ内でのサーボ安定化を図る事を前述したが、データー領域ＤＴＡ内の傾き量を予想する方法としてシステムリードイン領域ＳＹＬＤＩ内の傾き量とその方向を同じくＤＰＤ法により予め測定し、サーボキャリブレーション領域ＳＣＺ内の測定結果との関係を利用して予測する事ができる。
【００７０】
ＤＰＤ法を用いた場合、情報記憶媒体の傾きに対する検出信号振幅のオフセット量とオフセットが出る方向がエンボスピットのトラックピッチとデータビット長に依存して変化する。従ってサーボキャリブレーション領域ＳＣＺ内のトラックピッチまたはデータービット長の少なくともいずれかをシステムリードイン領域ＳＹＬＤＩのトラックピッチまたはデータービット長に合わせる事で検出信号振幅のオフセット量とオフセットが出る方向に関する検出特性をサーボキャリブレーション領域ＳＣＺ内とシステムリードイン領域ＳＹＬＤＩ内とで一致させ、両者の相関を取り易くしてデーター領域ＤＴＡ内の傾き量と方向の予測を容易にすると言う効果が生じる。
【００７１】
図２１（ｃ）と図２３（ｄ）に示すように追記形情報記憶媒体では内周側と外周側の２箇所にドライブテストゾーンＤＲＴＺを設けて有る。ドライブテストゾーンＤＲＴＺに行う試し書きの回数が多い程、細かくパラメーターを振って最適な記録条件を詳細に探すことが出来てデーター領域ＤＴＡへの記録精度が向上する。書替え形情報記憶媒体では重ね書きによるドライブテストゾーンＤＲＴＺ内の再利用が可能となるが、追記形情報記憶媒体では試し書きの回数を多くして記録精度を上げようとするとドライブテストゾーンＤＲＴＺ内をすぐに使い切ってしまうと言う問題が発生する。その問題を解決するために本実施例では外周部から内周方向に沿って逐次拡張ドライブテストゾーン（ Extended Drive Test Zone ）ＥＤＲＴＺの設定を可能とし、ドライブテストゾーンの拡張を可能とする所に特徴が有る（図１（Ｅ２））。
【００７２】
拡張ドライブテストゾーンの設定方法とその設定された拡張ドライブテストゾーン内での試し書き方法に関する特徴として本実施例では以下１〜３を挙げることができる。
１．拡張ドライブテストゾーンＥＤＲＴＺの設定（枠取り）は外周方向（データーリードアウト領域ＤＴＬＤＯに近い方）から内周側にむけて順次まとめて設定する
…  図２３（ｅ）に示すようにデーター領域内の最も外周に近い場所（データーリードアウト領域ＤＴＬＤＯに最も近い場所）からまとまった領域として拡張ドライブテストゾーン１ＥＤＲＴＺ１を設定し、その拡張ドライブテストゾーン１ＥＤＲＴＺ１を使い切った後で、それより内周側に存在するまとまった領域として拡張ドライブテストゾーン２ＥＤＲＴＺ２を次ぎに設定可能とする。
【００７３】
２．拡張ドライブテストゾーンＥＤＲＴＺの中では内周側から順次試し書きを行う（図１（Ｅ３））
…  拡張ドライブテストゾーンＥＤＲＴＺの中で試し書きを行う場合には内周側から外周側に沿ってスパイラル状に配置されたグルーブ領域２１４に沿って行い、前回試し書きをした（既に記録された）場所のすぐ後ろの未記録場所に今回の試し書きを行う。
データー領域内は内周側から外周側に沿ってスパイラル状に配置されたグルーブ領域２１４に沿って追記される構造となっており、拡張ドライブテストゾーン内での試し書きが直前に行われた試し書き場所の後ろに順次追記する方法で行う事により“直前に行われた試し書き場所の確認”→“今回の試し書きの実施”の処理がシリアルに行えるため、試し書き処理が容易となるばかりでなく、拡張ドライブテストゾーンＥＤＲＴＺ内での既に試し書きされた場所の管理が簡単になる。
【００７４】
３．拡張ドライブテストゾーンＥＤＲＴＺも含めた形でデーターリードアウト領域ＤＴＬＤＯの再設定可能（図１（Ｅ４））
…  図２３（ｅ）にデーター領域ＤＴＡ内に２箇所拡張代替え領域１、２ ＥＳＰＡ１、２ を設定し、２箇所拡張ドライブテストゾーン１、２ ＥＤＲＴＺ１、２ を設定した例を示す。この場合に本実施例では図２３（ｆ）に示すように拡張ドライブテストゾーン２ ＥＤＲＴＺ２ までを含めた領域に対してデーターリードアウト領域ＤＴＬＯとして再設定出来る所に特徴が有る（図１（Ｅ４））。これに連動して範囲を狭めた形でデーター領域ＤＴＡの範囲の再設定を行うことになり、データー領域ＤＴＡ内に存在するユーザーデーターの追記可能範囲２０５の管理が容易になる。
【００７５】
図２３（ｆ）のように再設定した場合には図２３（ｅ）に示した拡張代替え領域１ ＥＳＰＡ１ の設定場所を“既に使い切った拡張代替え領域”と見なし、拡張ドライブテストゾーンＥＤＲＴＺ内の拡張代替え領域２ＥＳＰＡ２ 内のみに未記録領域（追記の試し書きが可能な領域）が存在すると管理する。この場合、拡張代替え領域１ ＥＳＰＡ１内に記録され、代替えに使われた非欠陥の情報はそっくりそのまま拡張代替え領域２ ＥＳＰＡ２内の未代替え領域の場所に移され、欠陥管理情報が書き替えられる。この時再設定されたデーターリードアウト領域ＤＴＬＤＯの開始位置情報は図３０に示すように記録位置管理データーＲＭＤ内のＲＭＤフィールド０の最新の（更新された）データー領域ＤＴＡの配置位置情報内に記録される。
【００７６】
上記ドライブテストゾーンに試し書きを行う記録パルスの波形（ライトストラテジ）を図２４に示し、記録パルス形状の定義を図２５に示す。
図２６で追記形情報記憶媒体におけるボーダー領域の構造について説明する。追記形情報記憶媒体に初めて１個のボーダー領域を設定した時は図２６（ａ）に示すように内周側（データーリードイン領域ＤＴＬＤＩに最も近い側）にボーダー内領域（ Bordered Area ）ＢＲＤＡ ＃１ を設定後、その後ろにボーダーアウト（ Border-out ）ＢＲＤＯを形成する。
【００７７】
更にその次のボーダー内領域（ Bordered Area ）ＢＲＤＡ ＃２ を設定したい場合には、図２６（ｂ）に示すように前の（＃１の）ボーダーアウトＢＲＤＯの後ろに次の（＃１の）ボーダーイン（ Border-in ）ＢＲＤＩを形成した後に次のボーダー内領域ＢＲＤＡ ＃２ を設定し、次のボーダー内領域ＢＲＤＡ ＃２ をクローズしたい場合にはその直後に（＃２）のボーダーアウトＢＲＤＯを形成する。本実施例ではこの前の（＃１の）ボーダーアウトＢＲＤＯの後ろに次の（＃１の）ボーダーイン（ Border-in ）ＢＲＤＩを形成して組みにした状態をボーダーゾーン（ Border Zone ）ＢＲＤＺと呼んでいる。また図２６（ｂ）ではデーター領域ＤＴＡ内に拡張ドライブテストゾーンＥＤＲＴＺを設定した例を示している。
【００７８】
追記形情報記憶媒体をファイナライズ（ Finalization ）した後の状態を図２６（ｃ）に示す。図２６（ｃ）の例では拡張ドライブテストゾーンＥＤＲＴＺをデーターリードアウト領域ＤＴＬＤＯ内に組み込み、更に拡張代替え領域ＥＳＰＡも設定済みの例を示して有る。この場合にはユーザーデーターの追加可能範囲２０５を残さないように最後のボーダーアウトＢＲＤＯで埋める。
【００７９】
上記説明したボーダーゾーンＢＲＤＺ内の詳細なデーター構造を図２６（ｄ）に示す。各情報は後述する１物理セグメントブロック（フィジカルセグメントブロック：Physical Segment Block ）のサイズ単位で記録される。
ボーダーアウトＢＲＤＯ内の最初には記録位置管理ゾーンへ記録された内容のコピー情報Ｃ_ＲＭＺが記録され、ボーダーアウトＢＲＤＯで有る事を示すボーダー終了用目印（ Stop Block ）ＳＴＢが記録される。
さらに次のボーダーインＢＲＤＩが来る場合にはこのボーダー終了用目印（ Stop Block ）ＳＴＢが記録された物理セグメントブロックから数えて“Ｎ１番目”の物理セグメントブロックに次ぎにボーダー領域が来る事を示す最初の目印（ Next Border Marker ）ＮＢＭが、そして“Ｎ２番目”の物理セグメントブロックに次ぎにボーダー領域が来る事を示す２番目の目印ＮＢＭ、“Ｎ３番目”の物理セグメントブロックに次ぎにボーダー領域が来る事を示す３番目の目印ＮＢＭがそれぞれ１物理セグメントブロックのサイズ毎に離散的に合計３箇所に記録される。
次のボーダーインＢＲＤＩ内にはアップデートされた物理フォーマット情報（ Updated Physical Format Information ）Ｕ_ＰＦＩが記録される。
【００８０】
現行の ＤＶＤ−Ｒ または ＤＶＤ−ＲＷ ディスクでは次のボーダー領域が来ない場合には（最後のボーダーアウトＢＲＤＯ内では）、図２６（ｄ）に示した“次のボーダーを示す目印ＮＢＭ”を記録すべき場所（１物理セグメントブロックサイズの場所）は“全くデーターを記録しない場所”のまま保持される。この状態でボーダークローズされると、この追記形情報記憶媒体（現行の ＤＶＤ−Ｒ または ＤＶＤ−ＲＷ ディスク）は従来のＤＶＤ-ＲＯＭドライブまたは従来のＤＶＤプレーヤーでの再生が可能な状態となる。従来のＤＶＤ-ＲＯＭドライブまたは従来のＤＶＤプレーヤーではこの追記形情報記憶媒体（現行の ＤＶＤ−Ｒ または ＤＶＤ−ＲＷ ディスク）上に記録された記録マークを利用してＤＰＤ（ Differencial Phase Detect ）法を用いたトラックずれ検出を行う。しかし上記の“全くデーターを記録しない場所”では１物理セグメントブロックサイズにも亘って記録マークが存在しないので、ＤＰＤ（ Differencial Phase Detect ）法を用いたトラックずれ検出が行えないので安定にトラックサーボが掛からないと言う問題が有る。
【００８１】
上記の現行の ＤＶＤ−Ｒ または ＤＶＤ−ＲＷ ディスクの問題点の対策として本実施例では以下［１］〜［５］を挙げることができる。
［１］次のボーダー領域が来ない場合には“次のボーダーを示す目印ＮＢＭを記録すべき場所”には予め特定パターンのデーターを記録しておく
【００８２】
［２］次のボーダー領域が来る場合には上記予め特定パターンのデーターが記録されている“次のボーダーを示す目印ＮＢＭ”の場所には部分的かつ離散的に特定の記録パターンで『重ね書き処理』を行う事で“次のボーダー領域が来る事”を示す識別情報として利用すると言う方法を新規に採用している。このように重ね書きにより次のボーダーを示す目印を設定する（図４〔Ｌ〕）事で、［１］に示すように次のボーダー領域が来ない場合でも“次のボーダーを示す目印ＮＢＭを記録すべき場所”には予め特定パターンの記録マークが形成でき、ボーダークローズ後に再生専用の情報再生装置でＤＰＤ法によりトラックずれ検出を行っても安定にトラックサーボが掛かると言う効果が生まれる。追記形情報記憶媒体において既に記録マークが形成されている部分に対して部分的にでもその上に新たな記録マークを重ね書きすると情報記録再生装置または情報再生装置において図５に示したＰＬＬ回路の安定化が損なわれる危惧が有る。
【００８３】
その危惧対策として本実施例では更に［３］〜［５］の方法を採用している。
［３］１物理セグメントブロックサイズの“次のボーダーを示す目印ＮＢＭ”の位置に重ね書きする時に同一データーセグメント内の場所により重ね書き状況を変化させる（図４（Ｌ１））
［４］シンクデーター４３２内に部分的に重ね書きを行い、シンクコード４３１上での重ね書きを禁止する（図４（Ｌ２））
［５］データーＩＤとＩＥＤを除いた場所に重ね書きする
【００８４】
図６５を用いて後で詳細に説明するように、ユーザーデーターを記録するデーターフィールド４１１〜４１８とガード領域４４１〜４４８が交互に情報記憶媒体上に記録される。またデーターフィールド４１１〜４１８とガード領域４４１〜４４８を組み合わせた組をデーターセグメント４９０と呼び、１個のデーターセグメント長は１個の物理セグメントブロック長に一致する。
図５に示したＰＬＬ回路は図６５に示したＶＦＯ領域４７１、４７２内で特にＰＬＬの引き込みがし易くなっている。従ってＶＦＯ領域４７１、４７２の直前ならばＰＬＬが外れてもＶＦＯ領域４７１、４７２を用いてＰＬＬの再引き込みが容易に行われるので情報記録再生装置または情報再生装置内でのシステム全体としての影響は軽減される。
【００８５】
この状況を利用し上記のように［３］データーセグメント内の場所により重ね書き状況を変化させ（図４（Ｌ１））、同一データーセグメント内のＶＦＯ領域４７１、４７２に近い後ろの部分で特定パターンの重ね書き量を増やす事で“次のボーダーを示す目印”の判別を容易にすると共に再生時の信号ＰＬＬの精度劣化を防止できる。
【００８６】
また図６５と図４０を用いて詳細に説明するように１個の物理セクター内はシンクコード４３３（ＳＹ０〜ＳＹ３）が配置されている場所と、そのシンクコード４３３の間に配置されたシンクデーター４３４の組み合わせで構成されている。情報記録再生装置あるいは情報再生装置は情報記憶媒体上に記録されているチャネルビット列の中からシンクコード４３３（ＳＹ０〜ＳＹ３）を抽出し、チャネルビット列の切れ目を検出している。また後述するように図３５内のデーターＩＤの情報から情報記憶媒体上に記録されているデーターの位置情報（物理セクター番号または論理セクター番号）を抽出している。またその直後に配置されたＩＥＤを用いてデーターＩＤのエラーを検知している。
【００８７】
従って本実施例では［５］データーＩＤとＩＥＤ上での重ね書きを禁止するとともに［４］シンクコード４３１を除いたシンクデーター４３２内に部分的に重ね書きを行う（図４（Ｌ２））事で“次のボーダーを示す目印ＮＢＭ”内でもシンクコード４３１を用いたデーターＩＤ位置の検出とデーターＩＤに記録された情報の再生（内容判読）を可能にしている。
【００８８】
上記内容を具体的に説明するために次のボーダーを示す目印ＮＢＭ”の場所に重ね書きを行う時のフローチャートを図１２に示す。図５に示した情報記録再生装置の制御部１４３がインターフェース部１４２を介して新たなボーダーの設定指示を受ける（ＳＴ１）と、制御部１４３は情報記録再生部１４１を制御して既存の最後に配置されたボーダー内領域ＢＲＤＡ内の再生を開始（ＳＴ２）し、情報記録再生部１４１はボーダーアウトＢＲＤＯ内のボーダー終了用目印ＳＴＢを検出するまで（ＳＴ３）トラッキングしながらボーダー内領域ＢＲＤＡ内をプリグルーブに沿ってトレースし続ける。
【００８９】
図２６（ｄ）に示すように、ボーダー終了用目印ＳＴＢの後、Ｎ１番目とＮ２番目とＮ３番目の物理セグメントブロックに既に特定のパターンで記録された次のボーダーを示す目印ＮＢＭが配置されている。情報記録再生部１４１はボーダーアウトＢＲＤＯ内の再生を継続しながら（ＳＴ４）物理セグメントブロックの数を数えながら上記の次のボーダーを示す目印ＮＢＭの位置を探す（ＳＴ５）。
上述したように“［３］同一データーセグメント内の場所により重ね書き状況を変化させる（図４（Ｌ１））”方法の具体的な一例として同一データーセグメント内の少なくとも最後の物理セクター内では重ね書き領域を広く取る。データーセグメント内の最後の物理セクターを検出（ＳＴ６）したらデーターＩＤとＩＥＤを残して（データーＩＤとＩＥＤの所は重ね書きせずに）のデーターＩＤとＩＥＤ直後から最後の物理セクターの終わりまで重ね書きを行う（ＳＴ９）。
同一データーセグメント内の少なくとも最後の物理セクター以外では後述する図４０または図６３に示すシンクコード４３１（ＳＹ０〜ＳＹ３）の領域は避けて（図４（Ｌ２））シンクデーター４３２内に部分的に特定パターンで重ね書きする（ＳＴ７）。上記のプロセスを各次のボーダーを示す目印ＮＢＭ毎に行い、３番目の各次のボーダーを示す目印ＮＢＭへの重ね書き処理が終わったら（ＳＴ９）新たなボーダーインＢＲＤＩを記録後、ボーダー内領域ＢＲＤＡ内にユーザーデーターを記録する（ＳＴ１０）。
【００９０】
図２６（ｃ）に示すボーダー内領域ＢＲＤＡ内に記録する情報の論理的な記録単位をＲゾーン（ R Zone ）と呼ぶ。従って１個のボーダー内領域ＢＲＤＡ内には少なくとも１個以上のＲゾーンから構成されている。現行のＤＶＤ-ＲＯＭではファイルシステムにＵＤＦ（ Universal Disc Format ）に準拠したファイル管理情報とＩＳＯ９６６０に準拠したファイル管理情報の両方が同時に１枚の情報記憶媒体内に記録される“ＵＤＦブリッジ”というファイルシステムを採用している。ここでＩＳＯ９６６０に準拠したファイル管理方法では１個のファイルが情報記憶媒体内に必ず連続して記録されなければならない決まりが有る。（すなわち１個のファイル内の情報が情報記憶媒体上に離散的な位置に分割配置する事を禁止している。）従って例えば上記ＵＤＦブリッジに準拠して情報が記録された場合、１個のファイルを構成する全情報が連続的に記録されるので、この１個のファイルが連続して記録される領域が１個のＲゾーンを構成するように適応させる事もできる。
【００９１】
図２７に制御データーゾーンＣＤＺとＲ物理情報ゾーンＲＩＺ内のデーター構造を示す。図２７（ｂ）に示すように制御データーゾーンＣＤＺ内には物理フォーマット情報（ Physical Format Information ）ＰＦＩと媒体製造関連情報（ Disc Manufacturing Information ）ＤＭＩが存在し、Ｒ物理情報ゾーンＲＩＺ内には同じく媒体製造関連情報（ Disc Manufacturing Information ）ＤＭＩとＲ物理フォーマット情報（ R-Physical Format Information ）Ｒ_ＰＦＩから構成される。
媒体製造関連情報ＤＭＩ内は媒体製造国名に関する情報２５１と媒体メーカー所属国情報２５２が記録されている（図２〔Ｆ〕）。販売された情報記憶媒体が特許侵害している時に製造場所が有る国内または情報記憶媒体を消費して（使って）いる国内に対して侵害警告を掛ける場合が多い。情報記憶媒体内に前記の情報の記録を義務付ける事で製造場所（国名）が判明し、特許侵害警告が掛け易くする事で知的財産が保証され技術の進歩が促進される。更に媒体製造関連情報ＤＭＩ内はその他媒体製造関連情報２５３も記録されている。
【００９２】
また、物理フォーマット情報ＰＦＩまたはＲ物理フォーマット情報Ｒ_ＰＦＩ内には記録場所（先頭からの相対的なバイト位置）により記録される情報の種類が規定されている所に本実施例の特徴が有る（図２〔Ｇ〕）。すなわち物理フォーマット情報ＰＦＩまたはＲ物理フォーマット情報Ｒ_ＰＦＩ内の記録場所として０バイト目から３１バイト目までの３２バイトの領域にはＤＶＤファミリー内の共通情報２６１が記録され、３２バイト目から１２７バイト目までの９６バイトが本実施例の対象となっている ＨＤ_ＤＶＤ ファミリー内の共通な情報２６２が記録され、１２８バイト目から５１１バイト目までの３８４バイトが各規格書タイプやパートバージョンに関するそれぞれ独自な情報（固有情報）２６３が記録され、５１２バイト目から２０４７バイト目までの１５３６バイトが各リビジョンに対応した情報が記録される。このように情報内容により物理フォーマット情報内の情報配置位置を共通化する事で媒体の種類に依らず記録されている情報の場所が共通化されているので情報再生装置あるいは情報記録再生装置の再生処理の共通化と簡素化が図れる。また０バイト目から３１バイト目までに記録されているＤＶＤファミリー内の共通情報２６１は図２７（ｄ）に示すように更に０バイト目から１６バイト目までに記録されている再生専用形情報記憶媒体と書替え形情報記憶媒体、追記形情報記憶媒体の全てに共通に記録して有る情報２６７と１７バイト目から３１バイト目までに書替え形情報記憶媒体と追記形情報記憶媒体には共通に記録され再生専用形では記録されて無い情報２６８に分かれる。
【００９３】
図２７に示した物理フォーマット情報ＰＦＩまたはＲ物理フォーマット情報Ｒ_ＰＦＩ内の具体的な情報内容と物理フォーマット情報ＰＦＩ内情報の媒体種類（再生専用形か書替え形か追記形か）による比較を図２８に示す。ＤＶＤファミリー内の共通情報２６１内の再生専用形、書替え形、追記形の全てに共通に記録して有る情報２６７としてはバイト位置０から１６までに順次に規格書のタイプ（再生専用/書替え/追記）情報とバージョン番号情報、媒体サイズ（直径）と最大可能データー転送レート情報、媒体構造（単層か２層か。エンボスピット／追記領域／書き替え領域の有無）、記録密度（線密度とトラック密度）情報、データー領域ＤＴＡの配置場所情報、バーストカッティング領域ＢＣＡの有無情報（本実施例は全て有り）が記録されている。
【００９４】
ＤＶＤファミリー内の共通情報２６１で有り、書替え形と追記形に共通に記録して有る情報２６８として、２８バイト目から３１バイト目まで順次最大記録スピードを規定したリビジョン番号情報、最大記録スピードを規定したリビジョン番号情報、リビジョン番号テーブル（応用リビジョン番号）、クラス状態情報、拡張された（パート）バージョン情報が記録されている。この２８バイト目から３１バイト目までの情報を持たせた事は物理フォーマット情報ＰＦＩまたはＲ物理フォーマット情報Ｒ_ＰＦＩの記録領域内に記録速度に応じたリビジョン情報を持たせると言う本実施例の特徴が有る（図２（Ｇ１））。
【００９５】
従来２倍速や４倍速など媒体への記録速度が上がる媒体が開発されると、それに応じてその都度新たに規格書を作り直すという非常に面倒な手間が掛かっていた。それに対して本実施例では大きく内容が変更になった時にバージョンを変更させる規格書（バージョンブック）と記録速度など小変更に対応してリビジョンを変更して発行するリビジョンブックに分け、記録速度が向上する毎にリビジョンのみを更新したリビジョンブックのみを発行する。それにより将来の高速記録対応の媒体への拡張機能を保証し、リビジョンと言う簡単な方法で規格を対応できるので新たな高速記録対応媒体が開発された場合に高速で対応が可能になると言う効果が有る。
【００９６】
特に、１７バイト目の最高記録速度を規定したリビジョン番号情報の欄と１８バイト目の最低記録速度を規定したリビジョン番号情報の欄を別々に設ける事で記録速度の最高値と最低値でリビジョン番号を別に設定可能とする所に本実施例の特徴が有る（図２（Ｇ１α））。例えば非常に高速に記録可能な記録膜を開発した場合、その記録膜は非常に高速での記録は可能であるが、記録速度を落とすと急に記録できなくなったりあるいは記録可能な最低速度を低く出来るような記録膜は非常に高価になったりする場合が多い。それに対して本実施例のように記録速度の最高値と最低値でリビジョン番号を別に設定可能とする事で開発可能記録膜の選択範囲を広げ、その結果より高速記録が可能な媒体やより低価格な媒体が供給可能になると言う効果が生じる。
【００９７】
本発明実施例の情報記録再生装置では各リビジョン毎の可能最高記録速度と可能な最低記録速度の情報を事前に持っている。情報記憶媒体をこの情報記録再生装置に掛けると、最初に図５に示した情報記録再生部１４１でこの物理フォーマット情報ＰＦＩまたはＲ物理フォーマット情報Ｒ_ＰＦＩ内の情報を読み取り、得られたリビジョン番号情報を元に制御部１４３内でメモリー部１７５内に事前に記録されている各リビジョン毎の可能最高記録速度と可能な最低記録速度の情報を参照して装着された情報記憶媒体の可能最高記録速度と可能な最低記録速度を割り出し、その結果に基付いて最適な記録速度で記録を行う。
【００９８】
次ぎに図２７（ｃ）に示した、１２８バイト目から５１１バイト目までの各規格書のタイプとバージョンの固有情報２６３の意味と５１２バイト目から２０４７バイト目までの各リビジョン毎に固有に設定できる情報内容２６４の意味について説明する。すなわち１２８バイト目から５１１バイト目までの各規格書のタイプとバージョンの固有情報２６３内では各バイト位置での記録情報内容の意味が、タイプが異なる書替え形情報記憶媒体と追記形情報記憶媒体に依らず一致し、５１２バイト目から２０４７バイト目までの各リビジョン毎に固有に設定できる情報内容２６４としてはタイプが異なる書替え形情報記憶媒体と追記形情報記憶媒体との違いのみならず同じ種類の媒体においてもリビジョンが異なると各バイト位置での記録情報内容の意味が異なる事を許容する。
【００９９】
図２８に示すようにタイプが異なる書替え形情報記憶媒体と追記形情報記憶媒体で各バイト位置での記録情報内容の意味が一致する各規格書のタイプとバージョンの固有情報２６３の中の情報としては順次
媒体製造メーカー名情報、媒体製造メーカーからの付加情報、記録マークの極性（Ｈ→ＬかＬ→Ｈかの識別）情報、記録時もしくは再生時の線速度情報、円周方向に沿った光学系のリムインテンシティ値、半径方向に沿った光学系のリムインテンシティ値、再生時の推奨レーザーパワー（記録面上の光量値）が記録される。
【０１００】
特に１９２バイト目に記録マークの極性（Ｈ→ＬかＬ→Ｈかの識別）情報（ Mark Polarity Descriptor ）を持たせた所に本実施例の特徴が有る。従来の書替え形あるいは追記形ＤＶＤディスクでは未記録状態（反射レベルが相対的に高い：High ）に対して記録マーク内の光反射量が低下（ Low ）する“Ｈ→Ｌ”（ High to Low ）形の記録膜しか認めていなかった。それに対して“高速記録対応”や“低価格化”あるいは物理的な性能として“クロスイレーズの減少”や“書き替え回数上限値の増加”などの要求が媒体に対して出されると、従来のＨ→Ｌ形の記録膜だけでは対応し切れないと言う問題が生じる。それにたいして本実施例ではＨ→Ｌ形の記録膜だけで無く、記録マーク内で光り反射量が増加する“Ｌ→Ｈ”形の記録膜の使用まで許容するため、従来のＨ→Ｌ形だけで無くＬ→Ｈ形記録膜も規格内に組み込み、記録膜の選択範囲を広げることで高速記録可能や低価格媒体を供給できると言う効果が生じる。
【０１０１】
具体的な情報記録再生装置の実施方法を以下に説明する。規格書（バージョンブック）あるいはリビジョンブックで“Ｈ→Ｌ”形の記録膜からの再生信号特性と“Ｌ→Ｈ”形の記録膜からの再生信号特性の両方を併記し、それに対応して図５のＰＲ等化回路１３０とビタビ復号器１５６内に２通りずつの対応回路を用意しておく。情報再生部１４１内に情報記憶媒体を装着すると、まず始めにシステムリードイン領域ＳＹＬＤＩ内の情報を読むためのスライスレベル検出回路１３２を起動させる。このスライスレベル検出回路１３２で、この１９２バイト目に記録された記録マークの極性（Ｈ→ＬかＬ→Ｈかの識別）情報を読み取った後“Ｈ→Ｌ”形か“Ｌ→Ｈ”形かの判別を行い、それに合わせてＰＲ等化回路１３０とビタビ復号器１５６内の回路を切り替えた後にデーターリードイン領域ＤＴＬＤＩまたはデーター領域ＤＴＡ内に記録されている情報を再生する。
上記の方法により比較的早くしかも精度良くデーターリードイン領域ＤＴＬＤＩまたはデーター領域ＤＴＡ内の情報を読む事が出来る。また１７バイト目に最高記録速度を規定したリビジョン番号情報と１８バイト目に最低記録速度を規定したリビジョン番号情報が記載されているが前記の情報は最高と最低を規定した範囲情報でしかない。最も安定に記録する場合には記録時に最適な線速情報が必要となるので、その情報が１９３バイト目に記録されている。
【０１０２】
また各リビジョン毎に固有に設定できる情報内容２６４内に含まれる各種の記録条件（ライトストラテジ）情報に先立つ位置に光学系条件情報として１９４バイト目の円周方向に沿った光学系のリムインテンシティ値と１９５バイト目の半径方向に沿った光学系のリムインテンシティ値の情報が配置されている所に本実施例の次の大きな特徴が有る。これらの情報は後ろ側に配置される記録条件を割り出す時に使用した光学ヘッドの光学系の条件情報を意味している。リムインテンシティとは情報記憶媒体の記録面上に集光する前に対物レンズに入射する入射光の分布状況を意味し、『入射光強度分布の中心強度を“１”とした時の対物レンズ周辺位置（瞳面外周位置）での強度値』で定義される。
【０１０３】
対物レンズへの入射光強度分布は点対称ではなく、楕円分布をし、情報記憶媒体の半径方向と円周方向でリムインテンシティ値が異なるので２通りの値が記録される。リムインテンシティ値が大きいほど情報記憶媒体の記録面上での集光スポットサイズが小さくなるので、このリムインテンシティ値により最適な記録パワー条件が大きく変わる。情報記録再生装置は自分が持っている光学ヘッドのリムインテンシティ値情報を事前に知っているので、まず情報記憶媒体内に記録されている円周方向と半径方向に沿った光学系のリムインテンシティ値を読み取り、自分が持っている光学ヘッドの値と比較する。比較した結果に大きな違いが無ければ後ろ側に記録されている記録条件を適用できるが、比較した結果で大きな食い違いが有れば後ろ側に記録されている記録条件を無視し、図２１または図２３に記載されているドライブテストゾーンＤＲＴＺを利用して記録再生装置自ら試し書きをしながら最適な記録条件の割り出しを始める必要が有る。
【０１０４】
このように後ろ側に記録されている記録条件を利用するか、その情報を無視して自ら試し書きをしながら最適な記録条件の割り出しを始めるかの判断を早急に行う必要が有る。図２８に示すように推奨される記録条件が記録されている位置に対する先行位置にその条件を割り出した光学系の条件情報を配置する事で、まず始めにそのリムインテンシティ情報を読み取る事が出来、後に配置される記録条件の適合可否を高速に判定出来ると言う効果が有る。
【０１０５】
上述したように本実施例では大きく内容が変更になった時にバージョンを変更させる規格書（バージョンブック）と記録速度など小変更に対応してリビジョンを変更して発行するリビジョンブックに分け、記録速度が向上する毎にリビジョンのみを更新したリビジョンブックのみを発行できるようにしている。従ってリビジョン番号が異なるとリビジョンブック内の記録条件が変化するので、記録条件（ライトストラテジ）に関する情報が主にこの５１２バイト目から２０４７バイト目までの各リビジョン毎に固有に設定できる情報内容２６４の中に記録される。図２８から明らかなように５１２バイト目から２０４７バイト目までの各リビジョン毎に固有に設定できる情報内容２６４としてはタイプが異なる書替え形情報記憶媒体と追記形情報記憶媒体との違いのみならず同じ種類の媒体においてもリビジョンが異なると各バイト位置での記録情報内容の意味が異なる事を許容する。
【０１０６】
図２８におけるピークパワー、バイアスパワー１、バイアスパワー２、バイアスパワー３の定義は図２４で定義されているパワー値に一致している。また図２８におけるファーストパルスの終了時間とは図２４で定義した ＴＥＦＰ の事を意味し、マルチパルス間隔とは図２４で定義したＴＭＰ の事を意味し、ラストパルスの開始時間とは図２４で定義した ＴＳＬＰ の事を意味し、２Ｔマークのバイアスパワー２の期間とは図２４で定義した ＴＬＣ の事を意味する。
【０１０７】
図２８で４から１５バイト目に記録されているデーター領域ＤＴＡの配置場所情報内に記録される詳細な情報の内容比較を図２９に示す。媒体の種別と物理フォーマット情報ＰＦＩとＲ物理フォーマット情報 Ｒ_ＰＦＩの区別無くデーター領域ＤＴＡの開始位置情報が共通に記録されている。終了位置を示す情報として再生専用形情報記憶媒体の中ではデーター領域ＤＴＡの終了位置情報が記録されている。
書替え形情報記憶媒体では図１７に示すように最も物理セクター番号の値が大きい場所はグルーブ領域内に有るが、ランド領域内でのデーター領域ＤＴＡの終了位置情報が記録されている。
【０１０８】
また追記形情報記憶媒体の物理フォーマット情報ＰＦＩ内ではユーザーデーターの追記可能範囲の最後の位置情報が記録されているが、この位置情報は例えば図２３（ｅ）に示した例ではζ点の直前位置を意味している。
それに対して追記形情報記憶媒体のＲ物理フォーマット情報Ｒ_ＰＦＩ内では該当するボーダー内領域ＢＲＤＡの中での既記録データーの最後の位置情報が記録される。
更に再生専用形情報記憶媒体内では再生側光学系から見た手前の層である“０層”内での最後のアドレス情報と書替え形情報記憶媒体内ではランド領域とグルーブ領域間の各開始位置情報の差分値の情報も記録されている。
【０１０９】
図２１（ｃ）に示すようにデーターリードイン領域ＤＴＬＤＩ中に記録位置管理ゾーンＲＭＺが存在する。そして図２６（ｄ）に示すようにそのコピー情報が記録位置管理ゾーンへの記録内容のコピー情報Ｃ_ＲＭＺとしてボーダーアウトＢＲＤＯ内にも存在している。この記録位置管理ゾーンＲＭＺの中は図２２（ｂ）に示すように１物理セグメントブロックサイズと同じデーターサイズを持った記録位置管理データー（ Recording Management Data ）ＲＭＤが記録され、その記録位置管理データーＲＭＤの内容が更新される毎に更新された新たな記録位置管理データーＲＭＤとして順次後ろに追記可能な形になっている。この１個の記録位置管理データーＲＭＤ内の詳細なデーター構造を図３０〜図３２に示す。記録位置管理データーＲＭＤ内は更に１個が２０４８バイトサイズの細かなＲＭＤフィールド情報ＲＭＤＦに分割されている。
記録位置管理データーＲＭＤ内の最初の２０４８バイトはリザーブ領域になっている。
【０１１０】
次の２０４８バイトサイズのＲＭＤフィールド０には記録位置管理データーフォーマットコード情報、対象の媒体が （１） 未記録状態か、（２） ファイナライズ前の記録途中か、（３） ファイナライズ後か のいずれかで有るかを示す媒体状態情報、ユニークディスクＩＤ（ディスク識別情報）、データー領域ＤＴＡの配置位置情報と最新の（更新された）データー領域ＤＴＡの配置位置情報、記録位置管理データーＲＭＤの配置位置情報が順次配置されている。また、データー領域ＤＴＡの配置位置情報の中には初期状態でのユーザーデーターの追記可能範囲２０４（図２３（ｄ））を示す情報としてデーター領域ＤＴＡの開始位置情報と初期時におけるユーザーデーターの記録可能範囲２０４の最終位置情報〔図２３（ｄ）の実施例ではこの情報はβ点の直前位置を示す事になる〕が記録される。
【０１１１】
本実施例では図２３（ｅ）と（ｆ）に示すようにユーザーデーターの追記可能範囲２０４内に拡張ドライブテストゾーンＥＤＲＴＺと拡張代替え領域ＥＳＰＡの追加設定が可能になっている所に特徴が有るが（図１（Ｃ１）と（Ｅ２））、このように拡張するとユーザーデーターの追記可能範囲２０５が狭くなる。誤ってこの拡張領域ＥＤＲＴＺとＥＳＰＡにユーザーデーターを追記しないように“最新の（更新された）データー領域ＤＴＡの配置位置情報”内に関連情報が記録されている所に本実施例の次の特徴が有る。
すなわち拡張ドライブテストゾーンＥＤＲＴＺの有無識別情報により拡張ドライブテストゾーンＥＤＲＴＺが増設されたかどうかが分かり、拡張代替え領域ＥＳＰＡの有無識別情報により拡張代替え領域ＥＳＰＡが増設されたか否かが分かる。
【０１１２】
更に記録位置管理データーＲＭＤ内で管理するユーザーデーターの追記可能範囲２０５に関する記録可能範囲情報（図１〔Ｅ〕）として、図３０に示すようにＲＭＤフィールド０内の最新の（更新された）データー領域ＤＴＡの配置位置情報内に記録されている最新のユーザーデーターの記録可能範囲２０５の最終位置が有ることで図２３（ｆ）に示したユーザーデーターの追記可能範囲２０５が即座に分かり、今後記録可能な未記録領域のサイズ（未記録の残量）の高速検出が可能となる。
それにより例えばユーザーが指定した録画予約時間に合わせて最適な記録時の転送レートを設定する事で実現可能な最も高画質でしかもユーザーが指定した録画予約時間が漏れなく媒体内に録画できると言う効果が生じる。
【０１１３】
ところで図２３（ｄ）の実施例を例に取ると前記の“最新のユーザーデーターの記録可能範囲２０５の最終位置”はζ点の直前位置を意味する。これらの位置情報は物理セクター番号で記述する代わりに他の実施例としてＥＣＣブロックアドレス番号で記述する（図１（Ｅ１））事も可能となる。
後述するように本実施例では３２セクターで１ＥＣＣブロックを構成する。従って特定のＥＣＣブロック内の先頭に配置されたセクターの物理セクター番号の下位５ビットは隣接するＥＣＣブロック内の先頭位置に配置されたセクターのセクター番号と一致する。
また、ＥＣＣブロック内の先頭に配置されたセクターの物理セクター番号の下位５ビットが“０００００”になるように物理セクター番号を設定した場合には同一ＥＣＣブロック内に存在する全てのセクターの物理セクター番号の下位６ビット目以上の値が一致する。従って上記同一ＥＣＣブロック内に存在するセクターの物理セクター番号の下位５ビットデーターを除去し、下位６ビット目以上のデーターのみを抽出したアドレス情報をＥＣＣブロックアドレス情報（またはＥＣＣブロックアドレス番号）と定義する。
【０１１４】
後述するようにウォブル変調により予め記録されたデーターセグメントアドレス情報（または物理セグメントブロック番号情報）は上記ＥＣＣブロックアドレスと一致するので、記録位置管理データーＲＭＤ内の位置情報をＥＣＣブロックアドレス番号で記述すると次の１）、２）のような効果が生まれる。
１）特に未記録領域へのアクセスが高速化する
…  記録位置管理データーＲＭＤ内の位置情報単位とウォブル変調により予め記録されたデーターセグメントアドレスの情報単位が一致するため差分の計算処理が容易となるため
２）記録位置管理データーＲＭＤ内の管理データーサイズを小さくできる
…  アドレス情報記述に必要なビット数が１アドレス当たり５ビット節約できるため
【０１１５】
後述するように１物理セグメントブロック長は１データーセグメント長に一致し、１データーセグメント内に１ＥＣＣブロック分のユーザーデーターが記録される。従ってアドレスの表現として“ＥＣＣブロックアドレス番号”とか“ＥＣＣブロックアドレス”あるいは“データーセグメントアドレス”、“データーセグメント番号”、“物理セグメントブロック番号”などの表現を行うが、これらは全て同義語の意味を持つ。
【０１１６】
また図３０が示すようにＲＭＤフィールド０内に有る記録位置管理データーＲＭＤの配置位置情報には、この記録位置管理データーＲＭＤを内部に順次追記できる記録位置管理ゾーンＲＭＺの設定されたサイズ情報がＥＣＣブロック単位または物理セグメントブロック単位で記録されている。
図２２（ｂ）に示したように１個の記録位置管理ゾーンＲＭＤが１個の物理セグメントブロック毎に記録されているので、この情報で記録位置管理ゾーンＲＭＺの中に何回更新（アップデート）された記録位置管理データーＲＭＤが追記できるかが分かる。
その次には記録位置管理ゾーンＲＭＺ内での現在の記録位置管理データー番号が記録される。これは記録位置管理ゾーンＲＭＺ内で既に記録された記録位置管理データーＲＭＤの数情報を意味している。例えば図２２（ｂ）に示す例として今この情報が記録位置管理データーＲＭＤ＃２内の情報だとすると、この情報は記録位置管理ゾーンＲＭＺ内で２番目に記録された記録位置管理データーＲＭＤなので“２”の値がこの欄の中に記録される。
その次には記録位置管理ゾーンＲＭＺ内での残量情報が記録される。この情報は記録位置管理ゾーンＲＭＺ内での更に追加可能な記録位置管理データーＲＭＤ数の情報を意味し、物理セグメントブロック単位（＝ＥＣＣブロック単位＝データーセグメント単位）で記述される。
上記３情報の間には次の関係が成立する。
［ＲＭＺの設定されたサイズ情報］＝［現在の記録位置管理データー番号］＋［ＲＭＺ内での残量］
【０１１７】
記録位置管理ゾーンＲＭＺ内の記録位置管理データーＲＭＤの既使用量または残量情報を記録位置管理データーＲＭＤの記録領域内に記録する所に本実施例の特徴（図１（Ｅ７））が有る。
例えば１枚の追記形情報記憶媒体に１回で全ての情報を記録する場合には記録位置管理データーＲＭＤは１回だけ記録すれば良いが、１枚の追記形情報記憶媒体に非常に細かくユーザーデーターの追記（図２３（ｆ）でのユーザーデーターの追記可能範囲２０５内へのユーザーデーターの追記）を繰り返して記録したい場合には追記毎に更新された記録位置管理データーＲＭＤも追記する必要が有る。この場合、頻繁に記録位置管理データーＲＭＤを追記すると図２２（ｂ）に示す未記録領域２０６が無くなってしまい、情報記録再生装置としてはそれに対する善処が必要となる。従って記録位置管理ゾーンＲＭＺ内の記録位置管理データーＲＭＤの既使用量または残量情報を記録位置管理データーＲＭＤの記録領域内に記録する事で記録位置管理ゾーンＲＭＺ領域内の追記不可能な状態が事前に分かり情報記録再生装置の早めの対処が可能となる。
【０１１８】
また本実施例では図２２（ｅ）から（ｆ）への移行で示したように拡張ドライブテストゾーンＥＤＲＴＺを内部に含めた形でデーターリードアウト領域ＤＴＬＤＯを設定する事が出来る所に特徴が有る（図１（Ｅ４））。この時にはデーターリードアウト領域ＤＴＬＤＯの開始位置が図２２（ｅ）のβ点からε点へ変化する。この状況を管理するため、図３０のＲＭＤフィールド０の最新の（更新された）データー領域ＤＴＡの配置位置情報内にデーターリードアウト領域ＤＴＬＤＯの開始位置情報を記録する欄が設けられている。前述したようにドライブテスト（試し書き）は基本的にデーターセグメント（ＥＣＣブロック）単位で拡張可能なクラスター単位で記録される。従ってデーターリードアウト領域ＤＴＬＤＯの開始位置情報はＥＣＣブロックアドレス番号で記述されるが、他の実施例としてこの最初のＥＣＣブロック内の最初に配置される物理セクターの物理セクター番号または物理セグメントブロック番号、データーセグメントアドレス、ＥＣＣブロックアドレスで記述する事も可能である。
【０１１９】
ＲＭＤフィールド１には対応媒体の記録を行った情報記録再生装置の履歴情報が記録され、それぞれの情報記録再生装置毎に製造メーカー識別情報、ＡＳＣＩＩコードにて記述されたシリアル番号とモデル番号、ドライブテストゾーンを用いた記録パワー調整を行った日時情報および追記時に行った記録条件情報が各リビジョン毎に固有に設定できる情報２６４（図２８）内の全記録条件情報のフォーマットに従って記述されるようになっている。
【０１２０】
ＲＭＤフィールド２はユーザー使用領域で例えば記録した（記録したい）コンテンツの情報などをユーザーがここに記録できるようになっている。
ＲＭＤフィールド３内には各ボーダーゾーンＢＲＤＺの開始位置情報が記録される。すなわち図３０に示すように最初から５０番目までのボーダーアウトＢＲＤＯの開始位置情報が物理セクター番号で記載される。例えば図２６（ｃ）に示した実施例では最初のボーダーアウトＢＲＤＯの開始位置はη点の位置を表し、２番目のボーダーアウトＢＲＤＯの開始位置はθ点の位置を示している。
【０１２１】
ＲＭＤフィールド４内では拡張ドライブテストゾーンの位置情報が記録される。最初に図２１（ｃ）に記載されたデーターリードイン領域ＤＴＬＤＩに有るドライブテストゾーンＤＲＴＺ内で既に試し書きに使用した場所の最後の位置情報と図２３（ｄ）〜（ｆ）に記載されたデーターリードアウト領域ＤＴＬＤＯに有るドライブテストゾーンＤＲＴＺ内で既に試し書きに使用した場所の最後の位置情報が記録される。
ドライブテストゾーンＤＲＴＺ内では内周側（物理セクター番号の小さい方）から外周方向（物理セクター番号が大きくなる方向）へ向かって順次試し書きに使用される。試し書きに使用される場所単位は後述するように追記単位であるクラスター単位で行われるのでＥＣＣブロック単位となる。従って既に試し書きに使用した場所の最後の位置情報としてＥＣＣブロックアドレス番号で記載されるか、または物理セクター番号で記載される場合には試し書きに用いられたＥＣＣブロックの最後に配置された物理セクターの物理セクター番号を記載することになる。１度試し書きに使用された場所は既に記録されているので、次ぎに試し書きを行う場合には既に試し書きに使用された最後の位置の次から試し書きを行うことになる。従って上記ドライブテストゾーンＤＲＴＺ内で既に試し書きに使用した場所の最後の位置情報（＝ドライブテストゾーンＤＲＴＺ内の既使用量）を利用して（図１（Ｅ５））情報記録再生装置は次ぎに何処から試し書きを開始すればよいかが瞬時に分かるだけでなく、その情報からドライブテストゾーンＤＲＴＺ内に次ぎに試し書きが可能な空きスペースが有るか否かを判定できる。
【０１２２】
またデーターリードイン領域ＤＴＬＤＩに有るドライブテストゾーンＤＲＴＺ内で、更に追加試し書き出来る領域サイズ情報あるいはこのドライブテストゾーンＤＲＴＺを使い切ってしまったか否かを示すフラグ情報とデーターリードアウト領域ＤＴＬＤＯに有るドライブテストゾーンＤＲＴＺ内で更に追加試し書き出来る領域サイズ情報あるいはこのドライブテストゾーンＤＲＴＺを使い切ってしまったか否かを示すフラグ情報が記録される。データーリードイン領域ＤＴＬＤＩに有るドライブテストゾーンＤＲＴＺのサイズとデーターリードアウト領域ＤＴＬＤＯに有るドライブテストゾーンＤＲＴＺのサイズはあらかじめ分かっているので、データーリードイン領域ＤＴＬＤＩに有るドライブテストゾーンＤＲＴＺ内あるいはデーターリードアウト領域ＤＴＬＤＯに有るドライブテストゾーンＤＲＴＺで既に試し書きに使用した場所の最後の位置情報だけでドライブテストゾーンＤＲＴＺ内で更に追加の試し書きが出来る領域のサイズ（残量）は割り出す事は可能であるが、この情報を記録位置管理データーＲＭＤ内に持つ事で（図１（Ｅ５））、即座にドライブテストゾーンＤＲＴＺ内の残量が分かり、拡張ドライブテストゾーンＥＤＲＴＺの新規設定有無判断までの時間を短縮化できる。他の実施例としてこの欄にはドライブテストゾーンＤＲＴＺ内で更に追加試し書き出来る領域サイズ（残量）情報の変わりにこのドライブテストゾーンＤＲＴＺを使い切ってしまったか否かを示すフラグ情報を記録することも出来る。既に使い切ってしまった事が瞬時に分かるフラグが設定されていれば誤ってこの領域に試し書きを試行する危険性を排除できる。
【０１２３】
ＲＭＤフィールド４内では次ぎに拡張ドライブテストゾーンＥＤＲＴＺの追加設定回数情報が記録される。図２３（ｅ）に示した実施例では拡張ドライブテストゾーン１ＥＤＲＴＺ１と拡張ドライブテストゾーン２ＥＤＲＴＺ２の２箇所に拡張ドライブテストゾーンＥＤＲＴＺを設定して有るので、“拡張ドライブテストゾーンＥＤＲＴＺの追加設定回数＝２”となる。更にフィールド４内では各拡張ドライブテストゾーンＥＤＲＴＺ毎の範囲情報と既に試し書きに使用された範囲情報が記録される。このように拡張ドライブテストゾーンの位置情報を記録位置管理データーＲＭＤ内で管理できるようにする事で（図１（Ｅ６））、複数回の拡張ドライブテストゾーンＥＤＲＴＺの拡張設定を可能にすると共に追記形情報記憶媒体において記録位置管理データーＲＭＤの更新追記と言う形で逐次拡張された拡張ドライブテストゾーンＥＤＲＴＺの位置情報を正確に管理でき、ユーザーデーターの追記可能範囲２０４（図２２（ｄ））と誤って判断して拡張ドライブテストゾーンＥＤＲＴＺ上にユーザーデーターを重ね書きする危険性を排除できる。
【０１２４】
上述したように試し書きの単位もクラスター単位（ＥＣＣブロック単位）で記録されるので、各拡張ドライブテストゾーンＥＤＲＴＺ毎の範囲はＥＣＣブロックアドレス単位で指定される。図２３（ｅ）に示した実施例では最初に設定した拡張ドライブテストゾーンＥＤＲＴＺの開始位置情報は拡張ドライブテストゾーン１ＥＤＲＴＺ１を最初に設定したのでγ点を示し、最初に設定した拡張ドライブテストゾーンＥＤＲＴＺの終了位置情報はβ点の直前位置が対応する。位置情報の単位は同じくＥＣＣブロックアドレス番号または物理セクター番号で記述される。
【０１２５】
図３０の実施例では拡張ドライブテストゾーンＥＤＲＴＺの終了位置情報を示したが、それに限らず代わりに拡張ドライブテストゾーンＥＤＲＴＺのサイズ情報を記載しても良い。この場合には最初に設定した拡張ドライブテストゾーン１ＥＤＲＴＺ１のサイズは“β−γ”となる。また、最初に設定した拡張ドライブテストゾーンＥＤＲＴＺ内で既に試し書きに使用した場所の最後の位置情報もＥＣＣブロックアドレス番号または物理セクター番号で記述される。
【０１２６】
また、その次に最初に設定した拡張ドライブテストゾーンＥＤＲＴＺ内で更に追加試し書き出来る領域サイズ（残量）情報が記録される。既に拡張ドライブテストゾーン１ＥＤＲＴＺ１のサイズとその中で既に使用されている領域のサイズが上記の情報から分かっているので、自動的に更に追加試し書き出来る領域サイズ（残量）が求められるが、この欄を設ける（図１（Ｅ５））ことにより新たなドライブテスト（試し書き）をする時に現在のドライブテストゾーンで足りるか否かが直ぐに分かり、更なる拡張ドライブテストゾーンＥＤＲＴＺの追加設定を決断するまでの判断時間を短縮化できる。この欄は更に追加試し書き出来る領域サイズ（残量）情報が記録できるようになっているが他の実施例としてこの拡張ドライブテストゾーンＥＤＲＴＺを使い切ってしまったか否かを示すフラグ情報をこの欄に設定する事も可能である。既に使い切ってしまった事が瞬時に分かるフラグが設定されていれば誤ってこの領域に試し書きを試行する危険性を排除できる。
【０１２７】
図５に示した情報記録再生装置で新たに拡張ドライブテストゾーンＥＤＲＴＺを設定し、そこに試し書きを行う処理方法の一例について説明する。この処理内容を図３３に示す。
（１） 追記形情報記憶媒体を情報記録再生装置に装着する
→ （２） 情報記録再生部１４１でバーストカッティング領域ＢＣＡに形成されたデーターを再生し、制御部１４３へ送る → 制御部１４３内で転送された情報を解読し、次のステップへ進めるか判定する
→ （３） 情報記録再生部１４１でシステムリードイン領域ＳＹＬＤＩ内の制御データーゾーンＣＤＺに記録されて有る情報を再生し、制御部１４３へ転送する
→ （４） 制御部１４３内で推奨記録条件を割り出した時のリムインテンシティの値（図２８の１９４、１９５バイト目）と情報記録再生部１４１で使われている光学ヘッドのリムインテンシティの値を比較し、試し書きに必要な領域サイズを割り出す
【０１２８】
→ （５） 情報記録再生部１４１で記録位置管理データー内の情報を再生し、制御部１４３へ送る。制御部ではＲＭＤフィールド４内の情報を解読し、（４） で割り出した試し書きに必要な領域サイズの余裕の有無を判定し、余裕が有る場合には （６） へ進み、余裕が無い場合には （９） へ進む
→ （６） ＲＭＤフィールド４内から試し書きに使用するドライブテストゾーンＤＲＴＺまたは拡張ドライブテストゾーンＥＤＲＴＺ内の既に試し書きに使用した場所の最後の位置情報から今回試し書きを開始する場所を割り出す
→ （７） （６） で割り出した場所から （４） で割り出したサイズ分試し書きを実行する
→ （８） （７） の処理により試し書きに使用した場所が増えたので、既に試し書きに使用した場所の最後の位置
情報を書き替えた記録位置管理データーＲＭＤをメモリー部１７５に一時保存し、（１２） へ進む
【０１２９】
＊ （９） ＲＭＤフィールド０に記録されて有る“最新のユーザーデーターの記録可能範囲２０５の最終位置”の情報または図２９に示した物理フォーマットＰＦＩ内のデーター領域ＤＴＡの配置場所情報内に記録されている“ユーザーデーターの追記可能範囲の最後の位置情報”を情報記録再生部１４１で読み取り、制御部１４３内で更に新たに設定する拡張ドライブテストゾーンＥＤＲＴＺの範囲を設定
→ （１０） （９） の結果に基付きＲＭＤフィールド０に記録されて有る“最新のユーザーデーターの記録可能範囲２０５の最終位置”の情報を更新すると共にＲＭＤフィールド４内の拡張ドライブテストゾーンＥＤＲＴＺの追加設定回数情報を１だけインクリメント（回数と１だけ加算）し、さらに新たに設定する。拡張ドライブテストゾーンＥＤＲＴＺの開始／終了位置情報を付け加えた記録位置管理データーＲＭＤをメモリー部１７５に一時保存する
→ （１１） → （７） → （１２） へ移動する
【０１３０】
＊ （１２） （７） で行った試し書きの結果得られた最適な記録条件でユーザーデーターの追記可能範囲２０５内に必要なユーザー情報を追記する
→ （１３） （１２） に対応して新たに発生したＲゾーン内の開始/終了位置情報（図３１）を追記して更新された記録位置管理データーＲＭＤをメモリー部１７５に一時保存する
→ （１４） 制御部１４３が制御して情報記録再生部１４１がメモリー部１７５に一時保存されている最新の記録位置管理データーＲＭＤを記録位置管理ゾーンＲＭＺ内の未記録領域２０６（例えば図２２（ｂ））内に追加記録する
【０１３１】
図３１に示すようにＲＭＤフィールド５内は拡張代替え領域ＥＳＰＡの位置情報が記録される。追記形情報記憶媒体において代替え領域が拡張可能となっており、その代替え領域の位置情報が位置管理データー
ＲＭＤで管理される所に本実施例の特徴が有る（図１（Ｃ１））。図２３（ｅ）に示す実施例では拡張代替え領域１ＥＳＰＡ１と拡張代替え領域２ＥＳＰＡ２の２箇所に拡張代替え領域ＥＳＰＡを設定しているのでＲＭＤフィールド５内の最初に記載されている“拡張代替え領域ＥＳＰＡの追加設定回数”は“２”となる。また最初に設定した拡張代替え領域ＥＳＰＡの開始位置情報はδ点位置、最初に設定した拡張代替え領域ＥＳＰＡの終了位置情報はγ点の直前の位置、２番目に設定した拡張代替え領域ＥＳＰＡの開始位置情報はζ点の位置、２番目に設定した拡張代替え領域ＥＳＰＡの終了位置情報はε点の直前位置に対応する。
【０１３２】
また図３１のＲＭＤフィールド５内は欠陥管理に関する情報が記録される。代替え領域ＳＰＡ（あるいは拡張代替え領域ＥＳＰＡ）の既使用量または残量情報をＲＭＤ内に記録する所に本実施例の特徴（図１（Ｃ２））がある。具体的には図３１のＲＭＤフィールド５内の最初の欄でデーターリードイン領域DTLDIに隣接した代替え領域内で既に代替えに使用したＥＣＣブロックの数情報または物理セグメントブロック数情報が記録される。本実施例ではユーザーデーターの追記可能範囲２０４内で発見された欠陥領域に対してはＥＣＣブロック単位で代替え処理がなされる。
後述するように１ＥＣＣブロックを構成する１個のデーターセグメントが１個の物理セグメントブロック領域に記録されるので、既に行われた代替え回数は既に代替えに使用したＥＣＣブロックの数（または物理セグメントブロック数、データーセグメント数）に等しくなる。従ってこの欄での記載情報の単位はＥＣＣブロック単位または物理セグメントブロック単位、データーセグメント単位となる。
【０１３３】
追記形情報記憶媒体では代替え領域ＳＰＡあるいは拡張代替え領域ＥＳＰＡ内では交替処理として使用される場所はＥＣＣブロックアドレス番号の若い内周側から順次使用される場合が多い。従ってこの欄の情報として他の実施例では代替えへの使用済み場所の最後の位置情報としてＥＣＣブロックアドレス番号を記載する事も可能である。
また図３１に示すように最初に設定した拡張代替え領域１ＥＳＰＡ１と２番目に設定した拡張代替え領域２ＥＳＰＡ２に対しても同様な情報（“最初に設定した拡張代替え領域ＥＳＰＡ内の既に代替えに使用したＥＣＣブロックの数情報または物理セグメントブロック数情報あるいは代替えへの使用済み場所の最後の位置情報（ＥＣＣブロックアドレス番号）”と“２番目に設定した拡張代替え領域ＥＳＰＡ内の既に代替えに使用したＥＣＣブロックの数情報または物理セグメントブロック数情報あるいは代替えへの使用済み場所の最後の位置情報（ＥＣＣブロックアドレス番号）”）を記録する欄が存在する。
【０１３４】
これらの情報を利用して、次の１）、２）が行える。
１）次に代替え処理する時にユーザーデーターの追記可能範囲２０５内で見つかった欠陥領域に対する新たに設定すべき代替え場所が即座に分かる
…  代替えへの使用済み場所の最後の位置の直後に新たな代替えを行う
２）計算により代替え領域ＳＰＡまたは拡張代替え領域ＥＳＰＡ内の残量が求められ、（残量が足りない場合には）新たな拡張代替え領域ＥＳＰＡの設定の必要性有無が分かる
【０１３５】
またデーターリードイン領域DTLDIに隣接した代替え領域ＳＰＡのサイズは事前に知られているので、代替え領域ＳＰＡ内で既に代替えに使用したＥＣＣブロックの数に関する情報が有れば代替え領域ＳＰＡ内での残量を計算できるが、代替え領域ＳＰＡ内での残量情報である今後代替えに使用可能な未使用場所のＥＣＣブロックの数情報または物理セグメントブロック数情報の記録枠を設けることで即座に残量が分かり、更なる拡張代替え領域ＥＳＰＡに関する設定必要性の有無判定に必要な時間の短縮化が図れる。同様な理由から“最初に設定した拡張代替え領域ＥＳＰＡ内での残量情報”と“２番目に設定した拡張代替え領域ＥＳＰＡ内での残量情報”も記録できる枠が設けられている（図１（Ｃ２））。
【０１３６】
本実施例では追記形情報記憶媒体において代替え領域ＳＰＡを拡張可能とし、その位置情報を記録位置管理データーＲＭＤ内で管理する形となっている（図１（Ｃ１））。図２２（ｅ）に示すように、ユーザーデーターの追記可能範囲２０４内に必要に応じて任意の開始位置、任意のサイズで拡張代替え領域１，２ ＥＳＰＡ１、ＥＳＰＡ２などが拡張設定できる。従ってＲＭＤフィールド５内に拡張代替え領域ＥＳＰＡの追加設定回数情報が記録され、最初に設定した拡張代替え領域ＥＳＰＡの開始位置情報や２番目に設定した拡張代替え領域ＥＳＰＡの開始位置情報が設定可能となっている。これらの開始位置情報は物理セクター番号またはＥＣＣブロックアドレス番号（あるいは物理セグメントブロック番号、データーセグメントアドレス）で記述される。図３０の実施例では拡張代替え領域ＥＳＰＡの範囲を規定する情報として“最初に設定した拡張代替え領域ＥＳＰＡの終了位置情報”や“２番目に設定した拡張代替え領域ＥＳＰＡの終了位置情報”が記録される形になっているが他の実施例としてそれら終了位置情報の変わりに拡張代替え領域ＥＳＰＡのサイズ情報がＥＣＣブロック数または物理セグメントブロック数、データーセグメント数、ＥＣＣブロック数あるいは物理セクター数で記録される事も可能である。
【０１３７】
ＲＭＤフィールド６には欠陥管理情報が記録される。本実施例では欠陥処理に関する情報記憶媒体に記録する情報の信頼性を向上する方法として、次の［１］、［２］の２種類の方法が対応できるようにする。
［１］欠陥場所に記録を予定していた情報を代替え場所に記録する従来の“交替モード”
［２］同じ内容の情報を情報記憶媒体上の異なる場所に２回記録して信頼性を上げる“多重化モード”
このどちらのモードで処理するかの情報を図３２に示すように記録位置管理データーＲＭＤ内の２次欠陥リストエントリー情報内の“欠陥管理処理の種別情報”内に記録される（図１（Ｃ３））。
【０１３８】
２次欠陥リストエントリー情報内の内容は次が対応する。
［１］交替モードの場合
・欠陥管理処理の種別情報を“０１”に設定する（従来のＤＶＤ−ＲＡＭと同様）
・“交替元ＥＣＣブロックの位置情報”とはユーザーデーターの追記可能範囲２０５の中で欠陥場所として発見されたＥＣＣブロックの位置情報を意味し、本来ここへ記録予定の情報が記録されず代替え領域内などに記録される。
・“交替先ＥＣＣブロックの位置情報”とは図２３（ｅ）の代替え領域ＳＰＡまたは拡張代替え領域１  ＥＳＰＡ１、拡張代替え領域２ ＥＳＰＡ２ の中に設定される交替先の場所の位置情報を示し、ユーザーデーターの追記可能範囲２０５内で発見された欠陥場所に記録予定の情報がここに記録される。
【０１３９】
［２］多重化モード（図１（Ｃ３））の場合
・欠陥管理処理の種別情報を“１０”に設定し、
・“交替元ＥＣＣブロックの位置情報”とは非欠陥の場所であり、記録予定の情報が記録されると共にここに記録された情報は正確に再生できる場所の位置情報を表す。
・“交替先ＥＣＣブロックの位置情報”とは図２３（ｅ）の代替え領域ＳＰＡまたは拡張代替え領域１  ＥＳＰＡ１、拡張代替え領域２ ＥＳＰＡ２ の中に設定される多重化のために上記“交替元ＥＣＣブロックの位置情報”に記録された情報と全く同じ内容が記録される場所の位置情報を表す。
【０１４０】
上記“［１］交替モード”で記録した場合には、記録直後の段階では情報記憶媒体へ記録された情報が正確に読み出せる事は確認される。しかしその後にユーザーの不手際などで情報記憶媒体に傷やゴミが付着して上記記録が再生できなくなる危険性が有る。
それに対して上記“［２］多重化モード”で記録した場合には、ユーザーの不手際などで情報記憶媒体に傷やゴミが付着して部分的に情報が読めなくなったとしても他の部分に同じ情報がバックアップされているので情報再生の信頼性が格段に向上する。このときに読めなかった情報に対して上記バックアップされた情報を利用して“［１］交替モード”の交替処理を行えば更に信頼性が向上する。
従って上記“［２］多重化モード”の処理あるいは“［１］交替モード”の処理と“［２］多重化モード”の処理を組み合わせる事で傷やゴミの対策も考慮に入れた記録後の高い情報再生信頼性を確保出来ると言う効果が有る。
【０１４１】
また、上記ＥＣＣブロックの位置情報を記述する方法として上記ＥＣＣブロックを構成する先頭位置に有る物理セクターの物理セクター番号を記述する方法以外にＥＣＣブロックアドレスまたは物理セグメントブロックアドレスあるいはデーターセグメントアドレスを記載する方法も有る。後述するように本実施例では１ＥＣＣブロックサイズのデーターが入るデーター上の領域をデーターセグメントと呼ぶ。またデーターを記録する場所の情報記憶媒体上の物理的な単位として物理セグメントブロックが定義されており、１個の物理セグメントブロックサイズと１個のデーターセグメントを記録する領域のサイズが一致している。
【０１４２】
本実施例では交替処理前に事前に検出された欠陥位置情報も記録できる仕組みも持っている。これにより情報記憶媒体の製造メーカーが出荷直前にユーザーデーターの追記可能範囲２０４内の欠陥状態を検査し、発見された欠陥場所を（交替処理前に）事前に記録したり、ユーザーの所で情報記録再生装置がイニシャライズ処理を行った時にユーザーデーターの追記可能範囲２０４内の欠陥状態を検査し、発見された欠陥場所を（交替処理前に）事前に記録できるようにしてある。
このように交替処理前に事前に検出された欠陥位置を示す情報が図３２に示す２次欠陥リストエントリー情報内の“欠陥ブロックの代替えブロックへの交替処理有無情報”（ＳＬＲ：Status of Linear Replacement ）である。
【０１４３】
◎ 欠陥ブロックの代替えブロックへの交替処理有無情報ＳＬＲが“０”の時には
…  “交替元ＥＣＣブロックの位置情報”で指定された欠陥ＥＣＣブロックに対して交替処理がなされ、“交替先ＥＣＣブロックの位置情報”で指定された場所に再生可能な情報が記録されている。
◎ 欠陥ブロックの代替えブロックへの交替処理有無情報ＳＬＲが“１”の時には
…  “交替元ＥＣＣブロックの位置情報”で指定された欠陥ＥＣＣブロックは交替処理前の段階で事前に検出された欠陥ブロックを意味し、“交替先ＥＣＣブロックの位置情報”の欄はブランク（何も情報が記録されて無い）となっている。
【０１４４】
このように欠陥場所が事前に分かっていると、情報記録再生装置がユーザーデーターを追記形情報記憶媒体に追記する段階で高速に（かつリアルタイムで）最適な交替処理を行えると言う効果が有る。特に映像情報などを情報記憶媒体に記録する場合には記録時の連続性を保証する必要が有り、上記情報に基付く高速な交替処理が重要となる。
【０１４５】
また欠陥管理の管理情報領域（ＲＭＤフィールド６）が拡張可能（図１〔Ｃ〕）となっている所に本実施例の特徴が有る。ユーザーデーターの追記可能範囲２０５内に欠陥が有ると代替え領域ＳＰＡあるいは拡張代替え領域ＥＳＰＡ内の所定場所で交替処理が行われるが、その１回の交替処理毎に１個の２次欠陥リストエントリー（ Secondary Defect List Entry ）情報が付加され、欠陥ＥＣＣブロックの位置情報と代替えに利用されたＥＣＣブロックの位置情報の組情報がこのＲＭＤフィールド６内に記録される。ユーザーデーターの追記可能範囲２０５内に新たにユーザーデーターの追記を繰り返す時に新たな欠陥場所が発見されると交替処理を行い、２次欠陥リストエントリー情報の数が増える。この２次欠陥リストエントリー情報の数が増えた記録位置管理データーＲＭＤを図２２（ｂ）に示すように記録位置管理ゾーンＲＭＺ内の未記録領域２０６内に追記する事により欠陥管理の管理情報領域（ＲＭＤフィールド６）を拡張する（図１〔Ｃ〕）事に対応する。
【０１４６】
本実施例を行うことで下記の理由から欠陥管理情報自体の信頼性を向上させることが出来る。
１）記録位置管理ゾーンＲＭＺ内の欠陥場所を回避して記録位置管理データーＲＭＤを記録できる
…  図２２（ｂ）に示す記録位置管理ゾーンＲＭＺ内でも欠陥場所が発生する場合が有る。記録位置管理ゾーンＲＭＺ内で新たに追記した記録位置管理データーＲＭＤの内容を追記直後に確認（ベリファイ）する事で欠陥による記録不可能な状態を検知でき、その場合にはその隣に記録位置管理データーＲＭＤを書き直す事で記録位置管理データーＲＭＤを高い信頼性を保証した形で記録する事が出来る。
【０１４７】
２）情報記憶媒体表面に付いた傷などにより過去の記録位置管理データーＲＭＤの再生が不可能になっても有る程度のバックアップが可能となる
…  例えば図２２（ｂ）の例を取った場合、記録位置管理データーＲＭＤ＃２を記録した後でユーザーのミス等で情報記憶媒体表面に傷が付き、記録位置管理データーＲＭＤ＃２の再生が不可能になった状態を例として想定する。この場合、代わりに記録位置管理データーＲＭＤ＃１の情報を再生する事で有る程度過去の欠陥管理情報（ＲＭＤフィールド６内の情報）を修復できる。
【０１４８】
また、ＲＭＤフィールド６の最初にはＲＭＤフィールド６のサイズ情報が記録されており、このフィールドサイズを可変にして欠陥管理の管理情報領域（ＲＭＤフィールド６）を拡張可能（図１〔Ｃ〕）としている。各ＲＭＤフィールドは２０４８サイズ（１物理セクターサイズ分）に設定していると既に説明したが、情報記憶媒体の欠陥が多く、交替処理回数が多くなると２次欠陥リスト情報（ Secondary Defect List ）のサイズが増大し、２０４８バイトサイズ（１物理セクターサイズ分）では収まらなくなる。その状況を考慮してＲＭＤフィールド６は２０４８サイズの複数倍（複数のセクターに跨って記録可能）に出来る形となっている。つまり“ＲＭＤフィールド６のサイズ”が２０４８バイトを越えた場合には複数物理セクター分の領域をＲＭＤフィールド６に割り当てる事になる。
【０１４９】
また２次欠陥リスト情報ＳＤＬ内には上記説明した２次欠陥リストエントリー情報の他に、２次欠陥リスト情報ＳＤＬの開始位置を示す“２次欠陥リスト識別情報”、この２次欠陥リスト情報ＳＤＬを何回書き替えたかの回数情報を示す“２次欠陥リストのアップデートカウンター（アップデート回数情報）”が記録される。また“２次欠陥リストエントリーの数情報”により２次欠陥リスト情報ＳＤＬ全体のデーターサイズが分かる。
【０１５０】
ユーザーデーターの追記可能範囲２０５内には論理的にＲゾーン（ R Zone ）単位でユーザーデーターの記録を行う事を既に説明した。すなわちユーザーデーターを記録するために予約されるユーザーデーターの追記可能範囲２０５内の一部をＲゾーン（ R Zone ）と呼ぶ。記録条件に応じこのＲゾーンは２種類のＲゾーンに分けられる。その中に追加ユーザーデーターが更に記録できるタイプを“オープン形Ｒゾーン（ Open R Zone ）”と呼び、その中に更なるユーザーデーターが追加できないタイプを“完結形Ｒゾーン（ Complete R Zone ）”と呼ぶ。
【０１５１】
ユーザーデーターの追記可能範囲２０５内では３個以上の“オープン形Ｒゾーン”を持つ事が出来ない（すなわちユーザーデーターの追記可能範囲２０５内では“オープン形Ｒゾーン”は２箇所までしか設定できない）。ユーザーデーターの追記可能範囲２０５内で上記２種類いずれかのＲゾーンを設定していない場所、すなわちユーザーデーターを記録するために（上記２種類のＲゾーンのいずれかとして）予約され場所を“未指定状態のＲゾーン（ Invisible R Zone ）”と呼ぶ。
【０１５２】
ユーザーデーターの追記可能範囲２０５内に全てユーザーデーターが記録され、追加できない場合には、この“未指定状態のＲゾーン”は存在しない。ＲＭＤフィールド７内は２５４番目までのＲゾーンの位置情報が記録される。ＲＭＤフィールド７内の最初に記録される“全体のＲゾーンの数情報”はユーザーデーターの追記可能範囲２０５内に論理的に設定される“未指定状態のＲゾーン（ Invisible R Zone ）”の数と“オープン形Ｒゾーン（ Open R Zone ）”の数と“完結形Ｒゾーン（ Complete R Zone ）”の数の合計数を表している。次に最初の“オープン形Ｒゾーン（ Open R Zone ）”の数情報と２番目の“オープン形Ｒゾーン（ Open R Zone ）”の数情報が記録されるが、前述したようにユーザーデーターの追記可能範囲２０５内では３個以上の“オープン形Ｒゾーン”を持つ事が出来ないので、ここは“１”または“０”（最初または２番目のオープン形Ｒゾーンが存在しない場合）が記録される。次には最初の“完結形Ｒゾーン（ Complete R Zone ）”の開始位置情報と終了位置情報が物理セクター番号で記載される。その次には２番目から２５４番目までの開始位置情報と終了位置情報が順次物理セクター番号で記載される。
【０１５３】
ＲＭＤフィールド８以降は２５５番目以降の開始位置情報と終了位置情報が順次物理セクター番号で記載され、“完結形Ｒゾーン（ Complete R Zone ）”の数に応じて最大ＲＭＤフィールド１５まで（最大２０４７個の完結形Ｒゾーンまで）記載可能になっている。
【０１５４】
２０４８バイト単位のユーザーデーターを記録したデーターフレーム構造からＥＣＣブロックを構成し、同期コードを付加した後、情報記憶媒体に記録する物理セクター構造を形成するまでの変換手順の概略に付いて図３４に示す。この変換手順は再生専用形情報記憶媒体、追記形情報記憶媒体、書替え形情報記憶媒体いずれも共通に採用される。各変換段階に応じて、データフレーム( Data Frame )、スクランブル後のフレーム( scrambled frame )、レコーディングフレーム( Recording Frame )または記録データフィールド( Recorded Data Field )と呼ぶ。データフレームはユーザーデータが記録される場所であり２０４８バイトからなるメインデータ、４バイトのデータＩＤ、２バイトのＩＤエラー検出コード（ＩＥＤ）、６バイトの予約バイト（ Reserved Bytes ）ＲＳＶ、４バイトのエラー検出コード（ＥＤＣ）から構成される。
【０１５５】
始めに後述するデーターＩＤにＩＥＤ（ＩＤエラー検出コード）が付加された後、６バイトの予約バイトとデータフレームはユーザーデータが記録される場所であり２０４８バイトからなるメインデータを付加し、更にエラー検出コード（ＥＤＣ）を付加した後、メインデータに対するスクランブルが実行される。
ここで、スクランブルされた３２個のデータフレーム（スクランブルドフレーム）に対して、クロスリードソロモンエラーコレクションコード( Cross Reed-Solomon Error Correction Code )が適用されて、ＥＣＣエンコード処理が実行される。これによりレコーディングフレームが構成される。このレコーディングフレームは、アウターパリティコード( Parity of Outer-code ）ＰＯ、インナーパリティコード（ Parity of Inner-code ）ＰＩ を含む。ＰＯ、ＰＩは、それぞれ３２個のスクランブルドフレームによりなる各ＥＣＣブロックに対して作成されたエラー訂正コードである。
【０１５６】
記録フレームは、前述したように８データービットを１２チャネルビットに変換するＥＴＭ（ Eight to Twelve Modulation ）変調される。そして、９１バイト毎に先頭に同期コード（シンクコード：Sync Code ）ＳＹＮＣ が付加され３２個の物理セクターが形成される。図３４の右下の枠内に記載されているように３２セクターで一つのエラー訂正単位（ＥＣＣブロック）を構成する所に本実施例の特徴がある（図２（Ｈ２））。
また後述するように図３８または図３９での各枠内の“０”から“３１”までの番号は各物理セクターの番号を示し、“０”から“３１”までの合計３２個の物理セクターで１個の大きなＥＣＣブロックを構成する構造になっている。
【０１５７】
次世代ＤＶＤにおいては現世代ＤＶＤと同じ程度の長さの傷が情報記憶媒体表面に付いた場合でもエラー訂正処理で正確な情報が再生できる事を要求される。本発明実施例で大容量化を目指して記録密度を高めた。その結果、従来の１ＥＣＣブロック＝１６セクターの場合にはエラー訂正で補正可能な物理的傷の長さが従来のＤＶＤに比べて短くなる。本発明実施例のように１ＥＣＣブロックを３２セクターで構成する構造にする事でエラー訂正可能な情報記憶媒体表面傷の許容長さを長くできると共に現行ＤＶＤＥＣＣブロック構造の互換性・フォーマット継続性を確保できると言う効果が有る。
【０１５８】
図３５にデーターフレーム内の構造を示す。１個のデータフレームは、１７２バイト×２×６行からなる２０６４バイトであり、そのなかに２０４８バイトのメインデータを含む。
図３６（ａ）は、スクランブル後のフレームを作成するときに、フィードバックシフトレジスタに与える初期値の例を示し、図３６（ｂ）は、スクランブルバイトを作成するためのフィードバックシフトレジスタの回路構成を示している。ｒ７（ＭＳＢ）からｒ０（ＬＳＢ）が、８ビットずつシフトし、スクランブルバイトとして用いられる。図３６（ａ）に示すように本実施例では１６種類のプリセット値が用意されている。図３６（ａ）の初期プリセット番号は、データＩＤの４ビット（ｂ７（ＭＳＢ）〜ｂ４（ＬＳＢ））に等しい。データフレームのスクランブルの開始時には、ｒ１４〜ｒ０の初期値は、図３６（ａ）のテーブルの初期プリセット値にセットしなければならない。１６個の連続するデータフレームに対して、同じ初期プリセット値が用いられる。次には、初期プリセット値が切り換えられ、１６個の連続するデータフレームに対しては、切り換わった同じプリセット値が用いられる。
ｒ７〜ｒ０の初期値の下位８ビットは、スクランブルバイトＳ０として取り出される。その後、８ビットのシフトが行なわれ、次にスクランブルバイトが取り出され、２０４７回このような動作が繰り替えされる。
【０１５９】
図３７に本実施例におけるＥＣＣブロック構造を示す。ＥＣＣブロックは、連続する３２個のスクランブルドフレームから形成されている。縦方向に１９２行＋１６行、横方向に（１７２＋１０）×２列が配置されている。Ｂ０，０、Ｂ１，０、…はそれぞれ１バイトである。ＰＯは、ＰＩは、エラー訂正コードであり、アウターパリティ、インナーパリティである。本実施例では積符号を用いたＥＣＣ ブロック構造を構成している。すなわち情報記憶媒体に記録するデーターを２次元状に配置し、エラー訂正用付加ビットとして“行”方向に対してはＰＩ（ Parity in ）、“列”方向に対してはＰＯ（ Parity out ）を付加した構造になっている。このように積符号を用いたＥＣＣ ブロック構造を構成する事でイレイジャー訂正および縦と横の繰り返し訂正処理による高いエラー訂正能力を保証できる。
【０１６０】
図３７に示すＥＣＣブロック構造は従来のＤＶＤのＥＣＣブロック構造とは異なり、同一“行”内で２箇所ＰＩを設定している所に特徴がある。すなわち図３７において中央に記載された１０バイトサイズのＰＩは、その左側に配置されている１７２バイトに対して付加される。すなわち例えば Ｂ０，０ から Ｂ０,１７１ の１７２バイトのデーターに対してＰＩとして Ｂ０,１７２ から Ｂ０,１８１ の１０バイトのＰＩを付加し、Ｂ１，０ から Ｂ１,１７１ の１７２バイトのデーターに対してＰＩとして Ｂ１,１７２ から Ｂ１,１８１ の１０バイトのＰＩを付加する。また図３７の右端に記載された１０バイトサイズのＰＩは、その左側で中央に配置されている１７２バイトに対して付加される。すなわち例えば Ｂ０，１８２ から Ｂ０,３５３ の１７２バイトのデーターに対してＰＩとして Ｂ０,３５４ から Ｂ０,３６３ の１０バイトのＰＩを付加する。
【０１６１】
図３８にスクランブル後のフレーム配列説明図を示す。（６行×１７２バイト）単位が１スクランブル後のフレームとして扱われる。すなわち、１ＥＣＣブロックは連続する３２個のスクランブル後のフレームからなる。さらに、このシステムでは（ブロック１８２バイト×２０７バイト）をペアとして扱う。左側のＥＣＣブロックの各スクランブル後のフレームの番号にＬを付け、右側のＥＣＣブロックの各スクランブル後のフレームの番号にＲを付けると、スクランブル後のフレームは、図３８に示すように配置されている。すなわち、左側のブロックに左と右のスクランブル後のフレームが交互に存在し、右側のブロックにスクランブル後のフレームが交互に存在する。
【０１６２】
すなわち、ＥＣＣブロックは、３２個の連続スクランブル後のフレームから形成される。奇数セクタの左半分の各行は、右半分の行と交換されている。１７２×２バイト×１９２行は１７２バイト×１２行×３２スクランブルドフレームに等しく、データ領域となる。１６バイトのＰＯが、各１７２×２列にＲＳ（２０８，１９２，１７）のアウターコードを形成するために付加される。また１０バイトのＰＩ（ＲＳ（１８２，１７２，１１））が、左右のブロックの各２０８×２行に付加される。ＰＩは、ＰＯの行にも付加される。フレーム内の数字は、スクランブルドフレーム番号を示し、サフィックスのＲ，Ｌは、スクランブルドフレームの右側半分と、左側半分を意味する。
【０１６３】
同一のデーターフレーム内を複数の小ＥＣＣブロックに分散配置する所（図２〔Ｈ〕）に本実施例の特徴がある。具体的には本実施例では２個の小ＥＣＣブロックで大きな１ＥＣＣブロックを構成し、同一のデーターフレーム内をこの２個の小ＥＣＣブロック内に交互に分散配置（図２（Ｈ１））する。図３７の説明の所で、中央に記載された１０バイトサイズのＰＩは、その左側に配置されている１７２バイトに対して付加され、右端に記載された１０バイトサイズのＰＩは、その左側で中央に配置されている１７２バイトに対して付加される事を既に説明した。つまり図３７の左端から１７２バイトと連続する１０バイトのＰＩで左側（ Left 側）の小ＥＣＣブロックを構成し、中央の１７２バイトから右端の１０バイトのＰＩで右側（ Right 側）の小ＥＣＣブロックを構成している。それに対応して図３８の各枠内の記号が設定されている。例えば図３８内の“２−Ｒ”などの意味はデーターフレーム番号と左右の小ＥＣＣブロックのどちらに属するか（例えば２番目のデーターフレーム内で Right 側の小ＥＣＣブロックに属する）を表している。
また後述するように最終的に構成される各物理セクター毎に同一物理セクター内のデーターも交互に左右の小ＥＣＣブロック内に分散配置される（図３９における左半分の列は左側（ Left 側）の小ＥＣＣブロック内に含まれ、右半分の列は右側（ Right 側）の小ＥＣＣブロック内に含まれる。
【０１６４】
このように同一のデーターフレーム内を複数の小ＥＣＣブロックに分散配置する（図１〔Ｈ〕）と物理セクター（図３９）内データーのエラー訂正能力を向上させる事による記録データーの信頼性向上が図れる。例えば記録時にトラックが外れて既記録データー上をオーバーライトしてしまい、１物理セクター分のデーターが破壊された場合を考える。本発明実施例では１セクター内の破壊データーを２個の小ＥＣＣブロックを用いてエラー訂正を行うため、１個のＥＣＣブロック内でのエラー訂正の負担が軽減され、より性能の良いエラー訂正が保証される。また本発明実施例ではＥＣＣブロック形成後でも各セクターの先頭位置に データーＩＤ が配置される構造になっているため、アクセス時のデーター位置確認が高速で行える。
【０１６５】
図３９にＰＯのインターリーブ方法の説明図を示す。図３９に示す様に、１６のパリティ行は、１行ずつ分散される。すなわち、１６のパリティ行は、２つのレコーディングフレーム置きに対して、１行ずつ配置される。したがって、１２行からなるレコーディングフレームは、１２行＋１行となる。この行インターリーブが行なわれた後、１３行×１８２バイトは、レコーディングフレームとして参照される。したがって、行インターリーブが行なわれた後のＥＣＣブロックは３２個のレコーディングフレームからなる。１つのレコーディング内には、図３８で説明したように、右側と左側のブロックの行が６行ずつ存在する。また、ＰＯは左のブロック（１８２×２０８バイト）と右のブロック（１８２×２０８バイト）間では、異なる行に位置するように配置されている。図３９では、１つの完結型のＥＣＣブロックとして示している。しかし、実際のデータ再生時には、このようなＥＣＣブロックが連続してエラー訂正処理部に到来する。このようなエラー訂正処理の訂正能力を向上するために、図３９に示すようなインターリーブ方式が採用された。
【０１６６】
また、物理セクター構造を図４０に示す。図４０（ａ）が偶数番目の物理セクター構造を示し、図４０（ｂ）が奇数番目のデーター構造を示す。図４０において偶数記録データ領域( Even Recorded data field )及び奇数記録データ領域( Odd Recorded data field )のいずれも最後の２シンクフレーム（すなわち、最後のシンクコードがＳＹ３の部分とその直後のシンクデータ及びシンクコードがＳＹ１の部分とその直後のシンクデータが並んだ部分）内のシンクデータ領域に図３９で示したアウターパリティＰＯの情報が挿入される。
【０１６７】
偶数記録データ領域内の最後の２シンクフレーム箇所には図３８に示した左側のＰＯの一部が挿入され、奇数記録データ領域内の最後の２シンクフレーム箇所には図３８に示した右側のＰＯの一部が挿入される。図３８に示すように１個のＥＣＣブロックはそれぞれ左右の小ＥＣＣブロックから構成され、セクタ毎に交互に異なるＰＯグループ（左の小ＥＣＣブロックに属するＰＯか、右の左の小ＥＣＣブロックに属するＰＯか）のデータが挿入される。図４０（ａ）に示した偶数番目の物理セクター構造と図４０（ｂ）に示した奇数番目のデーター構造いずれも中心線で２分割され、左側の“２４＋１０９２＋２４＋１０９２チャネルビット”が図３７または図３８に示した左側（ Left 側）の小ＥＣＣブロック内に含まれ、右側の“２４＋１０９２＋２４＋１０９２チャネルビット”が図３７または図３８に示した右側（ Right 側）の小ＥＣＣブロック内に含まれる。
【０１６８】
図４０に示した物理セクター構造が情報記憶媒体に記録される場合には各１列毎にシリアルに記録される。
従って例えば図４０（ａ）に示した偶数番目の物理セクター構造のチャネルビットデーターを情報記憶媒体に記録する場合には、最初に記録する２２３２チェネルビットのデーターが左側（ Left 側）の小ＥＣＣブロック内に含まれ、次ぎに記録する２２３２チェネルビットのデーターが右側（ Right 側）の小ＥＣＣブロック内に含まる。更に次ぎに記録する２２３２チェネルビットのデーターは左側（ Left 側）の小ＥＣＣブロック内に含まれる。
【０１６９】
それに対して図４０（ｂ）に示した奇数番目のデーター構造のチャネルビットデーターを情報記憶媒体に記録する場合には、最初に記録する２２３２チェネルビットのデーターが右側（ Right 側）の小ＥＣＣブロック内に含まれ、次ぎに記録する２２３２チェネルビットのデーターが左側（ Left 側）の小ＥＣＣブロック内に含まる。更に次ぎに記録する２２３２チェネルビットのデーターは右側（ Right 側）の小ＥＣＣブロック内に含まれる。
【０１７０】
このように本実施例では同一の物理セクター内を２個の小ＥＣＣブロック内に２２３２チェネルビット毎に交互に所属させる（図２（Ｈ１））所に特徴がある。これを別の形で表現すると右側（ Right 側）の小ＥＣＣブロック内に含まれデーターと左側（ Left 側）の小ＥＣＣブロック内に含まれるデーターを２２３２チェネルビット毎に交互に分散配置した形で物理セクターを形成して情報記憶媒体に記録する事になる。その結果バーストエラーに強い構造を提供できると言う効果が生じる。例えば情報記憶媒体の円周方向に長い傷が付き、１７２バイトを越えるデーターの判読が不可能になったバーストエラーの状態を考える。この場合の１７２バイトを越えるバーストエラーは２つの小さいＥＣＣブロック内に分散配置されるので、１個のＥＣＣブロック内でのエラー訂正の負担が軽減され、より性能の良いエラー訂正が保証される。
【０１７１】
また図４０に示すように１個のＥＣＣブロックを構成する物理セクターの物理セクター番号が偶数番号か奇数番号かで物理セクター内のデーター構造が異なる（図１（Ｈ３））所に特徴がある。つまり、次の１）、２）の構造になっている。
１）物理セクターの最初の２２３２チェネルビットデーターが属する小ＥＣＣブロック（右側か左側か）が異なる
２）セクター毎に交互に異なるＰＯグループのデーターが挿入される構造になっている
【０１７２】
その結果、ＥＣＣブロックを構成した後でも全ての物理セクターの先頭位置にデーターＩＤが配置される構造を保証するため、アクセス時のデーター位置確認が高速で行える。また、同一物理セクター内に異なる小ＥＣＣブロックに属するＰＯを混在挿入するより図３９のようなＰＯ挿入方法を採る方法が構造が簡単になり、情報再生装置内でのエラー訂正処理後の各セクター毎の情報抽出が容易になると共に、情報記録再生装置内でのＥＣＣブロックデーターの組立て処理の簡素化が図れる。
【０１７３】
また上記内容を具体的に実現する方法としてＰＯのインターリーブ・挿入位置が左右で異なる構造（図２（Ｈ４））としている。図３９内の狭い２重線で示された部分、あるいは狭い２重線と斜線で示された部分がＰＯのインターリーブ・挿入位置を示し、偶数番目の物理セクター番号では左側の最後に、奇数番目の物理セクター番号では右側の最後にそれぞれＰＯが挿入される。この構造を採用する事でＥＣＣブロックを構成した後でも物理セクターの先頭位置にデーターＩＤ配置される構造になっているため、アクセス時のデーター位置確認が高速で行える。
【０１７４】
図４０に示した同期コード（シンクコード）“ＳＹ０”から“ＳＹ３”までの具体的なパターン内容の実施例を図４１に示す。本実施の形態の変調規則（詳細説明は後述）に対応してState０からState２までの３状態（State）を有する。ＳＹ０からＳＹ３までのそれぞれ４種類のシンクコードが設定され、各状態に応じて図４１の左右のグループから選択される。現行ＤＶＤ規格では変調方式として８／１６変調（８ビットを１６チャネルビットに変換）のＲＬＬ（２，１０）（Run Length Limited：ｄ＝２、ｋ＝１０：“０”が連続して続く範囲の最小値が２、最大値が１０）を採用しており、変調にState１からState４までの４状態、ＳＹ０からＳＹ７までの８種類のシンクコードが設定されている。それに比べると本実施の形態は同期コード（シンクコード）の種類が減少している。情報記録再生装置または情報再生装置では情報記憶媒体からの情報再生時にパターンマッチング法によりシンクコードの種別を識別する。本実施の形態のようにシンクコードの種類を大幅に減らすことにより、マッチングに必要な対象パターンを減らし、パターンマッチングに必要な処理を簡素化して処理効率を向上させるばかりで無く、認識速度を向上させることが可能となる。
【０１７５】
図４１において“＃”で示したビット（チャネルビット）はＤＳＶ（Digital Sum Value）制御ビットを表している。上記ＤＳＶ制御ビットは後述するようにＤＳＶ制御器（ＤＳＶコントローラ）によりＤＣ成分を抑圧する（ＤＳＶの値が“０”に近付く）ように決定される。同期コード内に極性反転チャネルビット“＃”を含む（図２〔Ｉ〕）所も本実施例の特徴となっている。上記同期コード（シンクコード）を挟んだ両側のフレームデータ領域（図４０の１０９２チャネルビットの領域）を含め、巨視的に見てＤＳＶ値が“０”に近付くように“＃”の値を“１”か“０”に選択でき、巨視的な視野に立ったＤＳＶ制御が可能になると言う効果が有る。
【０１７６】
図４１に示すように本実施の形態におけるシンクコードは下記の（１）〜（４）から構成されている。
（１）同期位置検出用コード部
全てのシンクコードで共通なパターンを持ち、固定コード領域を形成する。このコードを検出することでシンクコードの配置位置を検出出来る。具体的には図４１の各シンクコードにおける最後の１８チャネルビット“０１００００  ００００００  ００１００１”の所を意味している。
【０１７７】
（２）変調時の変換テーブル選択コード部
可変コード領域の一部を形成し、変調時のState番号に対応して変化するコードである。図４１の最初の１チャネルビットのところが該当する。すなわち、State１、State２のいずれかを選択する場合にはＳＹ０からＳＹ３までのいずれのコードでも最初の１チャネルビットが“０”となり、State０選択時にはシンクコードの最初の１チャネルビットが“１”となっている。但し、例外としてState０でのＳＹ３の最初の１チャネルビットは“０”となる。
【０１７８】
（３）シンクフレーム位置識別用コード部
シンクコード内でのＳＹ０からＳＹ３までの各種類を識別するコードで、可変コード領域の一部を構成する。図４１の各シンクコードにおける最初から１番目から６番目までのチャネルビット部がこれに相当する。後述するように連続して検出される３個ずつのシンクコードのつながりパターンから同一セクタ内の相対的な位置を検出できる。
（４）ＤＣ抑圧用極性反転コード部
図４１における“＃”位置でのチャネルビットが該当し、上述したようにここのビットが反転もしくは非反転することで前後のフレームデータを含めたチャネルビット列のＤＳＶ値が“０”に近付くように働く。
【０１７９】
本実施の形態では変調方法に８／１２変調（ＥＴＭ：Eight to Twelve Modulation）、ＲＬＬ（１，１０）を採用している。すなわち、変調時に８ビットを１２チャネルビットに変換し、変換後の“０”が連続して続く範囲は最小値（ｄ値）が１、最大値（ｋ値）が１０になるように設定している。本実施の形態ではｄ＝１とすることで従来より高密度化を達成できるが、最密マークのところでは充分に大きな再生信号振幅を得難い。
【０１８０】
そこで、図５に示すように本実施の形態の情報記録再生装置では、ＰＲ等化回路１３０とビタビ復号器１５６を持ち、ＰＲＭＬ（Partiral Response Maximum Likelihood）の技術を用いて非常に安定な信号再生を可能としている。また、ｋ＝１０と設定しているので、変調された一般のチャネルビットデータ内には“０”が連続して１１個以上続くことが無い。この変調ルールを利用し、上記の同期位置検出用コード部では変調された一般のチャネルビットデータ内には現れ無いパターンを持たせている。
すなわち、図４１に示すように同期位置検出用コード部では“０”を連続的に１２（＝ｋ＋２）個続けている。情報記録再生装置または情報再生装置ではこの部分を見付けて同期位置検出用コード部の位置を検出する。また、余りに長く“０”が連続的に続くとビットシフトエラーが起き易いので、その弊害を緩和するため同期位置検出用コード部内ではその直後に“０”の連続個数が少ないパターンを配置している。本実施の形態ではｄ＝１なので、対応パターンとしては“１０１”の設定は可能であるが、上述したように“１０１”のところ（最密パターンのところ）では充分に大きな再生信号振幅が得難いので、その代わりに“１００１”を配置し、図４１に示すような同期位置検出用コード部のパターンにしている。
【０１８１】
本実施の形態において、図４１に示すようにシンクコード内の後ろ側の１８チャネルビットを独立して（１）同期位置検出用コード部とし、前側の６チャネルビットで（２）変調時の変換テーブル選択コード部、（３）シンクフレーム位置識別用コード部、（４）ＤＣ抑圧用極性反転コード部を兼用しているところに特徴がある。シンクコード内で（１）同期位置検出用コード部を独立させることで単独検出を容易にして同期位置検出精度を高め、６チャネルビット内に（２）〜（４）のコード部を兼用化することでシンクコード全体のデータサイズ（チャネルビットサイズ）を小さくし、シンクデータの占有率を高めることで実質的なデータ効率を向上させる効果がある。
【０１８２】
図４１に示す４種類のシンクコードの内、ＳＹ０のみを図４０に示すようにセクタ内の最初のシンクフレーム位置に配置したところに本実施の形態の特徴がある。その効果としてＳＹ０を検出するだけで即座にセクタ内の先頭位置が割り出せ、セクタ内の先頭位置抽出処理が非常に簡素化される。
また連続する３個のシンクコードの組み合わせパターンは同一セクタ内で全て異なると言う特徴も有る。
【０１８３】
本実施の形態において再生専用形／追記形／書替え形のいずれの情報記憶媒体に対しても下記に説明する共通の変調方式を採用している。
データフィールドの８ビットのデータワードは８／１２変調（ＥＴＭ：Eight to Twelve Modulation）法によりディスク上のチャンネルビットに変換される。ＥＴＭ法により変換されたチャンネルビット列はチャンネルビット１ｂが少なくとも１、最大では１０チャンネルビット離れているというＲＬＬ（１，１０）というランレングスの制約を満足する。
【０１８４】
変調は図４６〜図５１に示すコード変換テーブルを用いて行われる。変換テーブルは、各データワード“００ｈ”〜“ＦＦｈ”と各State０〜２毎に対応するコードワードの１２チャネルビットと次のデータワードのStateを示す。
変調ブロックの構成を図４２に示す。
Ｘ（ｔ）＝Ｈ｛Ｂ（ｔ），Ｓ（ｔ）｝
Ｓ（ｔ＋１）＝Ｇ｛Ｂ（ｔ），Ｓ（ｔ）｝
Ｈはコードワード出力機能、Ｇは次のState出力機能である。
【０１８５】
コード変換テーブル内の幾つかの１２チャンネルビットは“０ｂ”、“１ｂ”とともにアスタリスクビット“＊”とシャープビット“＃”とを含む。
コード変換テーブル内のアスタリスクビット“＊”はビットがマージングビットであることを示す。変換テーブル内の幾つかのコードワードはＬＳＢにマージングビットを有する。マージングビットは自身に後続するチャンネルビットに応じてコードコネクタにより“０ｂ”、“１ｂ”の何れかに設定される。後続チャンネルビットが“０ｂ”であれば、マージングビットは“１ｂ”に設定される。後続チャンネルビットが“１ｂ”であれば、マージングビットは“０ｂ”に設定される。
変換テーブル内のシャープビット“＃”はビットがＤＳＶ制御ビットであることを示す。ＤＳＶ制御ビットはＤＳＶコントローラによりＤＣ成分抑圧制御を行うことにより決定される。
【０１８６】
図４３に示すコードワードのための連結ルールはコードテーブルから得られたコードワードを連結するために使用される。隣接する２つのコードワードがテーブル内の前コードワードと現コードワードとして示されるパターンと一致すると、これらのコードワードはテーブルに示される連結コードワードに置き換えられる。“？”ビットは“０ｂ”、“１ｂ”、“＃”の何れかである。連結コードワード内の“？”ビットは置き換えることなく前コードワードと現コードワードとして割当てられる。
コードワードの連結は前連結ポイントで先ず適用される。テーブル内の連結ルールは各連結ポイントでインデックスの順番に適用される。いくつかのコードワードは前コードワードと後コードワードと接続するために２回置き換えられる。前コードワードのマージングビットは連結のためのパターンマッチングの前に決定される。前コードワード、あるいは現コードワードのＤＳＶ制御ビット“＃”はコード接続の前後の特別ビットとして扱われる。ＤＳＶ制御ビットは“０ｂ”でも“１ｂ”でもなく、“？”である。コードワードの連結ルールはコードワードをシンクコードに接続するためには使われない。コードワードとンクコードとの接続のためには図４４に示す連結ルールが使われる。
【０１８７】
レコーディングフレーム(recording frame)の変調時には、シンクコードは９１バイトのデータワードの各変調コードワードの先頭に挿入される。変調はシンクコードの後のState２から始まり、変調コードワードが各変換コードワードの先頭にＭＳＢとして順次出力され、ディスクに記録される前にＮＲＺＩ変換される。
シンクコードはＤＣ成分抑圧制御を行うことにより決定される。
ＤＣ成分抑圧制御（ＤＣＣ：DC component suppression control）はＮＲＺＩ変換変調チャンネルビットストリームにおける累積ＤＳＶ(digital sum value：“１ｂ”を＋１とし、“０ｂ”を−１として加算する)の絶対値を最小化する。
【０１８８】
ＤＣＣアルゴリズムはＤＳＶの絶対値が最小化するように以下の（ａ）と（ｂ）のケース毎にコードワードとシンクコードの選択を制御する。
（ａ）シンクコードの選択（図４１参照）
（ｂ）連結コードワードのＤＳＶ制御ビット“＃”の選択
選択は連結コードワードとシンクコードとの各ＤＳＶビットの位置における累積ＤＳＶの値により決定される。
【０１８９】
計算の基となるＤＳＶは、変調の開始時には０の初期値と加算され、変調が終了するまで以下順次加算が続き、０にはリセットされない。ＤＳＶ制御ビットの選択は、開始点はＤＶＳ制御ビットであり、次のＤＳＶ制御ビットの直前でＤＳＶの絶対値を最小化するためのチャンネルビットストリームの選択を意味する。２つのチャンネルビットストリームのうちＤＳＶの絶対値の小さい方が選択される。もしも、２つのチャンネルビットストリームのＤＳＶの絶対値が同じ場合は、ＤＳＶ制御ビット“＃”は“０ｂ”とされる。
論理的に可能性のあるシナリオの計算における最大のＤＳＶを考慮すると、ＤＶＳ計算の範囲は少なくとも±２０４７必要である。
【０１９０】
以下に復調方法について説明する。
復調器は１２チャンネルビットのコードワードを８ビットのデータワードに変換する。コードワードは読み出しビットストリームから図４５に示す分離規則を用いて再生される。隣接する２つのコードワードが分離規則のパターンと一致すると、これらのコードワードはテーブルに示される現コードワードと次コードワードに置き換えられる。“？”ビットは“０ｂ”、“１ｂ”、“＃”の何れかである。現コードワードと次コードワードの“？”ビットは読み出しコードワードにおいては置き換わることなくそのまま割当てられる。
シンクコードとコードワードの境界は置き換えなく分離される。
【０１９１】
コードワードからデータワードへの変換は、図５２〜図６１に示す復調用テーブルに従って、実行される。可能性のある全てのコードワードが復調用テーブルに記載されている。“ｚ”は“００ｈ”〜“ＦＦｈ”までのいずれのデータワードでもよい。分離された現コードワードは次のコードワードの４チャンネルビット、あるいは次のシンクコードのパターンを観察することによりデコードされる。
【０１９２】
ケース１：次のコードワードは“１ｂ”で始まる、あるいは次のシンクコードはState０のＳＹ０〜ＳＹ２である。
ケース２：次のコードワードは“００００ｂ”で始まる、あるいは次のシンクコードはState０のＳＹ３である。
ケース３：次のコードワードは“０１ｂ”、“００１ｂ”、“０００１ｂ”で始まる、あるいは次のシンクコードはState１、２のＳＹ０〜ＳＹ３である。
【０１９３】
図２１に示した参照コード記録ゾーンＲＣＺに記録される参照コードのパターン内容に付いて詳細に説明する。
現行ＤＶＤでは変調方式として８ビットデーターを１６チャネルビットに変換する“８／１６変調”方式を採用し、変調後の情報記憶媒体に記録されるチャネルビット列としての参照コードのパターンは“００１０００００１００００００１００１０００００１００００００１”の繰り返しパターンが用いられている。
それに比べて本実施例では図１８〜図２０に示すように８ビットデーターを１２チャネルビットに変調するＥＴＭ変調を用い、ＲＬＬ（１,１０）のランレングス制約を行っていると共にデーターリードイン領域ＤＴＬＤＩ、データー領域ＤＴＡ、データーリードアウト領域ＤＴＬＤＯ及びミドル領域ＭＤＡからの信号再生にＰＲＭＬ法を採用している。従って上記変調規則とＰＲＭＬ検出に最適な参照コードのパターンを設定する必要が有る。ＲＬＬ（１,１０）のランレングス制約に従えば“０”が連続する最小値は“ｄ＝１”で“１０１０１０１０”の繰り返しパターンとなる。“１”または“０”のコードから次の隣接コードまでの距離を“Ｔ”とすると、上記パターンでの隣接する“１”間の距離は“２Ｔ”となる。
【０１９４】
本実施例では情報記憶媒体の高密度化のため、前述したように情報記憶媒体上に記録した“２Ｔ”の繰り返しパターン（“１０１０１０１０”）からの再生信号は光学ヘッド内の対物レンズ（図５の情報記録再生部１４１内に存在する）のＭＴＦ（ Modulation Transfer Function ）特性の遮断周波数近傍にあるため、ほとんど変調度（信号振幅）が得られない。
従って情報再生装置あるいは情報記録再生装置の回路調整（例えば図９のタップ制御器内で行う各タップ係数の初期最適化）に使用する再生信号として“２Ｔ”の繰り返しパターン（“１０１０１０１０”）からの再生信号を用いた場合にはノイズの影響が大きく安定化に乏しい。
従ってＲＬＬ（１,１０）のランレングス制約に従って行う変調後の信号に対しては次ぎに密度の高い“３Ｔ”のパターンを使って回路調整を行うのが望ましい。
【０１９５】
再生信号のＤＳＶ（ Digital Sum Value ）値を考えた場合には“１”の直後に来る次の“１”までの間の“０”が連続する回数に比例してＤＣ（直流）値の絶対値が増加して直前のＤＳＶ値に加算される。この加算されるＤＣ値の極性は“１”が来る毎に反転する。
従って参照コードが連続するチャネルビット列が続いた所でＤＳＶ値を“０”にする方法としてＥＴＭ変調後の１２個のチャネルビット列内でＤＳＶ値が“０”になるように設定するより、ＥＴＭ変調後の１２個のチャネルビット列に出現する“１”の発生数を奇数個にして１２チャネルビットからなる１組の参照コードセルで発生するＤＣ成分を次の組からなる１２チャネルビットの参照コードセルで発生するＤＣ成分で相殺させる方が参照コードパターン設計の自由度が増す。
【０１９６】
従って本実施例ではＥＴＭ変調後の１２個のチャネルビット列からなる参照コードセル内で出現する“１”の数を奇数個に設定している。本実施例では高密度化のために“１”の所が記録マークもしくはエンボスピットの境界位置に一致するマークエッジ記録法を採用している。例えば“３Ｔ”の繰り返しパターン（“１００１００１００１００１００１００１００”）が続いた場合に記録条件あるいは原盤作成条件により記録マークもしくはエンボスピットの長さとその間にあるスペースの長さが若干異なる場合が生じる。ＰＲＭＬ検出法を用いた場合には再生信号のレベル値が非常に重要となり、前記のように記録マークもしくはエンボスピットの長さとその間にあるスペースの長さが若干異なった場合でも安定かつ精度良く信号検出できるようにその若干の異なり分を回路的に補正する必要が生じる。
【０１９７】
従って回路定数を調整するための参照コードとしては“３Ｔ”の長さの記録マークもしくはエンボスピットと同じく“３Ｔ”の長さのスペースが有った方が回路定数の調整の精度が向上する。そのため、本実施例の参照コードパターンとして“１００１００１”のパターンが内部に含まれると、必ず“３Ｔ”の長さの記録マークもしくはエンボスピットとスペースが配置される事になる。また回路調整には密度の詰まったパターン（“１００１００１”）だけで無く、密度が疎の状態のパターンも必要となる。従って、ＥＴＭ変調後の１２個のチャネルビット列の中で“１００１００１”のパターンを除いた部分で密度が疎の状態（“０”が連続して多く発生するパターン）を発生させ、かつ“１”の出現数を奇数個に設定する事を考慮すると参照コードパターンは図☆に示すように“１００１００１０００００”の繰り返しが最適条件となる。変調後のチャネルビットパターンが前記パターンにするには前述した変調テーブルを利用すると変調前のデーターワードは図    から“Ａ４ｈ”に設定する必要が有る。またこの“Ａ４ｈ”（１６進法表現）のデーターはデーターシンボル“１６４”（１０進法表現）に対応する。
【０１９８】
前記のデーター変換規則に従った具体的なデーターの作り方を以下に説明する。前述したデーターフレーム構造内でメインデーター“Ｄ０〜Ｄ２０４７”にデーターシンボル“１６４”（ ＝“０Ａ４ｈ”）をまず設定する。次ぎにデーターフレーム１からデーターフレーム１５に対してイニシャルプリセット番号“０Ｅｈ”で予めプリスクランブルを掛けておき、データーフレーム１６からデーターフレーム３１に対してはイニシャルプリセット番号“０Ｆｈ”で予めプリスクランブルを掛けておく。予めプリスクランブルを掛けておくと前記のデーター変換規則に従ってスクランブルを掛けた時に２重でスクランブルを掛けた事になり、（２重でスクランブルを掛けると元のパターンに戻る）データーシンボル“１６４”（ ＝“０Ａ４ｈ”）がそのまま現れる。３２物理セクターからなる参照コード全てにプリスクランブルを掛けるとＤＳＶ制御が出来なくなるので、データーフレーム０だけは事前のプリスクランブルは掛けない。前記スクランブルを掛けた後、変調すると図６２に示したパターンが情報記憶媒体上に記録される。
【０１９９】
図４０に示した１個の物理セクター内の構造を有したチャネルビットデーターを連続して情報記憶媒体２２１に記録する様子を図６３に示す。本実施例では情報記憶媒体２２１の種類（再生専用形／追記形／書替え形）に依らず、情報記憶媒体２２１上に記録されるチャネルビットデーターは図６３に示すような記録データーの階層構造を持っている。すなわちデーターのエラー検出もしくはエラー訂正が可能となる最も大きなデーター単位である一個のＥＣＣブロック４０１内は３２個の物理セクター２３０〜２４１から構成されている。
【０２００】
図４０で既に説明し、再度図６３に示すように“ＳＹ０”から“ＳＹ３”までのいずれかの同期コード（シンクコード４３１）を形成する２４チャネルビットデーターと各同期コード間に配置された１０９２チャネルビットデーターサイズを有するシンクデーター４３２からシンクフレーム＃０ ４２０ 〜 ＃２５ ４２９ が構成される。また各物理セクター２３０〜２４１内はそれぞれ２６個ずつのシンクフレーム＃０ ４２０ 〜 ＃２５ ４２９ から構成される。上述したように１個のシンクフレーム内は図４０に示すように１１１６チャネルビット（２４＋１０９２）のデーターが含まれ、この１個のシンクフレームが記録される情報記憶媒体２２１上の物理的距離であるシンクフレーム長４３３は至る所ほぼ一定（ゾーン内同期のための物理的距離の変化分を除いた場合）になっている。
【０２０１】
図６４を用いて本実施例における各種情報記憶媒体毎のデーター記録形式（フォーマット）の比較を説明する。図６４（ａ）は従来の再生専用形情報記憶媒体ＤＶＤ-ＲＯＭと従来の追記形情報記憶媒体ＤＶＤ-Ｒ及び従来のＤＶＤ-ＲＷにおけるデーター記録形式を示し、図６４（ｂ）は本実施例における再生専用形情報記憶媒体のデーター記録形式、図６４（ｃ）は本実施例における追記形情報記憶媒体のデーター記録形式、図６４（ｄ）は書替え形情報記憶媒体のデーター記録形式を示している。比較のために各ＥＣＣブロック４１１〜４１８の大きさを同じに合わせているが、図６４（ａ）に示した従来の再生専用形情報記憶媒体ＤＶＤ-ＲＯＭと従来の追記形情報記憶媒体ＤＶＤ-Ｒ及び従来のＤＶＤ-ＲＷでは１６物理セクターにより１個のＥＣＣブロックを構成しているのに対し、図６４（ｂ）〜（ｄ）に示した本発明実施例では３２物理セクターで１個のＥＣＣブロックを構成している所が異なる。本実施例では図６４（ｂ）〜（ｄ）に示すように各ＥＣＣブロック ＃１ ４１１ 〜 ＃８ ４１８ の間にシンクフレーム長４３３と同じ長さのガード領域４４２〜４４８を設けている所に本実施例の特徴（図３〔Ｋ〕）が有る。従来の再生専用形情報記憶媒体ＤＶＤ-ＲＯＭでは図６４（ａ）に示すように各ＥＣＣブロック ＃１ ４１１ 〜 ＃８ ４１８ が連続に記録されている。
【０２０２】
従来の追記形情報記憶媒体ＤＶＤ-Ｒや従来のＤＶＤ-ＲＷで従来の再生専用形情報記憶媒体ＤＶＤ-ＲＯＭとデーター記録形式（フォーマット）の互換性を確保しようとしてすると制限付きオーバーライト（ Restricted Overwrite ）と呼ばれる追記又は書き替え処理を行うと書き重ねによりＥＣＣブロック内の一部を破壊し、再生時のデーター信頼性を大きく損なうと言う問題が有った。
それに対して本実施例のようにデーターフィールド（ＥＣＣブロック）間にガード領域４４２〜４４８を配置すると書き重ね場所をガード領域４４２〜４４８内に制限してデーターフィールド（ＥＣＣブロック）のデーター破壊を防止できる効果が有る。
また、上記ガード領域４４２〜４４８の長さを図６４に示すように１シンクフレームサイズであるシンクフレーム長４３３に合わせた所に本実施例の次の特徴（図３（Ｋ１））が有る。
図４０ないしは図６３に示すように１１１６チャネルビットと言う一定のシンクフレーム長４３３間隔で同期コード（シンクコード）が配置されており、図５に示す同期コード位置検出部１４５内ではこの一定周期間隔を利用して同期コード位置の抽出を行っている。本実施例でガード領域４４２〜４４８の長さシンクフレーム長４３３に合わせる事で再生時にガード領域４４２〜４４８を跨ってもこのシンクフレーム間隔が不変に保たれるので再生時の同期コード位置検出を容易にすると言う効果が有る。
【０２０３】
更に、次の１）、２）を目的として本実施例ではガード領域内に同期コード（シンクデーター）を配置（図１（Ｋ２））する。
１）ガード領域４４２〜４４８を跨った場所でも同期コードの出現頻度を一致させて同期コード位置検出の  検出精度を向上させる
２）ガード領域４４２〜４４８も含めた物理セクター内の位置の判別を容易にする
具体的には図６５（ｃ）に示すように各ガード領域４４２〜４６８の開始位置にはポストアンブル領域（ Postamble field ）４８１が形成され、そのポストアンブル領域４８１には図４１に示したシンクコード番号“１”の同期コード“ＳＹ１”が配置されている。
【０２０４】
図４０から分かるように物理セクター内の３個の連続する同期コードのシンクコード番号の組み合わせは全ての場所で異なっている。更にガード領域４４２〜４４８内のシンクコード番号“１”まで加味した３個の連続する同期コードのシンクコード番号の組み合わせも全ての場所で異なっている。従って任意の領域内での連続する３個の同期コードのシンクコード番号組み合わせにより物理セクター内の位置情報のみならず、ガード領域の場所も含めた物理セクター内の位置の判別が可能となる。
【０２０５】
図６４に示したガード領域４４１〜４４８内の詳細な構造を図６５（ｃ）に示す。物理セクター内の構造はシンクコード４３１とシンクデーター４３２の組み合わせから構成されることを図６３に示したが、ガード領域４４１〜４４８内も同様にシンクコード４３３とシンクデーター４３４の組み合わせから構成され、ガード領域 ＃３ ４４３ 内のシンクデーター４３４領域内もセクター内のシンクデーター４３２と同じ変調規則に従って変調されたデーターが配置される所に本発明の特徴が有る。図３７に示す３２個の物理セクターから構成される１個分のＥＣＣブロック ＃２ ４１２ 内の領域を本発明ではデーターフィールド４７０と呼ぶ。
【０２０６】
図６５（ｃ）におけるＶＦＯ（ Variable Frequency Oscillator ）領域４７１、４７２はデーター領域４７０を再生する時の情報再生装置または情報記録再生装置の基準クロックの同期合わせに利用する。この領域４７１、４７２内に記録されるデーター内容として、後述する共通の変調規則における変調前のデーターは“７Ｅｈ”の連続繰り返しとなり、変調後の実際に記録されるチャネルビットパターンは“010001 000100”の繰り返しパターン（“０”が連続３個ずつ繰り返すパターン）となる。なお、このパターンが得られるためにはＶＦＯ領域４７１、４７２の先頭バイトは変調における State２ の状態に設定される必要が有る。
【０２０７】
プリシンク領域４７７、４７８は前記ＶＦＯ領域４７１、４７２とデーター領域４７０間の境目位置を表し、変調後の記録チャネルビットパターンは“100000 100000”（“０”が連続５個ずつ繰り返すパターン）の繰り返しになっている。情報再生装置または情報記録再生装置ではＶＦＯ領域４７１、４７２内の“010001 000100”の繰り返しパターンから、プリシンク領域４７７、４７８内の“100000 100000”の繰り返しパターンのパターン変化位置を検出し、データー領域４７０が近付くことを認識する。
【０２０８】
ポストアンブル領域４８１はデーター領域４７０の終了位置を示すと共にガード領域４４３の開始位置を表している。ポストアンブル領域４８１内のパターンは上述したように図４１に示す同期コード（ SYNC Code ）の内“ＳＹ１”のパターンと一致している。
エキストラ領域４８２はコピー制御や不正コピー防止用に使われる領域である。特にコピー制御や不正コピー防止用に使われない場合にはチャネルビットで全て“０”に設定する。
【０２０９】
バッファー領域はＶＦＯ領域４７１、４７２と同じ変調前のデーターは“７Ｅｈ”の連続繰り返しとなり、変調後の実際に記録されるチャネルビットパターンは“010001 000100”の繰り返しパターン（“０”が連続３個ずつ繰り返すパターン）となる。なお、このパターンが得られるためにはＶＦＯ領域４７１、４７２の先頭バイトは変調における State２ の状態に設定される必要が有る。
【０２１０】
図６５（ｃ）に示すように“ＳＹ１”のパターンが記録されているポストアンブル領域４８１がシンクコード領域４３３に該当し、その直後のエキストラ領域４８２からプリシンク領域４７８までの領域がシンクデーター領域４３４に対応する。また、ＶＦＯ領域４７１からバッファー領域４７５に至る領域（つまりデーター領域４７０とその前後のガード領域の一部を含む領域）を本発明ではデーターセグメント４９０と呼び、後述する“物理セグメント”とは異なる内容を示している。また、図６５（ｃ）に示した各データーのデーターサイズは変調前のデーターのバイト数で表現している。
【０２１１】
本発明実施例は図６５（ｃ）に示した構造に限らず、他の実施例として下記の方法を採用することもできる。すなわちＶＯＦ領域４７１とデーター領域４７０の境界部にプリシンク領域４７７を配置する代わりに図６５（ｃ）のＶＯＦ領域４７１、４７２の途中にプリシンク領域４７７を配置する。この他の実施例ではデーターブロック４７０の先頭位置に配置される“ＳＹ０”のシンクコードとプリシンク領域４７７との間の距離を離すことで距離相関を大きく取り、プリシンク領域４７７を仮Ｓｙｎｃとして設定し、本物のＳｙｎｃ位置の距離相関情報（他のＳｙｎｃ間距離とは異なるが）として利用する。もし本物のＳｙｎｃが検出できなければ、仮Ｓｙｎｃから生成した本物が検出されるであろう位置で、Ｓｙｎｃを挿入する。このようにしてプリシンク領域４７７を本物シンク（“ＳＹ０”）と多少の距離を取る所に他の実施例の特徴が有る。プリシンク領域４７７をＶＦＯ領域４７１、４７２の始めに配置すると、読み取りクロックのＰＬＬがロックしていない為プリシンクの役目が弱くなる。従ってプリシンク領域４７７をＶＦＯ領域４７１、４７２の中間位置に配置するのが望ましい。
【０２１２】
本実施例では記録形（書替え形あるいは追記形）情報記憶媒体におけるアドレス情報はウォーブル変調を用いてあらかじめ記録されている。
ウォーブル変調方式として±９０度（１８０度）の位相変調を用いると共にＮＲＺ（ Non Returen to Zero ）方法を採用して情報記憶媒体に対してアドレス情報を事前に記録する（図２〔Ｊ〕）所に本実施例の特徴がある。図６６を用いて具体的な説明を行う。本発明実施例ではアドレス情報に関しては１アドレスビット（アドレスシンボルとも呼ぶ）領域５１１内を４ウォーブル周期で表現し、１アドレスビット領域５１１内は至る所周波数および振幅と位相は一致している。また、アドレスビットの値として同じ値が連続する場合には各１アドレスビット領域５１１の境界部（図６６の“△印”を付けた部分）で同位相が継続し、アドレスビットが反転する場合にはウォーブルパターンの反転（位相の１８０度シフト）が起きる。図５に示した情報記録再生装置のウォブル信号検出部１３５内では上記アドレスビット領域５１１の境界位置（図６６の“△印”を付けた場所）と１ウォブル周期の境界位置であるスロット位置４１２を同時に検出している。
【０２１３】
ウォブル信号検出部１３５内では図示してないがＰＬＬ（ Phase Lock Loop ）回路が内蔵され、上記アドレスビット領域５１１の境界位置とスロット位置４１２の両方に同期してＰＬＬが掛かる。このアドレスビット領域５１１の境界位置またはスロット位置４１２がずれるとウォブル信号検出部１３５では同期が外れて正確なウォブル信号の再生（判読）が不可能となる。隣接するスロット位置４１２間の間隔をスロット間隔５１３と呼び、このスロット間隔５１３が物理的に短い程ＰＬＬ回路の同期が取り易く、安定にウォブル信号の再生（情報内容の解読）が可能となる。図６６から明らかなように１８０度または０度にシフトする１８０度の位相変調方式を採用すると、このスロット間隔５１３は１ウォブル周期と一致する。
【０２１４】
ウォブルの変調方法としてウォブル振幅を変化させるＡＭ（ Amplitude Modulation ）方式では情報記憶媒体表面に付着したゴミや傷の影響を受け易いが、上記位相変調では信号振幅では無く位相の変化を検出するため、比較的情報記憶媒体表面のゴミや傷の影響を受け辛い。また他の変調方式として周波数を変化させるＦＳＫ（ Frequency Shift Keying ）方式ではウォブル周期に対してスロット間隔５１３が長く、ＰＬＬ回路の同期が相対的に取り辛い。従って本実施例のようにウォブルの位相変調によりアドレス情報を記録するとスロット間隔が狭く、ウォブル信号の同期が取り易いと言う効果が有る。
【０２１５】
図６６に示すように１アドレスビット領域５１１にはそれぞれ“１”か“０”かのバイナリーデーターが割り振られるが、本実施例におけるビットの割り振り方法を図６７に示す。図６７の左側に示すように１ウォブルの開始位置から最初に外周側に蛇行するウォブルパターンをＮＰＷ（ Normal Phase Wobble ）と呼び、“０”のデーターを割り当てる。また右側に示すように１ウォブルの開始位置から最初に内周側に蛇行するウォブルパターンをＩＰＷ（ Invert Phase Wobble ）と呼び、“１”のデーターを割り当てる。
【０２１６】
本実施例の追記形情報記憶媒体と書替え形情報記憶媒体におけるウォブル配置と記録場所の比較を図６８と図６９を用いて概説する。図６９（ａ）は追記形情報記憶媒体におけるウォブル配置と記録マーク１０７形成場所を示し、図６９（ｂ）と（ｃ）は書替え形情報記憶媒体におけるウォブル配置と記録マーク１０７形成場所を示している。図６９では実際の拡大図に比べて横方向を縮小させ、縦方向を引き延ばして表示している。図６８と図６９（ａ）に示すように追記形情報記憶媒体ではＣＬＶ（ Constant Linear Velocity ）法を採用しており、隣接トラック間でのスロット位置やアドレスビット領域の境界位置（図６９の一点鎖線で示した部分）がずれる（場所が有る）。また記録マーク１０７はグルーブ領域５０１、５０２の上に形成する。この場合、隣接トラック間でのウォブル位置が非同期なために隣接トラック間でのウォブル信号の干渉が生じる。その結果、図５内のウォブル信号検出部１３５でウォブル信号から検出されたスロット位置の位置ずれやアドレスビット領域の境界位置ずれが発生し易い。その技術的難易点を克服するため、本実施例では後述するように変調領域の占有率を下げ（図２（Ｊ２））、隣接トラック間での変調領域をずらして（図３（Ｊ５））いる。
【０２１７】
それに対して書替え形情報記憶媒体では図６８と図６９（ｂ）に示すようにランド領域５０３とグルーブ領域５０１、５０２の両方に記録マーク１０７を形成する“ランド／グルーブ記録法”を採用し、図１７に示すようにデーター領域内を０から１８までの１９ゾーンに分割して同一ゾーン内での隣接トラック間のウォブルを同期させるゾーン記録方法である Zoned ＣＡＶ（ Zoned Constant Angular Velocity ）を採用している。本実施例の書替え形情報記憶媒体において“ランド／グルーブ記録法”を採用すると共にウォブル変調でアドレス情報を事前記録する所に大きな特徴（図３（Ｊ４））が有る。
【０２１８】
図６９（ａ）に示すようにグルーブ領域５０１、５０２のみに記録マーク１０７を記録する“グルーブ記録法”を採用した場合、隣接間のグルーブ領域５０１、５０２間の距離であるトラックピッチを詰めて記録すると一方のグルーブ領域５０１上に記録した記録マーク１０７からの再生信号に隣のグルーブ領域５０２上に記録された記録マーク１０７からの影響（隣接トラック間のクロストーク）が現れる。そのためトラックピッチを余り詰められず、記録密度に限界が有った。
【０２１９】
それに比べて図６９（ｂ）に示すようにグルーブ領域５０１、５０２とランド領域５０３の両方に記録マーク１０７を記録した場合にはグルーブ領域５０１、５０２とランド領域５０３の段差をλ／(５ｎ)〜λ／(６ｎ)（λ：再生に利用する光学ヘッド光源の波長、ｎ：前記波長における情報記憶媒体の透明基板の屈折率）に設定するとトラックピッチを詰めても隣接間（ランドとグルーブ間）のクロストークが相殺される現象が有る。この現象を利用すると“ランド／グルーブ記録法”では“グルーブ記録法”よりもトラックピッチを詰める事ができ、情報記憶媒体としての記録容量を増加できる。
【０２２０】
また未記録状態（記録マーク１０７が記録される前の状態）で情報記憶媒体上の所定位置に精度良くアクセスしようとすると、情報記憶媒体上に予めアドレス情報を事前記録しておく必要が有る。このアドレス情報をエンボスピットの形で事前記録しておくと、このエンボスピット領域を避けて記録マークを形成する必要があり、エンボスピット領域の分だけ記録容量が減る。
それに比べて本実施例の書替え形情報記憶媒体のようにウォブル変調によりアドレス情報を記録しておく（図３（Ｊ４））とウォブル変調された領域の上にも記録マーク１０７を形成できるので記録効率が高く、記録容量が増加する。このように“ランド／グルーブ記録法”を採用すると共にウォブル変調でアドレス情報を事前記録する事で最も効率良く記録マーク１０７を記録することが出来、情報記憶媒体としての記録容量を高められる。
なお、追記形情報記憶媒体は再生専用形情報記憶媒体と記録容量を一致させて欲しいというユーザー要求に従い、図１８と図１９の“ユーザー使用可能な記録容量”の欄を比較して分かるように追記形情報記憶媒体と再生専用形情報記憶媒体と記録容量を一致させている。従って書替え形情報記憶媒体程の大容量が必要で無いので追記形情報記憶媒体は図６９（ａ）に示すように“グルーブ記録法”を採用している。
【０２２１】
図６９（ｂ）に示す方法では隣接トラック間でのスロット位置やアドレスビット領域の境界位置（図６９の一点鎖線で示した部分）が全て一致するので隣接トラック間でのウォブル信号の干渉は発生しない。その代わり不定ビット領域５０４が発生する。図６９（ｃ）において上側のグルーブ領域５０１でウォブル変調により“０１１０”のアドレス情報を記録した場合を考える。次ぎに下側のグルーブ領域５０２でウォブル変調により“００１０”のアドレス情報を記録すると、図６９（ｃ）に示したランド内不定ビット領域５０４が発生する。このランド内不定ビット領域５０４の中ではランド内の幅が変化し、ここからはウォブル検出信号が得られない状態になる。この技術的難易点を解消するため本実施例では後述するようにグレイコード（図２（Ｊ４β））を採用し、グルーブ領域の幅を局所的に変化させる事でグルーブ領域内にも不定ビット領域を形成（図２（Ｊ４γ））してランド領域とグルーブ領域の両方に不定ビットを分散配置させ（図２（Ｊ４δ））ている。
【０２２２】
また上記の不定ビット領域５０４の発生を考慮し、“ランド／グルーブ記録法”を用いると共にアドレス情報を記録するウォブル変調に１８０度（±９０度）のウォーブル位相変調を組み合わせた所に本実施例のポイント（図３（Ｊ４α））が有る。 “ Ｌ／Ｇ 記録 ＋ グルーブのウォーブル変調 ”においてグルーブのトラック番号が変わる事によるランド上で不定ビットが発生すると、その上に記録された記録マークからの再生信号の全体レベルが変化し、そこでの記録マークからの再生信号のエラー率が局所的に悪化すると言う問題が有る。しかし、本発明のようにグルーブに対するウォーブル変調を１８０度（±９０度）の位相変調にする事でランド上での不定ビット位置ではランド幅が左右対称でかつ正弦波の形で変化するため、記録マークからの再生信号の全体レベル変化が正弦波形状に近い非常に素直な形になる。更に安定にトラッキングが掛かっている場合には事前にランド上での不定ビット位置が予想できる。従って本発明実施例によれば記録マークからの再生信号に対して回路的に補正処理を掛けて再生信号品質を改善し易い構造を実現できる。
【０２２３】
図６８と図７０を用いて追記形情報記憶媒体と書替え形情報記憶媒体におけるウォブル変調を用いて事前に記録されたアドレス情報に付いて説明する。図７０（ａ）は追記形情報記憶媒体におけるアドレス情報内容とそのアドレスの設定方法を示し、図７０（ｂ）は書替え形情報記憶媒体におけるアドレス情報内容とそのアドレスの設定方法を示している。詳細内容は後述するように追記形情報記憶媒体と書替え形情報記憶媒体いずれにおいても情報記憶媒体上の物理的な記録場所単位を“物理セグメントブロック”と呼び、そこに記録される（チャネルビット列としての）データーの単位を“データーセグメント”と呼んでいる。１物理セグメントブロック長の領域に１データーセグメントのデーターが記録される（１物理セグメントブロックの物理的長さと情報記憶媒体上に記録された時の１データーセグメント長は一致する）。また１物理セグメントブロックは７個の物理セグメントから構成される。また１データーセグメント内には図３７に示した１ＥＣＣブロック分のユーザーデーターが記録される。
【０２２４】
図６８に示すように追記形情報記憶媒体ではＣＬＶで“グルーブ記録法”を採用しているため、情報記憶媒体上のアドレス情報として図７０（ａ）に示すようにデーターセグメントアドレス番号Ｄａを利用している。また、このデーターセグメントアドレスをＥＣＣブロックアドレス（番号）、物理セグメントブロックアドレス（番号）と呼んでも良い。また更に同一データーセグメントアドレスＤａの中での細かい位置情報を得るために物理セグメント順番Ｐｈもアドレス情報として持っている。すなわち追記形情報記憶媒体上の各物理セグメント位置はデーターセグメントアドレスＤａと物理セグメント順番Ｐｈで規定される。データーセグメントアドレスＤａは内周側からグルーブ領域５０１、５０２、５０７、５０５に沿って昇順で番号が振られ、物理セグメント順番Ｐｈは内周側から外周へ向かって“０”から“６”までの番号が繰り返し設定される。
【０２２５】
書替え形情報記憶媒体ではデーター領域内が図１７に示すように１９のゾーンに分かれている。スパイラル状にグルーブがつながっているため、隣接トラック間での１周の長さは隣接トラック間でずれるが、隣接トラック間でのずれの長さはチャネルビット間隔Ｔの長さを至る所等しくした場合の±４チャネルビット以下になるように各ゾーン毎に設定されている。また同一ゾーン内での隣接トラック間では物理セグメントまたは物理セグメントブロックの境界位置が一致（同期）している。
従って書替え形情報記憶媒体での位置情報は図６８と図７０（ｂ）に示すようにゾーンアドレス（番号）Ｚｏとトラックアドレス（番号）Ｔｒ、物理セグメントアドレス（番号）Ｐｈで与えられる。トラックアドレスＴｒは同一ゾーン内での内周から外周へ向かったトラック番号を表し、隣接するランド領域とグルーブ領域の組（例えばランド領域５０３とグルーブ領域５０２の組、ランド領域５０７とグルーブ領域５０５の組）で同じトラックアドレス番号Ｔｒが設定される。
【０２２６】
図７０（ｂ）のランド領域５０７の“Ｐｈ＝０”と“Ｐｈ＝１”の部分は不定ビット領域５０４が頻繁に現れるのでトラックアドレスＴｒの解読が不可能となるので、この領域への記録マーク１０７の記録は禁止されている。また物理セグメントアドレス（番号）Ｐｈは同一トラックの１周内の相対的な物理セグメント番号を表し、円周方向でのゾーンの切り替わり位置を基準として物理セグメントアドレスＰｈの番号が振られる。すなわち図７０（ｂ）に示すように物理セグメントアドレスＰｈの開始番号を“０”に設定している。
【０２２７】
図７１を用いて本発明記録可能形情報記憶媒体におけるウォーブル変調を用いたアドレス情報の記録形式について説明する。本発明実施例におけるウォーブル変調を用いたアドレス情報設定方法では図６４に示した“シンクフレーム長４３３を単位として割り振りを行っている”所に大きな特徴がある。図４０に示すように１セクターは２６シンクフレームから構成され、図３４から分かるように１ＥＣＣブロックは３２物理セクターから成り立っているので、１ＥＣＣブロックは ２６×３２＝８３２ 個のシンクフレームから構成される。図６４に示すようにＥＣＣブロック４１１〜４１８間に存在するガード領域４４２〜４６８の長さは１シンクフレーム長４３３に一致するので、１個のガード領域４６２と１個のＥＣＣブロック４１１を足した長さは ８３２＋１＝８３３ 個のシンクフレームから構成される。
【０２２８】
ところで８３３は（１）のように素因数分解できるので、この特徴を生かした構造配置にしている。
８３３ ＝ ７ × １７ × ７                    （１）
すなわち、図７１（ａ）に示すように１個のガード領域と１個のＥＣＣブロックを足した領域の長さに等しい領域を書き替え可能なデーターの基本単位としてデーターセグメント５３１と定義（図６５（ｃ）に示したデーターセグメント４９０内の構造は再生専用形情報記憶媒体と書替え形情報記憶媒体、追記形情報記憶媒体の別に依らず全て一致している）し、１個のデーターセグメント５３１の物理的な長さと同じ長さの領域を“７個”の物理セグメント ＃０ ５５０ 〜 ＃６ ５５６ に分割（図４（Ｋ３ε））し、各物理セグメント ＃０ ５５０ 〜 ＃６ ５５６ 毎にウォーブル変調の形でアドレス情報を事前に記録しておく。図７１に示すようにデーターセグメント５３１の境界位置と物理セグメント５５０の境界位置は一致せずに後述する量だけずれている。
【０２２９】
さらに各物理セグメント ＃０ ５５０ 〜 ＃６ ５５６ 毎にそれぞれ１７個のウォブルデーターユニット（ＷＤＵ：Wobble Data Unit ）＃０ ５６０ 〜 ＃１６ ５７６ に分割する（図２（Ｊ１）、図７１（ｃ））。（１）式から１個のウォーブルデーターユニット ＃０ ５６０ 〜 ＃１６ ５７６ の長さにはそれぞれ７個のシンクフレーム分が割り当てられる事が分かる。このように１７ウォブルデーターユニットで物理セグメントを構成し（図１（Ｊ１））、７物理セグメント長をデータセグメント長に合わせる（図４（Ｋ３ε））事でガード領域４４２〜４６８を跨った範囲でシンクフレーム境界を確保しシンクコード４３１（図６３）の検出を容易にしている。また特に書替え形情報記憶媒体では不定ビット領域５０４（図６９）の場所で記録マークからの再生信号のエラーが発生し易いが、ＥＣＣブロック内を構成する物理セクター数３２と物理セグメント数７とが互いに割り切れない関係（非倍数の関係）に有るため、図３７に示したＥＣＣブロックにおいて不定ビット領域５０４に記録されるデーターが直線上に並ぶのを防止し、ＥＣＣブロック内でのエラー訂正能力低下を防止する事が出来ると言う効果も有る。
【０２３０】
また各ウォーブルデーターユニット ＃０ ５６０ 〜 ＃１６ ５７６ の中は図７１（ｄ）に示すように１６ウォーブル分の変調領域と６８ウォーブル分の無変調領域５９０、５９１から構成される。本実施例では変調領域に対する無変調領域５９０、５９１の占有比を大幅に大きくしている所に大きな特徴（図３（Ｊ２））がある。無変調領域５９０、５９１は常に一定周波数でグルーブ領域またはランド領域がウォーブルしているため、この無変調領域５９０、５９１を利用してＰＬＬ（ Phase Locked Loop ）を掛け、情報記憶媒体に記録された記録マークを再生する時の基準クロックまたは新たに記録する時に使用する記録用基準クロックを安定に抽出（生成）する事が可能となる。
【０２３１】
このように本実施例において変調領域に対する無変調領域５９０、５９１の占有比を大幅に大きくする事で再生用基準クロックの抽出（生成）または記録用基準クロックの抽出（生成）の精度と抽出（生成）安定性を大幅に向上させる事が出来る。すなわちウォーブルでの位相変調を行った場合、波形整形のために再生信号をバンドパスフィルターに通過させると位相変化位置前後で整形後の検出信号波形振幅が小さくなる現象が現れる。従って位相変調による位相変化点の頻度が多くなると波形振幅変動が多くなって上記のクロック抽出精度が落ち、逆に変調領域内で位相変化点の頻度が低いとウォーブルアドレス情報検出時のビットシフトが発生しやすくなると言う問題点が生じる。そのため、本発明実施例では位相変調による変調領域と無変調領域を構成し、無変調領域の占有率を高くする事で上記のクロック抽出精度を向上させる効果が有る。
また、本発明実施例では変調領域と無変調領域の切り替わり位置が予め予想できるので、上記のクロック抽出に対しては無変調領域にゲートを掛けて無変調領域のみの信号を検出し、その検出信号から上記クロック抽出を行うことが可能となる。
【０２３２】
無変調領域５９０、５９１から変調領域に移る時には４ウォーブル分を使って変調開始マーク５８１、５８２を設定し、この変調開始マーク５８１、５８２を検出直後にウォーブル変調されたウォーブルアドレス領域５８６、５８７が来るように配置されている。実際にウォーブルアドレス情報６１０を抽出するには、図７１（ｄ）に示すように各物理セグメント ＃０ ５５０ 〜 ＃６ ５５６内での無変調領域５９０、５９１と変調開始マーク５８１、５８２を除いたウォーブルシンク領域５８０と各ウォーブルアドレス領域５８６、５８７を集めて図７１（ｅ）に示すように再配置する。
【０２３３】
図７１（ｄ）に示すようにウォーブルアドレス領域５８６、５８７では１２ウォーブルで３アドレスビットを設定（図３（Ｊ２α））している。つまり、連続する４ウォーブルで１アドレスビットを構成している。このように本実施例ではアドレス情報を３アドレスビット毎に分散配置させた構造（図３（Ｊ２α））を取っている。ウォーブルアドレス情報６１０を情報記憶媒体内の一箇所に集中記録すると、表面のゴミや傷が付いた時に全ての情報が検出困難になる。図７１（ｄ）に示すように本実施例のようにウォーブルアドレス情報６１０を１個のウォーブルデーターユニット５６０〜５７６に含まれる３アドレスピット（１２ウォーブル）毎に分散配置し、３アドレスビットの整数倍アドレスビット毎にまとまった情報を記録し、ゴミや傷の影響で一箇所の情報検出が困難な場合でも他の情報の情報検出を可能に出来るという効果が有る。
【０２３４】
また上記のようにウォブルアドレス情報６１０を分散配置させると共に１物理セグメント５５０〜５５７毎にウォブルアドレス情報６１０を完結的に配置させる（図２（Ｊ１α））ことで物理セグメント５５０〜５５７毎にアドレス情報が分かるので、情報記録再生装置がアクセスした時に物理セグメント単位での現在位置を知る事ができる。
【０２３５】
本実施例では図６６に示すようにＮＲＺ法を採用しているので、ウォーブルアドレス領域５８６、５８７内では連続する４ウォーブル内で位相が変化する事は無い。この特徴を利用してウォーブルシンク領域５８０を設定している。すなわちウォーブルアドレス情報６１０内では発生し得無いウォーブルパターンをウォーブルシンク領域５８０に対して設定する（図３（Ｊ３））事でウォーブルシンク領域５８０の配置位置識別を容易にしている。本発明実施例では連続する４ウォーブルで１アドレスビットを構成するウォーブルアドレス領域５８６、５８７に対してウォーブルシンク領域５８０位置では１アドレスビット長を４ウォーブル以外の長さに設定している所に特徴がある。すなわちウォーブルシンク領域５８０ではウォーブルビットが“１”になる領域を４ウォーブルとは異なる“ ６ウォーブル → ４ウォーブル → ６ウォーブル ”と言うウォーブルアドレス領域５８６、５８７内では起こり得ないウォーブルパターン変化を設定している。
【０２３６】
ウォーブルアドレス領域５８６、５８７内では発生し得無いウォーブルパターンをウォーブルシンク領域５８０に対して設定する具体的な方法として上述したようにウォブル周期を変える方法（図３（Ｊ３α））を利用すると次の１．２．のような効果が生まれる。
１．図５のウォブル信号検出部１３５内で行っているウォブルのスロット位置５１２（図６６）に関するＰＬＬが崩れる事無く安定にウォブル検出（ウォブル信号の判定）を継続できる
２．図５のウォブル信号検出部１３５内で行っているアドレスビット境界位置のずれにより容易にウォブルシンク領域５８０と変調開始マーク５６１、５８２の検出が行える
【０２３７】
また図７１（ｄ）に示すようにウォブルシンク領域５８０を１２ウォブル周期で形成してウォブルシンク領域５８０の長さを３アドレスビット長に一致させている（図３（Ｊ３β））する所にも本実施例の特徴が有る。それにより１個のウォーブルデーターユニット ＃０ ５６０ 内での変調領域（１６ウォーブル分）全てをウォーブルシンク領域５８０に割り当てる事でウォーブルアドレス情報６１０の開始位置（ウォーブルシンク領域５８０の配置位置）の検出容易性を向上させている。
【０２３８】
また図７１（ｃ）に示すようにウォーブルシンク領域５８０は物理セグメント＃０ ５５０内の最初のウォブルデーターユニット＃０ ５６０に配置されている。このようにウォーブルシンク領域５８０を物理セグメント＃０ ５５０内の先頭位置に配置する（図３（Ｊ３γ））事で、ウォーブルシンク領域５８０の位置を検出するだけで容易に物理セグメントの境界位置を抽出できると言う効果が生じる。
またウォブルデーターユニット＃１ ５６１、＃２ ５６２ 内ではウォブルアドレス領域５８６、５８７に先行し、先頭位置に変調開始マーク５８１、５８２が配置され、図６７で示したＩＰＷの波形が設定されている。それに先行した位置に配置されている無変調領域５９０、５９１では連続的にＮＰＷの波形になっているので、図５に示したウォブル信号検出部１３５ではＮＰＷからＩＰＷへの切り替わり目を検出して変調開始マーク５８１、５８２の位置を抽出する。
【０２３９】
図７１（ｅ）に示すようにウォーブルアドレス情報６１０の中身は以下の１〜５で表される。
１．トラックアドレス６０６、６０７
…  ゾーン内のトラック番号を意味し、グルーブ領域上でアドレスが確定する（不定ビットを含まない→ランド上で不定ビットが発生する）グルーブトラックアドレス６０６とランド上でアドレスが確定する（不定ビットを含まない→グルーブ上で不定ビットが発生する）ランドトラックアドレス６０７が交互に記録されている。また、トラックアドレス６０６、６０７に関してのみトラック番号情報が図７２で示すグレイコードで記録されている（詳細は後述）。
【０２４０】
２．物理セグメントアドレス６０１
…  トラック内（情報記憶媒体２２１内での１周内）での物理セグメント番号を示す情報。同一トラック内での物理セグメント数は図１７の“トラック当たりの物理セグメント数”で示されている。従って各ゾーン内での物理セグメントアドレス６０１の最大値は図１７で示された数で規定される。
【０２４１】
３．ゾーンアドレス６０２
…  情報記憶媒体２２１内のゾーン番号を示し、図１７に示した“ Ｚｏｎｅ（ｎ）”の“ｎ”の値が記録される。
４．パリティー情報６０５
…  ウォーブルアドレス情報６１０からの再生時のエラー検出用に設定された物で、予約情報６０４からゾーンアドレス６０２までの１４アドレスビットを各アドレスビット単位で個々に加算し、加算結果が偶数か奇数かの表示を行う情報で、このアドレスパリティ情報６０５の１アドレスビットも含めた合計１５アドレスビットに対して各アドレスビット単位で排他的ＯＲ（ Exclusive OR ）を取った結果が“１”になるようにパリティー情報６０５の値を設定する。
【０２４２】
５．ユニティー領域６０８
…  前述したように各ウォーブルデーターユニット ＃０ ５６０ 〜 ＃１６ ５７６ の中は１６ウォーブル分の変調領域と６８ウォーブル分の無変調領域５９０、５９１から構成されように設定し、変調領域に対する無変調領域５９０、５９１の占有比を大幅に大きくしている。更に無変調領域５９０、５９１の占有比を広げて再生用基準クロックまたは記録用基準クロックの抽出（生成）の精度と安定性をより向上させている。図７１（ｅ）に示したユニティー領域６０８が含まれる場所は図７１（ｃ）のウォーブルデーターユニット ＃１６ ５７６ と図示して無いがその直前のウォーブルデーターユニット ＃１５ 内がそっくりそのまま該当する。モノトーン情報６０８は６アドレスビット全てが“０”になっている。従ってこの全てがＮＰＷとなるモノトーン情報が含まれるウォーブルデーターユニット＃１６ ５７６ と図示して無いがその直前のウォーブルデーターユニット ＃１５ 内には変調開始マーク５８１、５８２を設定せず、全て均一位相の無変調領域になっている。
【０２４３】
上記各情報に割り当てたアドレスビット数を図７１（ｅ）に示した。
上述したようにウォブルアドレス情報６１０内はそれぞれ３アドレスビット毎に分離されて各ウォブルデーターユニット５６０〜５７６内に分散配置される。情報記憶媒体表面のゴミや傷によりバーストエラーが発生しても異なる各ウォブルデーターユニット５６０〜５７６を跨ってエラーが広がっている確率は非常に低い。従って同一情報が記録される場所として異なるウォブルデーターユニット間を跨る回数を極力減らし、各情報の切れ目とウォブルデーターユニット５６０〜５７６の境界位置を一致させるように工夫している。それにより仮に情報記憶媒体表面のゴミや傷によりバーストエラーが発生して特定の情報が読めなくても、他の各ウォブルデーターユニット５６０〜５７６内に記録された他の情報が読めるようにしてウォブルアドレス情報の再生信頼性を向上させている。具体的には図７１（ｅ）に示すようにユニティ領域６０８に９アドレスビットを割り付けてユニティ領域６０８とその直前のランドトラックアドレス６０７間の境界位置とウォブルデーターユニットの境界位置を一致させ（図３（Ｊ３δ））ている。
また同様な理由から５アドレスビットで表現されるゾーンアドレス６０５と１アドレスビットで表現されるパリティ情報６０５を隣接させ（図３（Ｊ４ε））て両方のアドレスビットの合計値を６アドレスビット（２ウォブルデーターユニット分）としている。
【０２４４】
また図７１（ｅ）に示すようにウォブルアドレス情報６１０内でユニティ領域６０８を最後に配置（図３（Ｊ３ε））した所も本発明実施例の大きな特徴となっている。上述したようにユニティ領域６０８ではウォブル波形はＮＰＷに成っているので、実質的に３個もの連続したウォブルデーターユニット５７６内で連続してＮＰＷが続く。この特徴を利用して図５のウォブル信号検出部１３５では３個のウォブルデーターユニット５７６分の長さで連続してＮＰＷが続く場所を探す事で容易にウォブルアドレス情報６１０の最後に配置されたユニティ領域６０８の位置が抽出でき、その位置情報を利用してウォブルアドレス情報６１０の開始位置を検出できる効果が生まれる。
【０２４５】
図７１または図７０（ｂ）、図６８に示した各種アドレス情報の内、物理セグメントアドレス６０１とゾーンアドレス６０２は隣接トラック間で同じ値を示しているのに対し、グルーブトラックアドレス６０６とランドトラックアドレス６０７は隣接トラック間で値が変わる。従ってグルーブトラックアドレス６０６とランドトラックアドレス６０７が記録される領域には図６９（ｃ）に示す不定ビット領域５０４が現れる。この不定ビット頻度を低減させるため、本実施例ではグルーブトラックアドレス６０６とランドトラックアドレス６０７に関しては図７２に例を示すグレイコードを用いてアドレス（番号）を表示している。グレイコードとは図７２のように元の値が“１”変化した時の変換後のコードが何処でも“１ビット”だけしか変化しないコードを意味している。これにより不定ビット頻度を低減させてウォブル検出信号のみならず記録マークからの再生信号も信号検出安定化が図れる。
【０２４６】
図７２に示したグレイコード変換を具体的に実現するためのアルゴリズムを図７３に示す。元のバイナリーコードに対して最上位の１１ビット目はそのままグレイコードの１１ビット目に一致させ、それ以下の回コードに関しては“ｍビット目”のバイナリーコードとそれより１ビット上位にある“ｍ＋１ビット目”のバイナリーコードの加算した（ Exclusive OR を取った）結果を“ｍビット目”のグレイコードとして変換している。
【０２４７】
本実施例ではグルーブ領域にも不定ビット領域を分散配置させる（図３（Ｊ４γ））という工夫を行っている。具体的には図７４によりグルーブ領域５０１、５０１内の幅を一部変化させることで、挟まれたランド領域５０３の幅を一定にさせている。情報記憶媒体の原盤記録装置でグルーブ領域５０１、５０２を作成する時点で露光させるレーザー光の光量を局所的に変化させる事でグルーブ領域５０１、５０１内の幅を変化させる事が出来る。それによりランド領域でも不定ビットが入らずにトラックアドレスが確定する領域を持たせる事でランド領域においても精度の良いアドレス検出が可能となる。具体的には図７１（ｅ）のランドトラックアドレス６０７の情報が記録されるランド領域内の場所は上記の方法を用いてランド幅を一定にしている。それによりランド領域内のランドトラックアドレス６０７に関しては不定ビットが混入する事無く安定にアドレス情報を検出できる。
【０２４８】
また更に本実施例ではランド領域とグルーブ領域の両方に不定ビットを分散配置（図３（Ｊ４δ））させている。具体的には図７４の最も右側はグルーブ領域５０１、５０１内の幅を変化させてランド領域５０３の幅を一定にし、図７４の中央から若干左側ではグルーブ領域５０１、５０１の幅が一定に保たれている代わりにランド領域５０３の幅が局所的に変化している。この方法を利用して図７１（ｅ）のグルーブトラックアドレス６０６の情報が記録されるグルーブ領域内の場所はグルーブ幅を一定にして、グルーブ領域内のグルーブトラックアドレス６０６に関しては不定ビットが混入する事無く安定にアドレス情報を検出できる。ランド領域またはグルーブ領域のどちらか一方に不定ビットを集中配置すると不定ビットが集中配置された部分でのアドレス情報再生時に誤検知が発生する頻度が非常に高くなる。不定ビットをランド領域とグルーブ領域に分配配置する事で誤検知のリスクを分散し、トータルとして安定にアドレス情報を検出し易いシステムを提供できる。このようにランド領域とグルーブ領域の両方に不定ビットを分散配置させる事でランド領域、グルーブ領域それぞれ不定ビットが入らずにトラックアドレスが確定する領域を事前に予想できるのでトラックアドレス検出精度が上がる。
【０２４９】
図６８を用いて既に説明したように本実施例の追記形情報記憶媒体ではグルーブ領域の上に記録マークを形成し、ＣＬＶ記録方式を採用している。この場合隣接トラック間でのウォブルスロット位置がずれるため、ウォブル再生信号に隣接ウォブル間の干渉が乗り易い事を説明した。この影響を除去するため、本実施例では変調領域が隣接トラック間で互いに重ならないように変調領域をずらす（図３（Ｊ５））工夫をしている。
具体的には図７５に示すように変調領域の配置場所に１次配置場所（ Primary Position ）７０１と２次配置場所７０２（ Secondary Position ）を設定可能とする。基本的には配置場所として仮に全て１次配置場所で配置を行い、隣接トラック間で変調領域が一部重なる場所が生じたら部分的に２次配置場所にずらす方法を取る。例えば図７５においてグルーブ領域５０５の変調領域を１次配置場所に設定すると隣接するグルーブ領域５０２の変調領域とグルーブ領域５０６の変調領域とが一部重なってしまうので、グルーブ領域５０５の変調領域を２次配置場所にずらす。それによりウォブルアドレスからの再生信号における隣接トラックの変調領域間の干渉を防止し、安定にウォブルアドレスを再生できる効果が生じる。
【０２５０】
変調領域に関する具体的な１次配置場所と２次配置場所は同一のウォブルデーターユニット内配置場所の切り替えにより設定する。本実施例では変調領域より無変調領域の占有率を高く設定（図３（Ｊ２））しているので、同一のウォブルデーターユニット内での配置変更のみで１次配置場所と２次配置場所の切り替えが行える。それにより追記形情報記憶媒体においても図７１（ｂ）、（ｃ）に示した書替え形情報記憶媒体と同様の物理セグメント５５０〜５５７配置とウォブルデーターユニット５６０〜５７６の配置が可能となり、媒体種別間の互換性を高くできる。具体的には１次配置場所（ Primary Position ）７０１では図７６（ａ）、（ｃ）に示すように１個のウォブルデーターユニット５６０〜５７１内の先頭位置に変調領域５９８を配置し、２次配置場所７０２（ Secondary Position ）では図７６（ｂ）、（ｄ）に示すように１個のウォブルデーターユニット５６０〜５７１内の後半位置に変調領域５９８を配置する。
【０２５１】
また本実施例の追記形情報記憶媒体でも図７１（ｅ）書替え形情報記憶媒体と同様ウォブルアドレス情報６１０の最初の３アドレスビットをウォブルシンク領域５８０に利用しており、各物理セグメント５５０〜５５６での最初に配置されたウォブルデーターユニット＃０ ５６０内に記録されている。図７６の（ａ）と（ｂ）に示した変調領域５９８がウォブルシンク領域５８０を示している。また図７６（ｃ）と（ｄ）の変調領域５９８内の最初のＩＰＷ領域が図７１（ｄ）に示した変調開始マーク５８１、５８２に対応し、図７６（ｃ）と（ｄ）の変調領域５９８内のアドレスビット＃２〜＃０が図７１（ｄ）に示したウォブルアドレス領域５８６、５８７に対応する。
【０２５２】
１次配置場所（ Primary Position ）７０１と２次配置場所７０２（ Secondary Position ）でウォブルシンク領域内のウォブルシンクパターンを変化させている所に本実施例の特徴（図３（Ｊ５β））が有る。図７６（ａ）では変調領域５９８であるウォブルシンク領域５８０のウォブルシンクパターンとしてＩＰＷにそれぞれ６ウォブル（周期）を割り当ててＮＰＷに対しては４ウォブル（周期）を割り当てているのに対し、図７６（ｂ）の変調領域５９８内ではそれぞれのＩＰＷに割り当てているウォブル数（ウォブル周期）を４とする代わりにＮＰＷに６ウォブル（周期）を割り当てる。図５のウォブル信号検出部１３５では粗アクセス直後にこのウォブルシンクパターンの違いを検出するだけで変調領域の配置場所（１次配置場所７０１か２次配置場所７０２かの違い）が分かり、次に検出される変調領域の場所が事前に予想が付き易い。そのため次に来る変調領域検出の事前準備が出来るので変調領域での信号検出（判別）精度を上げる事ができる。
【０２５３】
変調領域の配置場所とウォブルシンクパターンの関係について図７６（ａ）、（ｂ）に示した実施例以外の他の実施例を図７７（ｂ）、（ｄ）に示す。比較のために図７６（ａ）の実施例を図７７の（ａ）に、図７６（ｂ）に示した実施例を図７７（ｃ）に示した。図７７（ｂ）、（ｄ）では変調領域５９８内のＩＰＷとＮＰＷに割り当てるウォブル数を図７７（ａ）、（ｃ）とは逆（ＩＰＷに４ウォブル割り当て、ＮＰＷに６ウォブル割り当てる）にしている。
【０２５４】
図７６と図７７で示した１次配置場所（ Primary Position ）７０１と２次配置場所７０２（ Secondary Position ）の適応範囲すなわち１次配置場所または２次配置場所が連続的に続く範囲を本実施例では物理セグメントの範囲に規定している。すなわち図７８にしめすように同一物理セグメント内での変調領域の配置パターンを（ａ）から（ｃ）までの３種類（複数種類）持たせ（図１（Ｊ５α））、上述したようにウォブルシンクパターンまたは後述する物理セグメントのタイプ識別情報７２１の情報から物理セグメント内での変調領域の配置パターンを図５のウォブル信号検出部１３５が識別すると、同一物理セグメント内の他の変調領域５９８の配置場所が事前に予測できる。その結果、次に来る変調領域検出の事前準備が出来るので変調領域での信号検出（判別）精度を上げる事ができると言う効果が有る。
【０２５５】
図７８において２段目は物理セグメント内のウォブルデーターユニットの配置を示し、２段目の各枠内に記述された番号は同一物理セグメント内のウォブルデーターユニット番号を示す。０番目のウォブルデーターユニットは１段目に示すようにシンクフィールド７１１と呼び、このシンクフィールド内の変調領域にウォブルシンク領域が存在している。また１番目から１１番目のウォブルデーターユニットをアドレスフィールド７１２と呼び、このアドレスフィールド７１２内の変調領域にアドレス情報が記録される。更に１２番目から１６番目のウォブルデーターユニット内はウォブルパターンが全てＮＰＷのユニティフィールド７１３になっている。
【０２５６】
図７８の３段目以降に記載された“Ｐ”のマークはウォブルデーターユニット内で変調領域が１次配置場所になっている事を示し、“Ｓ” のマークはウォブルデーターユニット内で変調領域が２次配置場所になっている事を示している。また“Ｕ”のマークはウォブルデーターユニットがユニティフィールド７１３に含まれ、変調領域が存在しない事を示している。図７８（ａ）に示した変調領域の配置パターンは物理セグメント内全てが１次配置場所（ Primary Position ）になっている事を示し、図７８（ｂ）に示した変調領域の配置パターンは物理セグメント内全てが２次配置場所（ Secondary Position ）になっている事を示す。図７８（ｃ）は同一物理セグメント内で１次配置場所と２次配置場所が混合されており、０番目から５番目のウォブルデーターユニット内で変調領域が１次配置場所になり、６番目から１１番目のウォブルデーターユニット内で変調領域が２次配置場所になる。図７８（ｃ）のようにシンクフィールド７１１とアドレスフィールド７１２を合わせた領域に対して１次配置場所と２次配置場所を半々にする事で細かく隣接トラック間での変調領域の重なりを防止する事が出来る。
【０２５７】
本実施例に係る書替え形情報記憶媒体と追記形情報記憶媒体でのウォブルアドレス情報内のデーター構造の比較を図７９に示す。図７９（ａ）は図７１（ｅ）に示した書替え形情報記憶媒体におけるウォブルアドレス情報６１０内のデーター構造を転記した物で有り、追記形情報記憶媒体におけるウォブルアドレス情報６１０内のデーター構造を図７９（ｂ）に示す。追記形情報記憶媒体においても書替え形情報記憶媒体と同様J3γ）ウォブルシンク領域６８０を物理セグメント先頭位置に配置（図３（Ｊ３γ））し、物理セグメントの先頭位置あるいは隣接する物理セグメント間の境界位置の検出を容易にしている。図７９（ｂ）に示した物理セグメントのタイプ識別情報７２１は上述したウォブルシンク領域５８０内のウォブルシンクパターンと同様物理セグメント内の変調領域の配置位置を示す（図３（Ｊ５γ））事で同一物理セグメント内の他の変調領域５９８の配置場所が事前に予測でき、次に来る変調領域検出の事前準備が出来るので変調領域での信号検出（判別）精度を上げる事ができると言う効果が有る。
【０２５８】
具体的には次を表す。
・物理セグメントのタイプ識別情報７２１が“０”の時は図７８（ａ）に示す物理セグメント内全てが１次配列場所（ Primary Position ）になっているか、あるいは図７８（ｃ）に示す１次配置場所と２次配置場所の混合状態
・物理セグメントのタイプ識別情報７２１が“１”の時は図７８（ｂ）に示すように物理セグメント内全てが２次配置場所（ Secondary Position ）になっている
【０２５９】
上記の実施例に対する他の実施例としてウォブルシンクパターンと物理セグメントのタイプ識別情報７２１の組み合わせにより物理セグメント内の変調領域の配置場所を示す（図３（Ｊ５δ））事も出来る。前記２種類の情報を組み合わせる事で図７８（ａ）から（ｃ）に示した３種類以上の変調領域の配置パターンを表現でき、変調領域の配置パターンを複数持たせる事が可能となる。図８０に他の実施例におけるウォブルシンクパターンと物理セグメントのタイプ識別情報との組み合わせ方法と変調領域の配置パターンとの関係を示す。図８０において《Ａ》は上述した組み合わせを示し、ウォブルシンクパターンで１次配置場所か２次配置場所を示し、物理セグメントのタイプ識別情報７２１で物理セグメント内の全てが２次配置場所か否か（全て２次配列の場合には“１”、それ以外は“０”）を示している。なお《Ａ》の場合、混合の場合には１次配置場所の所では図７７（ａ）、２次配置場所の所では図７７（ｃ）のそれぞれウォブルシンクパターンが記録されている。
【０２６０】
それに対して《Ｂ》の実施例では物理セグメントのタイプ識別情報７２１で物理セグメント内全ての配置場所が一致しているか混合か（全ての配列が一致した場合には“１”、混合の場合には“０”）を示す。
また《Ｃ》の実施例ではウォブルシンクパターンにより物理セグメント内全ての配置場所が一致しているか混合かを示し、物理セグメントのタイプ識別情報７２１で物理セグメント内に２次配置場所か存在するか否か（部分的でも２次配列が存在する場合には“１”、それ以外は“０”）を示している。
【０２６１】
なお上記の実施例ではウォブルシンク領域５８０と物理セグメントのタイプ識別情報７２１が含まれている物理セグメント内の変調領域の配置場所を示しているが、本発明ではそれに限らず例えば他の実施例としてウォブルシンク領域５８０と物理セグメントのタイプ識別情報７２１は次に来る物理セグメント内の変調領域の配置場所を示しても良い。そうするとグルーブ領域に沿って連続的にトラッキングしている場合に次の物理セグメント内の変調領域の配置場所が事前に分かり、変調領域検出の準備時間が長く取れると言う効果が有る。
【０２６２】
また図７９（ｂ）に示した追記形情報記憶媒体における層番号情報７２２とは片面１記録層か片面２記録層の場合のどちらの記録層を示しているかを表し、以下を意味する。
・“０”の時には片面１記録層媒体か片面２記録層の場合の“Ｌ０層”（レーザー光入射側の手前層）
・“１”の時には片面２記録層の“Ｌ１層”（レーザー光入射側の奥側の層）
【０２６３】
物理セグメント順番情報７２４は図６８と図７０で説明したように同一物理セグメントブロック内の相対的な物理セグメントの配置順を示している。図７９（ａ）と比較して明らかなようにウォブルアドレス情報６１０内での物理セグメント順番情報７２４の先頭位置は書替え形情報記憶媒体における物理セグメントアドレス６０１の先頭位置に一致している。物理セグメント順番情報位置を書替え形に合わせる（図３（Ｊ５ε））事で媒体種別間の互換性を高め、書替え形情報記憶媒体と追記形情報記憶媒体の両方が使える情報記録再生装置でのウォブル信号を用いたアドレス検出用制御プログラムの共有化よ簡素化が図れる。
【０２６４】
また図６８と図７０で説明したようにデーターセグメントアドレス７２５はデーターセグメントのアドレス情報を番号で記述する。
既に説明したように本実施例では３２セクターで１ＥＣＣブロックを構成する。従って特定のＥＣＣブロック内の先頭に配置されたセクターの物理セクター番号の下位５ビットは隣接するＥＣＣブロック内の先頭位置に配置されたセクターのセクター番号と一致する。また、ＥＣＣブロック内の先頭に配置されたセクターの物理セクター番号の下位５ビットが“０００００”になるように物理セクター番号を設定した場合には同一ＥＣＣブロック内に存在する全てのセクターの物理セクター番号の下位６ビット目以上の値が一致する。
【０２６５】
従って上記同一ＥＣＣブロック内に存在するセクターの物理セクター番号の下位５ビットデーターを除去し、下位６ビット目以上のデーターのみを抽出したアドレス情報をＥＣＣブロックアドレス（またはＥＣＣブロックアドレス番号）とする。ウォブル変調により予め記録されたデーターセグメントアドレス７２５（または物理セグメントブロック番号情報）は上記ＥＣＣブロックアドレスと一致するので、ウォブル変調による物理セグメントブロックの位置情報をデーターセグメントアドレスで表示すると、物理セクター番号で表示するのと比べて５ビットずつデーター量が減り、アクセス時の現在位置検出が簡単になると言う効果が生まれる。
【０２６６】
ＣＲＣコード７２６は物理セグメントのタイプ識別情報７２１からデーターセグメントアドレス７２５までの２４アドレスビットに対するＣＲＣコード（エラー訂正コード）で部分的にウォブル変調信号を誤って判読してもこのＣＲＣコード７２６により部分的に修正できる。
【０２６７】
それぞれの情報内容を記載するのに図７９（ｂ）の最下段に示した各アドレスビットを使用する。追記形情報記憶媒体では残りの１５アドレスビット分に相当する領域はユニティ領域６０９に割り当てられ、１２番目から１６番目までの５個のウォブルデーターユニット内は全てＮＰＷになっている（変調領域５９８が存在しない）。
【０２６８】
以上説明したウォブル変調によりアドレス情報が事前に記録されている物理セグメントもしくは物理セグメントブロックに対して前述したデーターセグメントデーターを記録する方法について説明する。書替え形情報記憶媒体及び追記形情報記憶媒体いずれも連続してデーターを記録する単位としてレコーディングクラスター単位でデーターを記録する。図８１にこのレコーディングクラスター内のレイアウトを示す。レコーディングクラスター５４０、５４２内は図７１（ａ）に示したデーター構造を持つデーターセグメント５３１が１個以上（整数個）連続して繋がり、その始めか終わりに拡張ガードフィールド５２８、５２９が設定されている。
【０２６９】
レコーディングクラスター５４０、５４２単位で新たにデーターを追記または書き替えした時に隣接したレコーディングクラスターとの間に隙間が出来ないように、隣接したレコーディングクラスターとの間に物理的にオーバーラップさせて一部重ね書きさせるために拡張ガードフィールド５２８、５２９がレコーディングクラスター５４０、５４２内に設定される。レコーディングクラスター５４０、５４２内に設定される拡張ガードフィールド５２８、５２９の位置として図８１（ａ）の実施例ではレコーディングクラスター５４０の最後に拡張ガードフィールド５２８を配置（図４（Ｋ３γ））している。
【０２７０】
この方法を用いた場合には図７１（ａ）に示すポストアンブル領域５２６の後ろに拡張ガードフィールド５２８が来るので、特に書替え形情報記憶媒体では書替え時に誤ってポストアンブル領域５２６を破壊する事は無く、書替え時のポストアンブル領域５２６の保護が行え、データー再生時のポストアンブル領域５２６を用いた位置検出の信頼性が確保できる。他の実施例として図８１（ｂ）のようにレコーディングクラスター５４２の最初に拡張ガードフィールド５２９を配置（図４（Ｋ３δ））する事も出来る。
【０２７１】
この場合には図８１（ｂ）と図７１（ａ）を組み合わせて分かるようにＶＦＯ領域５２２の直前に拡張ガードフィールド５２９が来るので、書替えまたは追記した時にＶＦＯ領域５２２を充分長く取る事が出来るためデーターフィールド５２５再生時の基準クロックに関するＰＬＬ引き込み時間を長く取れ、データーフィールド５２５内に記録されたデーターの再生信頼性を向上させる事が出来る。このように書き替え単位を表すレコーディングクラスターが１個以上のデーターセグメントから構成される（図４（Ｋ３α））構造にする事で少ないデーター量を何度も書き替える事の多いＰＣデーター（ＰＣファイル）と多量のデーターを一度に連続して記録するＡＶデーター（ＡＶファイル）の同一情報記憶媒体への混在記録処理を容易に出来ると言う効果が生まれる。
【０２７２】
すなわち Personal Computer 用に使われるデーターは比較的少量のデーターを何度も書き替える場合が多い。従って書替え又は追記のデーター単位を極力小さく設定するとＰＣデーターに適した記録方法になる。本発明実施例では図３４に示すように３２物理セクターからＥＣＣブロックが構成されので、ＥＣＣブロックを１個のみ含むデーターセグメント単位で書き替え又は追記を行うことが効率良く書替え又は追記を行う最小の単位となる。従って書替え単位または追記単位を表す記録用クラスター内に１個以上のデーターセグメントが含まれる本実施例における構造がＰＣデーター（ＰＣファイル）に適した記録構造となる。
【０２７３】
ＡＶ（ Audio Video ）データーでは非常に多量な映像情報や音声情報が途中で途切れる事無く連続的に記録される必要が有る。この場合、連続的に記録されるデーターは１個のレコーディングクラスターとしてまとめて記録される。ＡＶデーター記録時に１個のレコーディングクラスターを構成するデーターセグメント毎にランダムシフト量やデーターセグメント内の構造、データーセグメントの属性などを切り替えると、切り替わり処理の時間が掛かり、連続記録処理が難しくなる。本実施例では図８１に示すように同一形式（属性やランダムシフト量を変えず、データーセグメント間に特定情報を挿入する事無く）のデーターセグメントを連続して並べてレコーディングクラスターを構成する事で多量のデーターを連続して記録するＡＶデーター記録に適した記録フォーマットを提供できるだけでなく、レコーディングクラスター内の構造の簡素化を果たして記録制御回路と再生検出回路の簡素化を達成して情報記録再生装置または情報再生装置の低価格化を可能とする。
【０２７４】
また、図８１に示されたレコーディングクラスター５４０内の（拡張ガードフィールド５２８を除いた）データーセグメントが連続して並んだデーター構造は図６４（ｂ）に示した再生専用情報記憶媒体及び図６４（ｃ）に示した追記形情報記憶媒体と全く同じ構造をしている。このように再生専用形／追記形／書替え形に依らず全ての情報記憶媒体で共通のデーター構造になっているため、媒体の互換性が確保され、互換性が確保された情報記録再生装置または情報再生装置の検出回路の兼用化が図れ、高い再生信頼性が確保できると共に低価格化の実現が可能となる。
【０２７５】
また、図８１の構造を取る事で必然的に同一レコーディングクラスター内では全てのデーターセグメントのランダムシフト量が一致（図４（Ｋ３β））する。後述するように書替え形情報記憶媒体ではランダムシフトさせてレコーディングクラスターを記録する。本実施例では同一レコーディングクラスター５４０内では全てのデーターセグメントのランダムシフト量が一致しているので同一レコーディングクラスター５４０内で異なるデーターセグメントを跨って再生した場合にＶＦＯ領域（図７１の５２２）での同期合わせ（位相の設定し直し）が不要となり連続再生時の再生検出回路の簡素化と再生検出の高い信頼性確保が可能となる。
【０２７６】
書替え形情報記憶媒体に記録する書替え可能なデーター記録方法を図８２に示す。本実施例の書替え情報記憶媒体におけるレコーディングクラスター内のレイアウトは図８１（ａ）のレイアウトを取る例を使って説明するが、本実施例においてはそれに限らず書替え形情報記憶媒体に対して図８１（ｂ）に示したレイアウトを採用しても良い。図８２（ａ）は前述した図６４（ｄ）と同じ内容を示している。
本実施例では書替え可能なデーターに関する書替えは図８２（ｂ）及び（ｅ）に示すレコーディングクラスター５４０、５４１単位で行われる。１個の記録用クラスターは後述するように１個以上のデーターセグメント５２９〜５３１と、最後に配置される拡張ガードフィールド５２８から構成される。すなわち、１個の記録用クラスター５３１の開始はデーターセグメント５３１の開始位置に一致し、ＶＦＯ領域５２２から始まる。複数のデーターセグメント５２９、５３０を連続して記録する場合には、図８２（ｂ）,（ｃ）に示すように同一のレコーディングクラスター５３１内に複数のデーターセグメント５２９、５３０が連続して配置されると共に、データーセグメント５２９の最後に存在するバッファー領域５４７と次のデーターセグメントの最初に存在するＶＦＯ領域５３２が連続してつながっているため両者間の（記録時の記録用基準クロックの）位相が一致している。
連続記録が終了した時にはレコーディングクラスター５４０の最後位置に拡張ガード領域５２８を配置する。この拡張ガード領域５２８のデーターサイズは変調前のデーターとして２４データーバイト分のサイズを持っている。
【０２７７】
図８２（ａ）と図８２（ｃ）の対応から分かるように書替え形のガード領域４６１、４６２の中にポストアンブル領域５４６、５３６、エキストラ領域５４４、５３４、バッファー領域５４７、５３７、ＶＦＯ領域５３２、５２２、プリシンク領域５３３、５２３が含まれ、連続記録終了場所に限り拡張ガードフィールド５２８が配置される。
書替え単位の物理的範囲の比較をするため、図８２（ｃ）に情報の書替え単位で有るレコーディングクラスター５４０の一部と、図８２（ｄ）に次に書替える単位で有るレコーディングクラスター５４１の一部を示している。書替え時の重複箇所５４１で拡張ガード領域５２８と後側のＶＦＯ領域５２２が一部重複するように書き換えを行う所に本発明の特徴がある（図４（Ｋ３））そのように一部重複させて書替えする事でレコーディングクラスター５４０、５４１間に隙間（記録マークが形成されない領域）の発生を防止し、片面２記録層の記録可能な情報記憶媒体における層間クロストークを除去する事で安定した再生信号を検出できる。
【０２７８】
図７１（ａ）から分かるように本発明実施例における１個のデーターセグメント内の書替え可能なデーターサイズは以下の（２）式で表される。
６７＋４＋７７３７６＋２＋４＋１６＝７７４６９データーバイト    （２）
また図７１（ｃ）,（ｄ）から分かるように１個のウォーブルデーターユニット５６０は以下の（３）式で表される。
６＋４＋６＋６８＝８４ウォーブル                                （３）
１７個のウォーブルデーターユニットで１個の物理セグメント５５０を構成し、７個の物理セグメント５５０〜５５６の長さが１個のデーターセグメント５３１の長さに一致しているので１個のデーターセグメント５３１の長さ内には以下の（４）が配置される。
８４×１７×７＝９９９６ウォーブル                                        従って（２）式と（４）式から１個のウォーブルに対して、以下の（５）式が対応する。
７７４９６÷９９９６＝７.７５データーバイト／ウォーブル         （５）
【０２７９】
図８３に示すように物理セグメントの先頭位置から２４ウォーブル以降に次のＶＦＯ領域５２２と拡張ガードフィールド５２８の重なり部分が来るが、図７１（ｄ）から分かるように物理セグメント５５０の先頭から１６ウォーブルまではウォーブルシンク領域５８０となるが、それ以降６８ウォーブル分は無変調領域５９０内になる。したがって２４ウォーブル以降の次のＶＦＯ領域５２２と拡張ガードフィールド５２８が重なる部分は無変調領域５９０内となる。このように物理セグメントの先頭位置２４ウォーブル以降にデーターセグメントの先頭位置が来る（図４（Ｋ５））ようにする事で重複箇所が無変調領域５９０内になるだけでなくウォーブルシンク領域５８０の検出時間と記録処理の準備時間が相応に取れるので、安定でかつ精度の良い記録処理を保証できる。
【０２８０】
本実施例における書替え形情報記憶媒体の記録膜は相変化形記録膜を用いている。相変化形記録膜では書き替え開始／終了位置近傍で記録膜の劣化が始まるので、同じ位置での記録開始／記録終了を繰り返すと記録膜の劣化による書き替え回数の制限が発生する。本発明実施例では上記問題を軽減するため、書き替え時には図８３に示すように Ｊm+1／１２ データーバイト分ずらし、ランダムに記録開始位置をずらしている。 
【０２８１】
図８２（ｃ）,（ｄ）では基本概念を説明するため拡張ガードフィールド５２８の先頭位置とＶＦＯ領域５２２の先頭位置が一致しているが、本発明実施例では厳密に言うと図８３のようにＶＦＯ領域５２２の先頭位置がランダムにずれている。
現行の書替え形情報記憶媒体である ＤＶＤ-ＲＡＭ デイスクでも記録膜として相変化形記録膜を使用し、書替え回数向上のためにランダムに記録開始／終了位置をずらしている。現行の ＤＶＤ-ＲＡＭ ディスクでのランダムなずらしを行った時の最大ずらし量範囲は８データーバイトに設定して有る。また現行の ＤＶＤ-ＲＡＭ ディスクでの（ディスクに記録される変調後のデーターとして）チャネルビット長は平均 ０.１４３μｍ に設定されている。
【０２８２】
本実施例の書替え形情報記憶媒体実施例ではチャネルビットの平均長さは図２０から（６）式で表される。
（０.０８７＋０.０９３）÷２ ＝ ０.０９０μｍ        （６）
物理的なずらし範囲の長さを現行の ＤＶＤ-ＲＡＭ ディスクに合わせた場合には、本発明実施例でのランダムなずらし範囲として最低限必要な長さは上記の値を利用して、（６）式で表される。
８バイト×（０.１４３μｍ÷０.０９０μｍ） ＝ １２.７バイト  （７）
【０２８３】
本実施例では再生信号検出処理の容易性を確保するため、ランダムなずらし量の単位を変調後の“チャネルビット”に合わせた。本実施例では変調に８ビットを１２ビットに変換するＥＴＭ変調（ Eight to Twelve modulation ）を用いているので、ランダムなずらし量を表す数式表現としてデーターバイトを基準として（８）式で表す。
Ｊｍ／１２ データーバイト                            （８）
で表す。Ｊｍ の取り得る値としては（７）式の値を用いて、（９）式からＪｍ は ０ から １５２ となる。
１２.７×１２ ＝ １５２.４                           （９）
以上の理由から（９）式を満足する範囲で有ればランダムなずらしの範囲長さは現行 ＤＶＤ-ＲＡＭ ディスクと一致し、現行 ＤＶＤ-ＲＡＭ ディスクと同様な書き替え回数を保証できる。
【０２８４】
本発明実施例では現行以上の書き替え回数を確保するため（７）式の値に対してわずかにマージンを持たせ、ランダムなずらし範囲の長さを（１０）式のように設定した。
ランダムなずらし範囲の長さを １４データーバイト          （１０）
（１０）式の値を（８）式に代入すると、１４×１２ ＝ １６８ なので、Ｊｍ の取り得る値を（１１）式のように設定した。
Ｊｍ の取り得る値は ０ 〜 １６７                         （１１）
上記のようにランダムシフト量を Ｊm／１２（ ０≦Ｊm≦１５４ ）より大きな範囲とする（図４（Ｋ４））事で（９）式を満足し、ランダムシフト量に対する物理的な範囲の長さが現行 ＤＶＤ-ＲＡＭ と一致するため、現行 ＤＶＤ-ＲＡＭ と同様な繰り返し記録回数を保証できると言う効果が有る。
【０２８５】
図８２において記録用クラスター５４０内でのバッファー領域５４７とＶＦＯ領域５３２の長さは一定となっている。また図８１（ａ）からも明らかなように同一の記録用クラスター５４０内では全てのデーターセグメント５２９、５３０のランダムずらし量 Ｊｍ は至る所同じ値になっている。
内部に多量のデーターセグメントを含む１個の記録用クラスター５４０を連続して記録する場合には、記録位置をウォーブルからモニターしている。すなわち図７１に示すウォーブルシンク領域５８０の位置検出をしたり、無変調領域５９０、５９１内ではウォーブルの数を数えながら情報記憶媒体上の記録位置の確認を記録と同時に行う。この時にウォーブルのカウントミスや情報記憶媒体を回転させている回転モーター（例えば図１の Motor ）の回転ムラによりウォーブルスリップ（１ウォーブル周期分ずれた位置に記録する事）が生じ、情報記憶媒体上の記録位置がずれる事が希に有る。
【０２８６】
本発明の情報記憶媒体では上記のように生じた記録位置ずれが検出された場合には図８２の書替え形のガード領域４６１内あるいは図６４に示した追記形ガード領域４５２で調整を行い、記録タイミングの修正を行う（図３（Ｋ３））所に特徴が有る。図８２においてポストアンブル領域５４６、エキストラ領域５４４、プリシンク領域５３３ではビット欠落やビット重複が許容できない重要な情報が記録されるが、バッファー領域５４７、ＶＦＯ領域５３２では特定パターンの繰り返しになっているため、この繰り返し境界位置を確保している限りでは１パターンのみの欠落や重複が許容される。従って本実施例ではガード領域４６１の中で特にバッファー領域５４７またはＶＦＯ領域５３２で調整を行い、記録タイミングの修正を行う。
【０２８７】
図８３に示すように本実施例では位置設定の基準となる実際のスタートポイント位置はウォーブル振幅“０”の（ウォーブルの中心）位置と一致するように設定される。しかし、ウォーブルの位置検出精度は低いので本実施例では図８３内の“±１ max ”と記載されているように、実際のスタートポイント位置は最大、以下を許容している。
±１データーバイト”までのずれ量                   （１２）
【０２８８】
図８２および図８３においてデーターセグメント５３０でのランダムシフト量を Ｊｍ とし（上述したように記録用クラスター５４０内は全てのデーターセグメント５２９のランダムシフト量は一致する）、その後に追記するデーターセグメント５３１のランダムシフト量を Ｊm+1 とする。（１１）式に示す Ｊm と Ｊm+1 の取り得る値として例えば中間値を取り、Ｊｍ ＝ Ｊｍ+1 ＝８４ であり、実際のスタートポイントの位置精度が充分高い場合には図８２に示すように拡張ガードフィールド５２８の開始位置とＶＦＯ領域５２２の開始位置が一致する。
【０２８９】
これに対してデーターセグメント５３０が最大限後位置に記録され、後で追記または書き替えられるデーターセグメント５３１が最大限前位置に記録された場合には（１０）式に明示した値と（１２）式の値からＶＦＯ領域５２２の先頭位置がバッファー領域５３７内へ最大１５データーバイトまで入り込む事が有る。バッファー領域５３７の直前のエキストラ領域５３４には特定の重要情報が記録されている。
従って本実施例において、以下の（１３）を満たすことが必要となる。
バッファー領域５３７の長さは１５データーバイト以上      （１３）
図８２に示した実施例では１データーバイトの余裕を加味し、バッファー領域５３７のデーターサイズを１６データーバイトに設定している。
【０２９０】
ランダムシフトの結果、拡張ガード領域５２８とＶＦＯ領域５２２の間に隙間が生じると片面２記録層構造を採用した場合にその隙間による再生時の層間クロストークが発生する。そのため、ランダムシフトを行っても必ず拡張ガードフィールド５２８とＶＦＯ領域５２２の一部が重なり、隙間が発生しない工夫（図４（Ｋ３））がされている。従って本実施例において（１３）式の同様な理由から拡張ガードフィールド５２８の長さは１５データーバイト以上に設定する必要が有る。
後続するＶＦＯ領域５２２は７１データーバイトと充分に長く取って有るので、拡張ガードフィールド５２８とＶＦＯ領域５２２の重なり領域が多少広くなっても信号再生時には支障が無い（重ならないＶＦＯ領域５２２で再生用基準クロックの同期を取る時間が充分確保されるため）。
従って拡張ガードフィールド５２８は１５データーバイトよりもより大きな値に設定する事が可能である。
【０２９１】
連続記録時に希にウォーブルスリップが発生し、１ウォーブル周期分記録位置がずれる場合が有る事を既に説明した。（５）式に示すように１ウォーブル周期は７.７５（≒８）データーバイトに相当するので（１３）式にこの値も考慮して本実施例では（１４）式のように設定している。
拡張ガードフィールド５２８の長さを（１５＋８＝）２３データーバイト以上  （１４）
【０２９２】
図８２に示した実施例ではバッファー領域５３７と同様に１データーバイトの余裕を加味し、拡張ガードフィールド５２８の長さを２４データーバイトに設定している。
図８２（ｅ）において記録用クラスター５４１の記録開始位置を正確に設定する必要が有る。本実施例の情報記録再生装置では書替え形または追記形情報記憶媒体に予め記録されたウォーブル信号を用いてこの記録開始位置を検出する。
図７１（ｄ）から分かるようにウォーブルシンク領域５８０以外は全て４ウォーブル単位でパターンがＮＰＷからＩＰＷに変化している。それに比べてウォーブルシンク領域５８０ではウォーブルの切り替わり単位が部分的に４ウォーブルからずれているため、ウォーブルシンク領域５８０が最も位置検出し易い。そのため、本実施例の情報記録再生装置ではウォーブルシンク領域５８０位置を検出後、記録処理の準備を行い、記録を開始する。
【０２９３】
そのためレコーディングクラスター５４１の開始位置はウォーブルシンク領域５８０の直後の無変調領域５９０の中に来る必要が有る。図８３ではその内容を示している。物理セグメント（ Physical segment ）の切り替わり直後にウォーブルシンク領域５８０が配置されている。図７１（ｄ）に示すようにウォーブルシンク領域５８０の長さは１６ウォーブル周期分になっている。更にそのウォーブルシンク領域５８０を検出後、記録処理の準備にマージンを見越して８ウォーブル周期分必要となる。従って図８３に示すようにレコーディングクラスター５４１の先頭位置に存在するＶＦＯ領域５２２の先頭位置がランダムシフトを考慮していも物理セグメントの切り替わり目位置から２４ウォーブル以上後方に配置される必要が有る。
【０２９４】
図８２に示すように書替え時の重複箇所５４１では何度も記録処理が行われる。書替えを繰り返すとウォーブルグルーブまたはウォーブルランドの物理的な形状が変化（劣化）し、そこからのウォーブル再生信号品質が低下する。本発明実施例では図８２（ｆ）または図７１（ａ）,（ｄ）に示すように書替え時あるいは追記時の重複箇所５４１がウォーブルシンク領域５８０やウォーブルアドレス領域５８６内に来るのを避け、無変調領域５９０内に記録されるように工夫（図４（３Ｋζ））している。無変調領域５９０は一定のウォーブルパターン（ＮＰＷ）が繰り返されるだけなので、部分的にウォーブル再生信号品質が劣化しても前後のウォーブル再生信号を利用して補間できる。このように書替え時あるいは追記時の重複箇所５４１位置を無変調領域５９０内に来るように設定したため、ウォーブルシンク領域５８０またはウォーブルアドレス領域５８６内での形状劣化によるウォーブル再生信号品質の劣化を防止し、ウォーブルアドレス情報６１０からの安定なウォーブル検出信号を保証できると言う効果が生じる。
【０２９５】
次に追記形情報記憶媒体上に記録される追記形データーの追記方法の実施例を図８４に示す。本実施レでは追記形情報記憶媒体に対してはレコーディングクラスター内のレイアウトを図８１（ｂ）の方式を採用するが、それに限らす図８１（ａ）を採用しても良い。追記形情報記憶媒体においては１回のみの記録になるので、上記に説明したランダムシフトを必要としない。追記形情報記憶媒体においても図８３に示したように物理セグメントの先頭位置２４ウォーブル以降にデーターセグメントの先頭位置が来る（図４（Ｋ５））ように設定し、重ね書きの場所がウォブルの無変調領域に来るようになっている。
【０２９６】
図２８の１９２バイト目“記録マークの極性（Ｈ→ＬかＬ→Ｈかの識別）情報”で既に説明したように本実施例では“Ｈ→Ｌ記録膜”と“Ｌ→Ｈ記録膜”の両方の使用を許容している。本実施例で規定している“Ｈ→Ｌ記録膜”と“Ｌ→Ｈ記録膜”の光反射率範囲を図８５に示す。本実施例では“Ｈ→Ｌ記録膜”の非記録部での反射率下限値が“Ｌ→Ｈ記録膜”の非記録部での上限値より高くなるように規定（図４〔Ｍ〕）している所に特徴が有る。情報記録再生装置あるいは情報再生装置に上記情報記憶媒体を装着した時、図５のスライスレベル検出部１３２またはＰＲ等化回路１３０で非記録部の光反射率を測定し、瞬時に“Ｈ→Ｌ記録膜”か“Ｌ→Ｈ記録膜”の判別が出来るので記録膜の種別判別が非常に容易になる。
【０２９７】
多くの製造条件を変えて作成した“Ｈ→Ｌ記録膜”と“Ｌ→Ｈ記録膜”を作成して測定した結果、“Ｈ→Ｌ記録膜”の非記録部での反射率下限値と“Ｌ→Ｈ記録膜”の非記録部での上限値の間の光反射率αを３６％にする（図４（Ｍ１））と記録膜の製造性が高く、媒体の低価格化が容易である事が分かった。また“Ｌ→Ｈ記録膜” 非記録部（“Ｌ”部）の光反射率範囲８０１を再生専用形情報記憶媒体における片面２記録層の光反射率範囲８０３に一致させ（図４（Ｍ３））、“Ｈ→Ｌ記録膜”の非記録部（“Ｈ”部）の光反射率範囲８０２を再生専用形情報記憶媒体における片面単層の光反射率範囲８０４に一致させる（図４（Ｍ２））と再生専用形情報記憶媒体との互換性が良く情報再生装置の再生回路を兼用化出来るので情報再生装置を安価に作ることができる。
【０２９８】
多くの製造条件を変えて作成した“Ｈ→Ｌ記録膜”と“Ｌ→Ｈ記録膜”を作成して測定した結果、記録膜の製造性を高めて媒体の低価格化を容易にするために本実施例では“Ｌ→Ｈ記録膜” の非記録部（“Ｌ”部）の光反射率の下限値βを１８％、上限値γを３２％とし、“Ｈ→Ｌ記録膜”の非記録部（“Ｈ”部）の光反射率下限値δを４０％、上限値εを７０％にした。
【０２９９】
以上の実施例では、次のような効果を享受することができる。
１回のみの追記記録しか出来ない“追記形情報記憶媒体”に適合した管理データー構造を持ち、拡張可能な試し書き領域（テストエリア）のサイズや拡張可能な代替え領域（スペアエリア）のサイズが任意に設定可能になるため、拡張された試し書き領域（テストエリア）や代替え領域（スペアエリア）のサイズを必要最小限に設定する事ができる。その結果、記録可能領域サイズを可能な限り大きく残せるために実質的な容量低下が最低限にくい止められる。
また、追記する前に必ず再生する必要のある記録管理情報ＲＭＤ内に記録可能範囲情報が同時に記録されているため、情報記録再生装置としては高速で記録可能範囲の情報が入手できるので、追記可能な領域のサイズ（残量）が分かる。そのため、録画予約された時間範囲の映像情報を全て情報記憶媒体へ記録するために例えば映像記録時のビットレートを制御するなどしてユーザーに対する録画保証が可能となる。
【０３００】
（その他の実施形態）
本発明の実施形態は上記の実施形態に限られず拡張、変更可能であり、拡張、変更した実施形態も本発明の技術的範囲に含まれる。
【図面の簡単な説明】
【０３０１】
【図１】実施例のポイント一覧（１）
【図２】実施例のポイント一覧（２）
【図３】実施例のポイント一覧（３）
【図４】実施例のポイント一覧（４）
【図５】情報記録再生装置の実施例における構造説明図
【図６】本実施例における同期コード位置検出部の周辺部の詳細構造説明図
【図７】スライスレベル検出方式を用いた信号処理回路実施例説明図
【図８】スライサー回路の詳細説明図
【図９】ＰＲＭＬ検出法を用いた信号処理回路の実施例説明図
【図１０】ビタビ復号器内の構造説明図
【図１１】ＰＲ（１,２,２,２,１）クラスの状態遷移図
【図１２】重ね書き処理による次のボーダーを示す目印の作成方法説明図
【図１３】情報記憶媒体内の構造及び寸法の実施例
【図１４】情報再生装置または情報記録装置での処理手順の説明図
【図１５】追記形情報記憶媒体または１層再生専用情報記憶媒体の物理セクター番号設定方法
【図１６】２層構造を持った再生専用形情報記憶媒体の物理セクター番号設定方法
【図１７】書替え形情報記憶媒体における物理セクター番号設定方法
【図１８】再生専用形情報記憶媒体における一般パラメーター設定例
【図１９】追記形情報記憶媒体における一般パラメーター設定例
【図２０】書替え形情報記憶媒体における一般パラメーター設定例
【図２１】システムリードイン領域とデーターリードイン領域内のデーター構造比較説明図
【図２２】記録位置管理ゾーン内のデーター構造説明図
【図２３】データー領域とデーターリードアウト領域内のデーター構造比較説明図
【図２４】記録パルスの波形（ライトストラテジ）説明図
【図２５】記録パルス形状の定義説明図
【図２６】追記形情報記憶媒体におけるボーダー領域に関する構造説明図
【図２７】制御データーゾーンとＲ物理情報ゾーン内のデーター構造説明図
【図２８】物理フォーマット情報とＲ物理フォーマット情報内の情報内容比較説明図
【図２９】データー領域ＤＴＡの配置場所情報内の情報内容比較説明図
【図３０】記録位置管理データー内のデーター構造説明図（１）
【図３１】記録位置管理データー内のデーター構造説明図（２）  （続き）
【図３２】記録位置管理データー内のデーター構造説明図（３）  （続き）
【図３３】試し書き領域の設定、試し書きの処理手順の説明図
【図３４】物理セクター構造を形成するまでの変換手順説明図
【図３５】データーフレーム内の構造説明図
【図３６】スクランブル後のフレームを作成するときに、シフトレジスタに与える初期値とフィードバックシフトレジスタの回路構成説明図
【図３７】ＥＣＣブロック構造の説明図
【図３８】スクランブル後のフレーム配列説明図
【図３９】ＰＯのインターリーブ方法の説明図
【図４０】物理セクター内の構造説明図
【図４１】同期コードパターン内容の説明図
【図４２】変調ブロックの構成を示す図
【図４３】コードワードのための連結ルールを示す図
【図４４】コードワードとシンクコードの連結を示す図
【図４５】コードワードの再生のための分離ルールを示す図
【図４６】変調方式における変換テーブルを示す図
【図４７】変調方式における変換テーブルを示す図
【図４８】変調方式における変換テーブルを示す図
【図４９】変調方式における変換テーブルを示す図
【図５０】変調方式における変換テーブルを示す図
【図５１】変調方式における変換テーブルを示す図
【図５２】復調用テーブルを示す図
【図５３】復調用テーブルを示す図
【図５４】復調用テーブルを示す図
【図５５】復調用テーブルを示す図
【図５６】復調用テーブルを示す図
【図５７】復調用テーブルを示す図
【図５８】復調用テーブルを示す図
【図５９】復調用テーブルを示す図
【図６０】復調用テーブルを示す図
【図６１】復調用テーブルを示す図
【図６２】参照コードパターンの説明図
【図６３】本実施例の情報記憶媒体上での記録データのデータ単位説明図
【図６４】本実施例における各種情報記憶媒体毎のデーター記録形式の比較説明図
【図６５（ａ）】本実施例の情報記憶媒体におけるデーター構造の従来例との比較説明図
【図６５（ｂ）】本実施例の情報記憶媒体におけるデーター構造の従来例との比較説明図
【図６５（ｃ）】本実施例の情報記憶媒体におけるデーター構造の従来例との比較説明図
【図６６】ウォーブル変調における１８０度位相変調とＮＲＺ法の説明図
【図６７】アドレスビット領域内でのウォブル形状とアドレスビットの関係説明図
【図６８】本実施例の追記形情報記憶媒体と書替え形情報記憶媒体におけるウォブル配置と記録場所の比較表
【図６９】本実施例の追記形情報記憶媒体と書替え形情報記憶媒体におけるウォブル配置と記録場所の比較説明図
【図７０】本実施例の追記形情報記憶媒体と書替え形情報記憶媒体におけるアドレス定義方法説明図
【図７１】本実施例の記録可能形情報記憶媒体上におけるウォーブルアドレスフォーマット説明図
【図７２】グレイコード例の説明図
【図７３】グレイコード変換アルゴリズムの説明図
【図７４】グルーブ領域に不定ビット領域を形成する例を示した説明図
【図７５】本実施例の追記形情報記録媒体上における変調領域の配置場所説明図
【図７６】変調領域の１次配置場所と２次配置場所に関するウォブルデータユニット内の配置説明図
【図７７】ウォブルシンクパターンとウォブルデータユニット内の配置関係の比較説明図
【図７８】追記形情報記録媒体上における物理セグメント内での変調領域の配置場所説明図
【図７９】本実施例に係る書替え形情報記憶媒体と追記形情報記憶媒体でのウォブルアドレス情報内のデーター構造の比較説明図
【図８０】ウォブルシンクパターンと物理セグメントのタイプ識別情報との組み合わせ方法と変調領域の配置パターンとの関係説明図
【図８１】レコーディングクラスター内のレイアウト説明図
【図８２】書替え形情報記憶媒体上に記録される書替え可能データーのデータ記録方法説明図
【図８３】書替え形情報記憶媒体上に記録される書替え可能データーのデータランダムシフト説明図
【図８４】追記形情報記憶媒体上に記録される追記形データーの追記方法説明図
【図８５】“Ｈ→Ｌ”記録膜と“Ｌ→Ｈ”記録膜における非記録部の反射率に関する説明図
【図１】
2005285153.tif 000003
【図２】
2005285153.tif 000004
【図３】
2005285153.tif 000005
【図４】
2005285153.tif 000006
【図５】
2005285153.tif 000007
【図６】
2005285153.tif 000008
【図７】
2005285153.tif 000009
【図８】
2005285153.tif 000010
【図９】
2005285153.tif 000011
【図１０】
2005285153.tif 000012
【図１１】
2005285153.tif 000013
【図１２】
2005285153.tif 000014
【図１３】
2005285153.tif 000015
【図１４】
2005285153.tif 000016
【図１５】
2005285153.tif 000017
【図１６】
2005285153.tif 000018
【図１７】
2005285153.tif 000019
【図１８】
2005285153.tif 000020
【図１９】
2005285153.tif 000021
【図２０】
2005285153.tif 000022
【図２１】
2005285153.tif 000023
【図２２】
2005285153.tif 000024
【図２３】
2005285153.tif 000025
【図２４】
2005285153.tif 000026
【図２５】
2005285153.tif 000027
【図２６】
2005285153.tif 000028
【図２７】
2005285153.tif 000029
【図２８】
2005285153.tif 000030
【図２９】
2005285153.tif 000031
【図３０】
2005285153.tif 000032
【図３１】
2005285153.tif 000033
【図３２】
2005285153.tif 000034
【図３３】
2005285153.tif 000035
【図３４】
2005285153.tif 000036
【図３５】
2005285153.tif 000037
【図３６】
2005285153.tif 000038
【図３７】
2005285153.tif 000039
【図３８】
2005285153.tif 000040
【図３９】
2005285153.tif 000041
【図４０】
2005285153.tif 000042
【図４１】
2005285153.tif 000043
【図４２】
2005285153.tif 000044
【図４３】
2005285153.tif 000045
【図４４】
2005285153.tif 000046
【図４５】
2005285153.tif 000047
【図４６】
2005285153.tif 000048
【図４７】
2005285153.tif 000049
【図４８】
2005285153.tif 000050
【図４９】
2005285153.tif 000051
【図５０】
2005285153.tif 000052
【図５１】
2005285153.tif 000053
【図５２】
2005285153.tif 000054
【図５３】
2005285153.tif 000055
【図５４】
2005285153.tif 000056
【図５５】
2005285153.tif 000057
【図５６】
2005285153.tif 000058
【図５７】
2005285153.tif 000059
【図５８】
2005285153.tif 000060
【図５９】
2005285153.tif 000061
【図６０】
2005285153.tif 000062
【図６１】
2005285153.tif 000063
【図６２】
2005285153.tif 000064
【図６３】
2005285153.tif 000065
【図６４】
2005285153.tif 000066
【図６５（ａ）】
2005285153.tif 000067
【図６５（ｂ）】
2005285153.tif 000068
【図６５（ｃ）】
2005285153.tif 000069
【図６６】
2005285153.tif 000070
【図６７】
2005285153.tif 000071
【図６８】
2005285153.tif 000072
【図６９】
2005285153.tif 000073
【図７０】
2005285153.tif 000074
【図７１】
2005285153.tif 000075
【図７２】
2005285153.tif 000076
【図７３】
2005285153.tif 000077
【図７４】
2005285153.tif 000078
【図７５】
2005285153.tif 000079
【図７６】
2005285153.tif 000080
【図７７】
2005285153.tif 000081
【図７８】
2005285153.tif 000082
【図７９】
2005285153.tif 000083
【図８０】
2005285153.tif 000084
【図８１】
2005285153.tif 000085
【図８２】
2005285153.tif 000086
【図８３】
2005285153.tif 000087
【図８４】
2005285153.tif 000088
【図８５】
2005285153.tif 000089